(57)【要約】統合パッケージングプロセスに基づいたカメラモジュールおよびアレイカメラモジュールが開示される。カメラモジュールまたはアレイカメラモジュールのカメラモジュールユニットそれぞれは、回路基板と、一体型ベースと、回路基板へ動作可能に接続された感光要素と、レンズと、一体型ベースにおいて取り付けられた光フィルタホルダと、光フィルタホルダにおいて取り付けられた光フィルタとを含む。光フィルタは、一体型ベースへ直接取り付ける必要が無いため、光フィルタが保護され、光フィルタの必要面積が低減する。【選択図】図１０Ａ
2019514076.tif 000002
【特許請求の範囲】
【請求項１】
少なくとも１つの一体型ベースアセンブリ、少なくとも１つの感光要素、少なくとも１つのレンズ、少なくとも１つの光フィルタホルダ、および少なくとも１つの光フィルタを備えるむカメラモジュールであって、前記一体型ベースアセンブリは、回路基板および前記回路基板上に一体的にパッケージされた一体型ベースを含み、前記感光要素は、前記回路基板へ動作可能に接続され、前記光フィルタホルダは、前記感光要素へ光通路を提供する光学窓を形成するように前記一体型ベースに取り付けられ、前記光フィルタは、前記感光要素の感光経路中の前記光フィルタをアラインさせるように前記光フィルタホルダにおいて設けられ、前記レンズは、前記一体型ベースアセンブリ上に取り付けられ、前記感光要素の前記感光経路に沿って配置される、カメラモジュール。
【請求項２】
前記カメラモジュールの前記光フィルタホルダは、光フィルタホルダ本体と、少なくとも１つの内方伸長アームとを含み、前記少なくとも１つの内方伸長アームは、前記光フィルタホルダ本体の一部から横方向に延びて、前記光フィルタの取付のための支持溝部を内部に形成する。請求項１に記載のカメラモジュール。
【請求項３】
前記カメラモジュールの前記光フィルタホルダは、光フィルタホルダ本体と、少なくとも１つの下方伸長アームと、少なくとも１つの内方伸長アームとを含み、前記下方伸長アームは、前記光フィルタホルダ本体から下方に延びて前記一体型ベースと係合する係合溝部を形成し、前記内方伸長アームは、前記下方伸長アームから横方向に延びて、前記光フィルタを支持する支持溝部を形成する、請求項１に記載のカメラモジュール。
【請求項４】
少なくとも角開口部が前記カメラモジュールの前記内方伸長アームの端部に形成され、前記角開口部は、前記角開口部の位置における光束を増加させるように、前記光窓から外方に延びる、請求項３に記載のカメラモジュール。
【請求項５】
前記カメラモジュールの前記下方伸長アームそれぞれは、前記光フィルタホルダ本体から前記感光要素へ長手方向に延び、前記光フィルタは、前記感光要素へ下方に配置される、請求項３に記載のカメラモジュール。
【請求項６】
前記カメラモジュールの前記内方伸長アームそれぞれは、前記光フィルタのアセンブリ領域を低減させるように前記下方伸長アームから横方向に延びる、請求項３に記載のカメラモジュール。
【請求項７】
前記カメラモジュールの前記一体型ベースは、前記光窓と連通する少なくとも１つの取付溝部と、前記光窓を外部と連通させる少なくとも１つのノッチとを有し、前記光フィルタホルダの前記光フィルタホルダ本体は、前記取付溝部と係合する少なくとも１つの係合縁と、前記ノッチへ延びかつ前記ノッチへ密閉的に嵌められた少なくとも１つの伸長縁とを含む、請求項３に記載のカメラモジュール。
【請求項８】
前記カメラモジュールの前記一体型ベースは、Ｕ字型構造を形成する３つの取付溝部を有し、前記光フィルタホルダの前記光フィルタホルダ本体は、前記３つの取付溝部それぞれと整合する対応するＵ字型構造を形成する３つの係合縁を含む、請求項３に記載のカメラモジュール。
【請求項９】
前記カメラモジュールの前記一体型ベースは、前記光窓と連通する２つの取付溝部と、前記光窓を外部と連通させる２つのノッチとを有し、前記光フィルタホルダの前記光フィルタホルダ本体は、前記２つの取付溝部それぞれと連結する２つの係合縁と、前記２つのノッチそれぞれの内部に延びかつ前記２つのノッチそれぞれへ密閉的に嵌められる２つの伸長縁とを含む、請求項３に記載のカメラモジュール。
【請求項１０】
前記カメラモジュールの前記一体型ベースの前記２つの取付溝部は、対向側に配置され、前記２つのノッチは、別の２つの対向側に配置され、相応に、前記光フィルタホルダの前記２つの係合縁は、その２つの対向側に配置され、前記２つの伸長縁は、別のその２つの対向側に配置される、請求項９に記載のカメラモジュール。
【請求項１１】
前記カメラモジュールの前記一体型ベースの前記２つの取付溝部は、相互に隣接して配置され、前記２つのノッチは、相互に隣接して配置され、相応に、前記光フィルタホルダの前記２つの係合縁は、相互に隣接して配置され、前記２つの伸長縁は、相互に隣接して配置される、請求項９に記載のカメラモジュール。
【請求項１２】
前記カメラモジュールの前記一体型ベースは、前記光窓と連通する１つの取付溝部と、前記光窓を外部と連通させる３つのノッチとを有し、前記光フィルタホルダの前記光フィルタホルダ本体は、前記取付溝部へ連結される１つの係合縁と、前記３つのノッチそれぞれの内部に延びかつ前記３つのノッチそれぞれへ密閉的に嵌められる３つの伸長縁とを含む、請求項３に記載のカメラモジュール。
【請求項１３】
前記カメラモジュールの前記一体型ベースは、前記光フィルタホルダ本体から上方に延びて保持チャンバを形成する上方伸長周壁を含む、請求項３に記載のカメラモジュール。
【請求項１４】
前記カメラモジュールの前記一体型ベースは、上方に延びる壁と、下方に延びる壁とを含み、前記上方に延びる壁は、前記光フィルタホルダ本体から上方に延びて、少なくとも前記レンズを受容および保持する保持チャンバを内部に規定し、前記下方に延びる壁は、前記光フィルタホルダ本体から下方に延びて、少なくとも前記一体型ベースを受容および保持する下ハウジングチャンバを内部に規定する、請求項３に記載のカメラモジュール。
【請求項１５】
前記カメラモジュールの前記光フィルタホルダは、前記光フィルタを前記感光要素の前記感光経路内においてアラインさせるように前記光フィルタを受容する受容開口部を有する、請求項２〜１４のうち１つに記載のカメラモジュール。
【請求項１６】
前記カメラモジュールの前記一体型ベースは、前記回路基板上に一体的にパッケージされる一体型ベース本体を含み、前記一体型ベース本体は、少なくとも１つの開口部を有し、前記光フィルタホルダは、前記光窓を規定するように前記一体型ベース本体の前記開口部を被覆する手段を含む、請求項２〜１４のうち１つに記載のカメラモジュール。
【請求項１７】
前記カメラモジュールの前記一体型ベース本体の前記開口部は、下部から上部へ徐々に直径が増加する逆台形形状を有する、請求項１６に記載のカメラモジュール。
【請求項１８】
前記カメラモジュールの前記光フィルタホルダの少なくとも１つの部位は、前記回路基板へ接続される、請求項３に記載のカメラモジュール。
【請求項１９】
前記カメラモジュールの前記光フィルタホルダの前記被覆手段は、少なくとも１つの伸長脚部を含み、前記少なくとも１つの伸長脚部は、前記光フィルタホルダ本体から前記回路基板へ下方かつ一体的に延びて、前記一体型ベースの前記開口部を密接に挿入および被覆して前記光窓を密閉および封入する、請求項１６に記載のカメラモジュール。
【請求項２０】
前記カメラモジュールの前記基体の前記開口部は、下部から上部へサイズが徐々に増加する逆台形形状を有し、前記伸長脚部も、前記開口部の形状と整合する逆台形形状を有するため、前記伸長脚部を前記開口部に挿入することにより前記光フィルタホルダを所定位置に保持することができる、請求項１９に記載のカメラモジュール。
【請求項２１】
前記カメラモジュールは、前記一体型ベースへ少なくとも部分的かつ選択的に取り付けられた少なくとも１つのアクチュエータを含み、前記光フィルタホルダおよび前記レンズは前記アクチュエータと共に取り付けられる、請求項１６に記載のカメラモジュール。
【請求項２２】
前記カメラモジュールの前記レンズは、前記一体型ベースおよび前記光フィルタホルダへ少なくとも部分的かつ選択的に取り付けられる、請求項１６に記載のカメラモジュール。
【請求項２３】
前記カメラモジュールの前記レンズは、前記一体型ベースへ少なくとも部分的に取り付けられる、請求項３に記載のカメラモジュール。
【請求項２４】
前記カメラモジュールの前記光フィルタは、ＩＲカットフィルタ、ブルーグラスフィルタおよびウェーハレベルＩＲカットフィルタからなる群から選択される、請求項１６に記載のカメラモジュール。
【請求項２５】
前記一体型ベースの統合パッケージング様態は、成型パッケージングプロセスを通じて達成される、請求項１６に記載のカメラモジュール。
【請求項２６】
前記カメラモジュールの前記回路基板は、ベース基板と、前記ベース基板上に設けられた少なくとも１つの電子コンポーネントを含み、前記電子コンポーネントは、前記ベース基板上に一体的にパッケージされた前記一体型ベース中に埋設される、請求項１６に記載のカメラモジュール。
【請求項２７】
前記カメラモジュールの前記一体型ベースは、前記レンズが内部に取り付けられるレンズ穴を規定する鏡筒と共にさらに形成される、請求項１６に記載のカメラモジュール。
【請求項２８】
前記カメラモジュールの前記光フィルタホルダは、射出成形プロセスを通じて形成される、請求項１６に記載のカメラモジュール。
【請求項２９】
前記カメラモジュールの前記一体型ベースは、傾き角度を規定する内面を有し、前記係合溝部は、前記傾き角度に対応する係合角度を有する、請求項１６に記載のカメラモジュール。
【請求項３０】
前記カメラモジュールは、複数の一体型ベースアセンブリと、複数の感光要素と、複数のレンズと、複数の光フィルタホルダと、複数の光フィルタとを含み、前記一体型ベースアセンブリはそれぞれ、ジョイント回路基板アセンブリを形成するように前記回路基板と一体的に形成され、前記一体型ベースは、ジョイント一体型ベースを形成するように一体的に接続され、前記光フィルタホルダは、ジョイント光フィルタホルダを形成するように一体的に接続される、請求項１６に記載のカメラモジュール。
【請求項３１】
前記カメラモジュールの前記光フィルタホルダは、前記光フィルタホルダ本体の上部から少なくとも部分的に突出する少なくとも１つの保持突起部をさらに含む、請求項１５に記載のカメラモジュール。
【請求項３２】
前記保持突起部は、輪状を有するような構造にされる、請求項３１に記載のカメラモジュール。
【請求項３３】
前記カメラモジュールはアクチュエータを含み、前記レンズは前記アクチュエータと共に取り付けられ、前記アクチュエータは、前記保持突起部の外側において取り付けられるように保持される、請求項３１に記載のカメラモジュール。
【請求項３４】
アレイ状に配置された少なくとも２つのカメラモジュールユニットを含むアレイカメラモジュールであって、前記カメラモジュールユニットはそれぞれ、少なくとも１つの一体型ベースアセンブリと、少なくとも１つの感光要素と、少なくとも１つのレンズと、少なくとも１つの光フィルタホルダと、少なくとも１つの光フィルタとを含み、前記一体型ベースアセンブリは、回路基板と、前記回路基板上に一体的にパッケージされかつ前記感光要素へ光通路を提供する光学窓を規定する一体型ベースとを含み、前記感光要素は、前記回路基板へ動作可能に接続され、前記光フィルタホルダは、前記一体型ベースと共に取り付けられ、前記光フィルタは、前記感光要素の感光経路中の前記光フィルタをアラインさせるように前記光フィルタホルダにおいて取り付けられ、前記レンズは、前記感光要素の前記感光経路中に配置され、前記カメラモジュールユニットの前記一体型ベースは、ジョイント一体型ベースを提供するように一体的に形成される、アレイカメラモジュール。
【請求項３５】
前記ジョイント一体型ベースは、前記光窓が内部にそれぞれ形成された少なくとも２つの一体型ベース本体を含み、少なくとも２つの光フィルタホルダは、ジョイント光フィルタホルダを提供するように一体的に形成され、前記隣接する基体は、両者間に一体型接合部を形成するように一体的に接続され、前記ジョイント光フィルタホルダは、前記光フィルタをそれぞれそこで取り付けるための前記少なくとも２つの光窓それぞれと連通する少なくとも２つの支持溝部を有し、前記少なくとも２つの隣接する光フィルタホルダは、両者間にブリッジ部位を提供するように一体的に接続され、前記ジョイント一体型ベースの接合部の上方に配置される、請求項３４に記載のアレイカメラモジュール。
【請求項３６】
前記アレイカメラモジュールの前記光フィルタホルダはそれぞれ、光フィルタホルダ本体と、前記各光フィルタを取り付けるための支持溝部を形成するように前記光フィルタホルダ本体の一部から横方向に延びる少なくとも１つの内方伸長アームとを含む、請求項３４に記載のアレイカメラモジュール。
【請求項３７】
前記アレイカメラモジュールの前記光フィルタホルダはそれぞれ、は、光フィルタホルダ本体、少なくとも１つの下方伸長アームおよび少なくとも１つの内方伸長アームを含み、前記各一体型ベースと係合するように前記下方伸長アームは、前記光フィルタホルダ本体から下方に延びて係合溝部を形成し、前記内方伸長アームは、前記各光フィルタを支持する支持溝部を形成するように前記下方伸長アームから横方向に延びる、請求項３４に記載のアレイカメラモジュール。
【請求項３８】
角開口部は、前記アレイカメラモジュールの前記内方伸長アームのうち２つの間に形成され、前記角開口部は、前記角開口部の位置において光束を増加させるように前記各光窓から外方に延びる、請求項３４に記載のアレイカメラモジュール。
【請求項３９】
前記アレイカメラモジュールの前記下方伸長アームはそれぞれ、前記各光フィルタホルダ本体から前記各感光要素へ長手方向に延び、前記光フィルタは、前記各感光要素へ下方に配置される、請求項３７に記載のアレイカメラモジュール。
【請求項４０】
前記アレイカメラモジュールの前記内方伸長アームはそれぞれ、前記光フィルタのアセンブリ領域を低減させるように前記各下方伸長アームから横方向に延びる、請求項３７に記載のアレイカメラモジュール。
【請求項４１】
前記アレイカメラモジュールの前記一体型ベースはそれぞれ、前記各光窓と連通する少なくとも１つの取付溝部と、前記各光窓を外部と連通させる少なくとも１つのノッチとを有し、前記光フィルタホルダそれぞれの前記光フィルタホルダ本体は、前記取付溝部と係合する少なくとも１つの係合縁と、前記ノッチ中に延びかつ前記ノッチへ密閉的に嵌められる少なくとも１つの伸長縁とを含む、請求項３７に記載のアレイカメラモジュール。
【請求項４２】
前記アレイカメラモジュールの前記一体型ベースはそれぞれＵ字型構造を形成する３つの取付溝部を有し、前記光フィルタホルダそれぞれの前記光フィルタホルダ本体は、前記３つの取付溝部それぞれと整合する対応するＵ字型構造を形成する３つの係合縁を含む、請求項３７に記載のアレイカメラモジュール。
【請求項４３】
前記アレイカメラモジュールの前記一体型ベースはそれぞれ、前記各光窓と連通する２つの取付溝部と、前記各光窓を外部と連通させる２つのノッチとを有し、前記光フィルタホルダそれぞれの前記光フィルタホルダ本体は、前記２つの取付溝部それぞれと連結する２つの係合縁と、前記２つのノッチそれぞれの内部へ延びかつ前記２つのノッチそれぞれへ密閉的に嵌められる２つの伸長縁とを含む、請求項３７に記載のアレイカメラモジュール。
【請求項４４】
前記アレイカメラモジュールの前記一体型ベースそれぞれの前記２つの取付溝部は２つの対向側において配置され、前記２つのノッチは別の２つの対向側において配置され、相応に、前記光フィルタホルダそれぞれの前記２つの係合縁は２つの対向側において配置され、前記２つの伸長縁は別の２つの対向側において配置される、請求項４３に記載のアレイカメラモジュール。
【請求項４５】
前記アレイカメラモジュールの前記一体型ベースそれぞれの前記２つの取付溝部は相互に隣接し、前記２つのノッチは相互に隣接し、相応に、前記光フィルタホルダそれぞれの前記２つの係合縁は相互に隣接し、前記２つの伸長縁は相互に隣接する、請求項４３に記載のアレイカメラモジュール。
【請求項４６】
前記アレイカメラモジュールの前記一体型ベースそれぞれは、前記各光窓に連通する１つの取付溝部と、前記光窓を外部と連通させる３つのノッチとを有し、前記光フィルタホルダそれぞれの前記光フィルタホルダ本体は、前記取付溝部と連結される１つの係合縁と、前記３つのノッチそれぞれの内部に延びかつ前記３つのノッチそれぞれへ密閉的に嵌められる３つの伸長縁とを含む、請求項３７に記載のアレイカメラモジュール。
【請求項４７】
前記アレイカメラモジュールの前記一体型ベースはそれぞれ、保持チャンバを内部に規定するように前記各光フィルタホルダ本体から上方に延びる上方伸長周壁を含む、請求項３７に記載のアレイカメラモジュール。
【請求項４８】
前記アレイカメラモジュールの前記一体型ベースはそれぞれ、前記各光フィルタホルダ本体から上方に延びて保持チャンバを内部に形成する上方伸長周壁と、前記各光フィルタホルダ本体から下方に延びて下ハウジングチャンバを内部に形成する下方伸長周壁とを含む、請求項３７に記載のアレイカメラモジュール。
【請求項４９】
前記光フィルタホルダはそれぞれ、前記光フィルタホルダの前記光フィルタホルダ本体から少なくとも部分的に一体的かつ上方に延びる保持突起部を含む、請求項３７〜４８のうち１つに記載のアレイカメラモジュール。
【請求項５０】
前記アレイカメラモジュールは少なくとも１つのアクチュエータを含み、前記レンズは前記アクチュエータにおいて取り付けられ、前記保持突起部は、前記保持突起部の外側における所定位置に前記アクチュエータを保持する、請求項４９に記載のアレイカメラモジュール。
【請求項５１】
前記一体型ベースはそれぞれ、前記各回路基板へ延びる少なくとも１つの開口部を有し、前記光フィルタホルダはそれぞれ、少なくとも１つの伸長脚部を含み、前記少なくとも１つの伸長脚部は、前記開口部へ密接に挿入されかつ被覆し、前記回路基板へ接続する、請求項３７〜４８のうち１つに記載のアレイカメラモジュール。
【請求項５２】
前記アレイカメラモジュールの前記伸長脚部は、前記開口部の周囲を密閉するように、前記光フィルタホルダ本体から前記回路基板へ延びる、請求項５１に記載のアレイカメラモジュール。
【請求項５３】
前記アレイカメラモジュールの前記伸長脚部は、前記２つの光窓を分離および規定するように相互に隣接する２つの前記光窓間に延びる、請求項５１に記載のアレイカメラモジュール。
【請求項５４】
前記アレイカメラモジュールの前記光フィルタホルダはそれぞれ、前記アレイカメラモジュールの前記各カメラモジュールユニットの前記感光要素の前記感光経路中に前記光フィルタをアラインさせるように前記各光フィルタを受容する受容開口部を有する、請求項３７〜４８のうち１つに記載のアレイカメラモジュール。
【請求項５５】
前記アレイカメラモジュールの前記カメラモジュールユニットの少なくとも１つは、前記ジョイント一体型ベースおよび前記ジョイント光フィルタホルダへ少なくとも部分的かつ選択的に取り付けられた少なくとも１つのアクチュエータを含み、前記レンズは、オートフォーカスカメラモジュールを形成するように前記アクチュエータと共に取り付けられる、請求項３７〜４８のうち１つに記載のアレイカメラモジュール。
【請求項５６】
前記アレイカメラモジュールの少なくとも１つのレンズは、固定焦点カメラモジュールを形成するように、前記ジョイント一体型ベースおよび前記ジョイント光フィルタホルダへ少なくとも部分的かつ選択的に取り付けられる、請求項３４〜４８のうち１つに記載のアレイカメラモジュール。
【請求項５７】
前記アレイカメラモジュールの前記カメラモジュールユニットの少なくとも１つはオートフォーカスカメラモジュールであり、前記アレイカメラモジュールの前記カメラモジュールユニットの少なくとも１つは固定焦点カメラモジュールである、請求項３４〜４８のうち１つに記載のアレイカメラモジュール。
【請求項５８】
前記アレイカメラモジュールの少なくとも２つの前記カメラモジュールユニットはオートフォーカスカメラモジュールである、請求項３４〜４８のうち１つに記載のアレイカメラモジュール。
【請求項５９】
前記アレイカメラモジュールの少なくとも２つの前記カメラモジュールユニットは固定焦点カメラモジュールである、請求項３４〜４８のうち１つに記載のアレイカメラモジュール。
【請求項６０】
前記カメラモジュールユニットの前記回路基板は、ジョイント回路基板を形成するように、ワンピースとして一体的に接続される、請求項３４〜４８のうち１つに記載のアレイカメラモジュール。
【請求項６１】
前記カメラモジュールユニットの前記回路基板は、ジョイント回路基板を形成するように接続される、請求項３４〜４８のうち１つに記載のアレイカメラモジュール。
【請求項６２】
前記アレイカメラモジュールは、二重カメラモジュールを形成するように２つのカメラモジュールユニットを含む、請求項３４〜４８のうち１つに記載のアレイカメラモジュール。
【請求項６３】
電子デバイス本体および１つ以上の請求項１〜３３のうち１つに記載の前記カメラモジュールを含む電子デバイスであって、前記カメラモジュールは前記電子デバイス本体に設けられる、電子デバイス。
【請求項６４】
前記電子デバイスは、スマートフォン、ウェアラブルデバイス、コンピュータデバイス、テレビ、搬送装置、デジタルカメラおよび監視デバイスからなる群から選択される、請求項６３に記載の電子デバイス。
【請求項６５】
請求項３４〜６１のうち１つに記載の電子デバイス本体および１つ以上の前記アレイカメラモジュールを含む電子デバイスであって、前記アレイカメラモジュールは、前記電子デバイス本体に設けられる、電子デバイス。
【請求項６６】
前記電子デバイスは、スマートフォン、ウェアラブルデバイス、コンピュータデバイス、テレビ、搬送装置、デジタルカメラおよび監視デバイスからなる群から選択される、請求項６５に記載の電子デバイス。
【請求項６７】
少なくとも２つのレンズ、少なくとも２つの感光要素、少なくとも１つのジョイント回路基板、少なくとも１つのジョイント一体型ベース、少なくとも２つの光フィルタおよび少なくとも２つの光フィルタホルダを含むアレイカメラモジュールであって、前記ジョイント一体型ベースは、前記ジョイント回路基板上に一体的にパッケージされ、前記レンズおよび前記感光要素それぞれのための２つの光通路を提供する少なくとも２つの光窓を内部に形成し、前記光フィルタホルダ本体は、前記光フィルタが前記レンズと前記感光要素との間に前記２つの光通路それぞれに沿って配置されるように、前記光フィルタそれぞれを取り付けるための前記ジョイント一体型ベースにおいて取り付けられる、アレイカメラモジュール。
【発明の詳細な説明】
【技術分野】
【０００１】
発明の背景
発明の分野
本発明は、カメラモジュールに関し、より詳細には、統合パッケージング技術に基づいてカメラモジュールおよびアレイカメラモジュールに関する。
関連分野の説明
【０００２】
カメラモジュールは、インテリジェント電子デバイス（例えば、スマートフォン、カメラ、コンピュータデバイス、ウェアラブルデバイス等）の不可欠なコンポーネントの１つである。多様なインテリジェントデバイスの継続的な開発およびインテリジェントデバイスの普及により、カメラモジュールに対する要求は、ますます高くなっている。
【０００３】
近年、インテリジェント電子デバイスの開発が飛躍的に進んでおり、インテリジェント電子デバイスのさらなる肉薄化が求められている。このような開発に対応するためには、インテリジェント電子デバイスのカメラモジュールの多機能化、軽量化およびサイズのコンパクト化が求められており、撮像要求を満たしつつ電子器材を肉薄化することが求められている。そのため、カメラモジュール製造業者は、これらの要求を満たすカメラモジュールの設計および製造に引き続き注力している。
【０００４】
成型パッケージング技術は、従来のＣＯＢ（チップオンボード）パッケージング技術に基づいた新しいパッケージング技術である。図面の図１Ａに示すように、従来の一体型パッケージング技術によって封入された回路基板が図示され、パッケージング部１をパッケージングプロセスを通じて回路基板２上にパッケージした後、チップ３（例えば、撮像センサおよび感光要素）を回路基板２へ接続させ、光フィルタ４を成型部１へ取り付ける。パッケージング部１は、回路基板２上に設けられた電子コンポーネント５を埋設させることにより、カメラモジュールの電子コンポーネント５のための占有空間を低減させ、これにより、カメラモジュールのサイズの小型化が可能になり、電子コンポーネント５上に付着してカメラモジュールの撮像品質に悪影響を与え得る粉塵の問題も解消することができる。
【０００５】
図１Ｂに示すように、従来のＣＯＢ技術を通じてパッケージされた回路基板が示される。従来のＣＯＢパッケージング技術と比較して、パッケージング技術は多くの利点を有する。例えば、ホルダ７をパッケージング部１と交換することにより、電子コンポーネント５のための占有空間を有する低減することができ、これにより、カメラモジュールのサイズ低減が可能になり、また、電子コンポーネント５上に付着してカメラモジュールの撮像品質に悪影響を与え得る粉塵も回避することができる。しかし、このような従来のパッケージング構造の場合、新たな問題がいくつかある。
【０００６】
光フィルタは、現代のカメラモジュールにおいて極めて重要なコンポーネントであり、肉眼による観測効果に類似する所望の光観測性を達成できるように、赤外光をフィルタリングする機能を有する。光フィルタは、損傷を受け易い。光フィルタはまた、カメラモジュールの製造コストを大きく占める。光フィルタのサイズが大きくなるほど、光フィルタの価格も釣り上がる。加えて、光フィルタのフィルタリング領域が比較的大きい場合、光フィルタの製造精度レベルの管理も比較的困難になる。そのため、パッケージング技術の採用においては、光フィルタの問題を慎重に検討する必要がある。
【０００７】
第１に、従来のＣＯＢパッケージング技術と比較して、パッケージング部は、電子コンポーネント５の空間および位置のさらなる利用のために、パッケージング技術において電子コンポーネント５を埋設させる。しかし、図１Ｂに示すようなＣＯＢホルダと比較して、パッケージング部を導入するためには、パッケージング部の上部の光フィルタ４のアセンブリ空間を増加させる必要がある。換言すれば、パッケージング技術においては、光フィルタ４のサイズを比較的により大きくする必要がある。
【０００８】
より詳細には、図１Ｂを参照して、従来のＣＯＢ技術において、図示のような光フィルタ７がホルダ７上に取り付けられる。ホルダ７は、後続ステップにおいて回路基板２上に取り付けられるため、異なる形状を有するように製造され得る。例えば、感光領域が遮断されていない限り、有用性要求を確実に満たしつつ組み立てを容易にするために、光フィルタのサイズを最小限にするようにホルダを内方に延ばすことができる。また、比較的より小さなサイズの光フィルタを利用することができるため、カメラモジュールの製造コストの低減が可能になる。しかし、パッケージング技術において、１組の型を通じて回路基板２上において一体的に形成されたパッケージング部１が下部から上部へ一体的に延びることにより、光フィルタ４のサイズがパッケージング部１の開口部によって決定されるため、光フィルタがやむを得ず相対的に大きくなる。
【０００９】
第２に、図１Ａに示すようなパッケージング技術においては、光フィルタ４をパッケージング部１の溝部６上に取り付ける必要がある。しかし、パッケージング技術が採用されているため、溝部６の角部形状の制御が困難になる。換言すれば、溝部６を形成する溝壁部（特に、隣接する溝壁部間の接合位置）は変形し易いため、例えばぼやけ発生により、光フィルタ４の良好な組み立て条件が得られなくなり得、そのため平滑性の保証も困難になる。光フィルタは、損傷を受け易い。しかし、従来のホルダ７において、内側溝部８が設けられ得る。換言すれば、ホルダ７は、光フィルタ４のアセンブリ領域を低減しつつ光フィルタ４の保護位置を設けるように、内方に延び得る。しかし、パッケージング部は一体形成プロセスを通じて形成されるため、脱型問題が製造プロセスにおいて存在し、従来のホルダの製造をパッケージングプロセスによって製造することができる。そのため、従来のパッケージング技術の場合、構造に制限が有り得、例えば、内側溝部８が無いパッケージング部１となる。従来のホルダ、パッケージングホルダおよびその形成プロセスには、固有の利点および不利点双方がある。そのため、これら２つの構造の利点を組み合わせることが所望される。
【００１０】
第３に、パッケージング部１でさえ溝部６を含まない平坦なステップ構造となるように構築されるため、光フィルタ４の良好なアセンブリ条件を得るために、パッケージング部１の表面の良好な平坦性が確保される。しかし、一方、この構造の場合、光フィルタ４は、パッケージング部１を他のコンポーネント（例えば、レンズまたはアクチュエータ）を共有する必要があるため、アセンブリ精度に対する要求が比較的高くならざるを得えず、そうしないと、組み立てプロセス時においてこれらのコンポーネントに起因して光フィルタが損傷を受ける可能性がある。他方、光フィルタとレンズとの間の距離は比較的小さいため、レンズのレンズ要素が光フィルタと接触し易くなり得、レンズのバックフォーカス長さも増加する。
【００１１】
さらに、回路基板を感光要素、電子コンポーネントおよびパッケージング部と共に取り付ける必要があるため、これらのコンポーネントのレイアウトにより、回路基板の領域が影響される。成型部が一体形成されるため、パッケージング部の面積が従来のホルダの面積よりも大きくなる（すなわち、回路基板上のパッケージング部の占有面積が比較的大きくなる）。
【発明の概要】
【００１２】
発明の要旨
本発明は、統合パッケージングプロセスに基づいたカメラモジュールおよびアレイカメラモジュールを提供する点において有利である。カメラモジュールは、カメラモジュールの一体型ベースと協働する光フィルタホルダを含むため、多様なコンポーネントをサポートすることができる
【００１３】
本発明の別の利点は、統合パッケージングプロセスに基づいたカメラモジュールおよびアレイカメラモジュールを提供することである。光フィルタホルダによって光フィルタの適切な組立位置が提供されるため、光フィルタをカメラモジュールの一体型ベース上に直接取り付ける必要が無くなる。
【００１４】
本発明の別の利点は、統合パッケージングプロセスに基づいたカメラモジュールおよびアレイカメラモジュールを提供することである。光フィルタホルダは、光フィルタを取り付けるように適合された支持溝部を有するため、光フィルタをより低い位置（すなわち、回路基板および感光要素により近接した位置）に取り付けることが可能になる。
【００１５】
本発明の別の利点は、統合パッケージングプロセスに基づいたカメラモジュールおよびアレイカメラモジュールを提供することである。光フィルタホルダは、一体型ベースと係合するように適合された係合溝部を有するため、光フィルタホルダおよび一体型ベースの組み合わせの合計高さが低減し、光フィルタを感光要素により近接して配置することができる。
【００１６】
本発明の別の利点は、統合パッケージングプロセスに基づいたカメラモジュールおよびアレイカメラモジュールを提供することである。光フィルタホルダは、ホルダ本体と、下側から内方に伸長して支持溝部を規定する少なくとも１つの内方伸長アームとを含む。
【００１７】
本発明の別の利点は、統合パッケージングプロセスに基づいたカメラモジュールおよびアレイカメラモジュールを提供することである。光フィルタホルダは、ホルダ本体から長手方向に伸長する下方伸長アームを含む。内方伸長アームは、係合溝部および支持溝部がそれぞれ形成されるように、下方伸長アームから横方向に延びる。
【００１８】
本発明の別の利点は、統合パッケージングプロセスに基づいたカメラモジュールおよびアレイカメラモジュールを提供することである。一体型ベースは、外部と連通する少なくとも１つのノッチを有する。光フィルタホルダは、少なくとも１つの伸長縁を含む。これら少なくとも１つの伸長縁は、ノッチに対応し、一体型ベースの横方向厚さに適合する。
【００１９】
本発明の別の利点は、統合パッケージングプロセスに基づいたカメラモジュールおよびアレイカメラモジュールを提供することである。光フィルタホルダは、上方伸長周壁を含む。この上方伸長周壁は、均一軸を確保するように、アクチュエータまたはレンズの位置を制限することができる。
【００２０】
本発明の別の利点は、統合パッケージングプロセスに基づいたカメラモジュールおよびアレイカメラモジュールを提供することである。光フィルタホルダは、光フィルタが一体型ベース上へ直接取り付けられた際に一体型成型ベースへ付加される応力全てを回避することにより、光フィルタを保護することができる。
【００２１】
本発明の別の利点は、統合パッケージングプロセスに基づいたカメラモジュールおよびアレイカメラモジュールを提供することである。アレイカメラモジュールは、光フィルタホルダの一体型ピースを含む。この一体型ピースは、カメラモジュールユニットの一致を確保するように少なくとも２つの光フィルタをそれぞれ支持するように一体的に接続された少なくとも２つの光フィルタホルダを含む。
【００２２】
本発明のさらなる利点および特徴は、以下の記載から明らかになり、添付の請求項に記載の特定のポイントの組み合わせによって実現され得る。
【００２３】
本発明によれば、上記およびほかの目的および利点は、カメラモジュールによって達成される。このカメラモジュールは、少なくとも１つの一体型ベースアセンブリと、少なくとも１つの感光要素と、少なくとも１つのレンズと、少なくとも１つの光フィルタホルダと、少なくとも１つの光フィルタとを含む。一体型ベースアセンブリは、回路基板と、回路基板上に一体的にパッケージされた一体型ベースとを含む。感光要素は、回路基板へ動作可能に接続される。光フィルタホルダは、一体型成型ベース上に取り付けられ、感光要素へ光通路（感光経路）を提供する光学窓を形成し、これにより、レンズが感光要素の感光経路中にアラインされつつ、光フィルタが光フィルタホルダに取り付けられかつ感光要素の感光経路中にアラインされる。
【００２４】
いくつかの実施形態によれば、カメラモジュールの光フィルタホルダは、光フィルタホルダ本体と、少なくとも１つの内方伸長アームとを含む。少なくとも１つの内方伸長アームは、光フィルタの取付のための支持溝部を形成するように、光フィルタホルダ本体の一部から横方向に延びる。
【００２５】
いくつかの実施形態によれば、カメラモジュールの光フィルタホルダは、光フィルタホルダ本体と、少なくとも１つの下方伸長アームと、少なくとも１つの内方伸長アームとを含む。下方伸長アームは、一体型ベースと係合する係合溝部を形成するように光フィルタホルダ本体から下方に延びる。内方伸長アームは、光フィルタを支持する支持溝部を形成するように、下方伸長アームから横方向に延びる
【００２６】
いくつかの実施形態によれば、カメラモジュールの２つの内方伸長アーム間に角開口部が形成される。角開口部は、角開口部の位置における光束を増加させるように、光窓から外方に延びる。
【００２７】
いくつかの実施形態によれば、カメラモジュールの各下方伸長アームは、光フィルタホルダ本体から感光要素へ長手方向に延び、光フィルタの位置は下方に変位し、感光要素へ近接する。
【００２８】
いくつかの実施形態によれば、カメラモジュールの各内方伸長アームは、光フィルタのアセンブリ領域を低減させるように、下方伸長アームから横方向に延びる。
【００２９】
いくつかの実施形態によれば、カメラモジュールの一体型ベースは、光窓と連通する少なくとも１つの取付溝部と、光窓を外部と連通させる少なくとも１つのノッチとを有する。光フィルタホルダの光フィルタホルダ本体は、取付溝部と係合する少なくとも１つの係合縁と、ノッチ中に延びて密閉嵌めされる少なくとも１つの伸長縁とを含む。
【００３０】
いくつかの実施形態によれば、カメラモジュールの一体型ベースは、Ｕ字型構成を形成する３つの取付溝部を有する。光フィルタホルダの光フィルタホルダ本体は、３つの取付溝部それぞれと整合する対応するＵ字型構成を形成する３つの係合縁を含む。
【００３１】
いくつかの実施形態によれば、カメラモジュールの一体型ベースは、光窓と連通する２つの取付溝部と、光窓を外部と連通させる２つのノッチとを有する。光フィルタホルダの光フィルタホルダ本体は、２つの取付溝部それぞれと連結する２つの係合縁と、２つのノッチそれぞれの内部に延びて密閉嵌めされる２つの伸長縁とを含む。
【００３２】
いくつかの実施形態によれば、カメラモジュールの一体型ベースの２つの取付溝部は、対向側上に配置され、２つのノッチは、対向側に配置され、光フィルタホルダの２つの係合縁が相応に対向側に配置され、２つの伸長縁が対向側に配置される。
【００３３】
いくつかの実施形態によれば、カメラモジュールの一体型ベースの２つの取付溝部は相互に隣接し、２つのノッチは相互に隣接し、光フィルタホルダの２つの係合縁が相応に相互に隣接し、２つの伸長縁も相互に隣接する。
【００３４】
いくつかの実施形態によれば、カメラモジュールの一体型ベースは、光窓と連通する１つの取付溝部と、光窓を外部と連通させる３つのノッチとを有する。光フィルタホルダの光フィルタホルダ本体は、取付溝部と、３つのノッチそれぞれの内部に延びて密閉嵌めされる３つの伸長縁と連結される１つの係合縁を含む。
【００３５】
いくつかの実施形態によれば、カメラモジュールの一体型ベースは、上方伸長周壁を含む。上方伸長周壁は、光フィルタホルダ本体から上方に延びて保持チャンバを形成する。
【００３６】
いくつかの実施形態によれば、カメラモジュールの一体型ベースは、光フィルタホルダ本体から上方に延びて保持チャンバを形成する上方伸長周壁と、光フィルタホルダ本体から下方に延びて下ハウジングチャンバを形成する下方伸長周壁とを含む。
【００３７】
いくつかの実施形態によれば、カメラモジュールの光フィルタホルダは、感光要素の感光経路中にアラインされた光フィルタを受容する受容開口部を有する。
【００３８】
いくつかの実施形態によれば、カメラモジュールの一体型ベースは、基体を含む。基体は、回路基板上において一体的に成型されかつおよびパッケージされる。基体は、少なくとも１つの開口部を有する。光フィルタホルダは、基体に対して補助的なものであり、光窓を規定するように開口部とアラインされる。
【００３９】
いくつかの実施形態によれば、カメラモジュールの基体の開口部は、下部から上部にかけて徐々にサイズが大きくなる逆台形形状を有する。
【００４０】
いくつかの実施形態によれば、カメラモジュールの光フィルタホルダの少なくとも１つの部位は、回路基板へ接続される。
【００４１】
いくつかの実施形態によれば、カメラモジュールの光フィルタホルダは、少なくとも１つの伸長脚部を含む。この伸長脚部は、光フィルタホルダ本体から回路基板へ下方に一体的に延びて、一体型ベースの開口部中に嵌められて、光窓を密閉形成する。
【００４２】
いくつかの実施形態によれば、カメラモジュールの基体の開口部は、下部から上部にかけて徐々にサイズが大きくなる逆台形形状を有する。伸長脚部も、光フィルタホルダを開口部において所定位置に保持するように開口部の形状と整合する逆台形形状を有する。
【００４３】
いくつかの実施形態によれば、カメラモジュールは、少なくとも１つのアクチュエータを含む。このアクチュエータは、一体型ベースおよび光フィルタホルダへ少なくとも部分的かつ選択的に取り付けられ、レンズはアクチュエータと共に取り付けられる。
【００４４】
いくつかの実施形態によれば、カメラモジュールのレンズは、一体型ベースおよび光フィルタホルダへ少なくとも部分的かつ選択的に取り付けられる。
【００４５】
いくつかの実施形態によれば、カメラモジュールのレンズは、一体型ベースへ少なくとも部分的に取り付けられる。
【００４６】
いくつかの実施形態によれば、カメラモジュールの光フィルタは、ＩＲカットフィルタ、ブルーグラスフィルタ、およびウェーハレベルＩＲカットフィルタからなる群から選択される。
【００４７】
いくつかの実施形態によれば、一体型ベースの統合パッケージング様態は、成型パッケージングプロセスを通じて達成される。
【００４８】
いくつかの実施形態によれば、カメラモジュールの回路基板は、ベース基板と、ベース基板上に設けられた少なくとも１つの電子コンポーネントとを含む。一体型ベースは、ベース基板上に一体的にパッケージされ、電子コンポーネントを埋設させる。
【００４９】
いくつかの実施形態によれば、カメラモジュールの一体型ベースは、レンズの取付のためのレンズ穴を規定する鏡筒と共にさらに形成される。
【００５０】
いくつかの実施形態によれば、カメラモジュールの光フィルタホルダは、射出成形プロセスを通じて形成される。
【００５１】
いくつかの実施形態によれば、カメラモジュールの一体型ベースは、傾斜角度を規定する内面を有し、係合溝部は、傾斜角度に対応する係合角度を有する。
【００５２】
いくつかの実施形態によれば、カメラモジュールは、複数の一体型ベースアセンブリと、複数の感光要素と、複数のレンズと、複数の光フィルタホルダと、複数の光フィルタとを含み得る。各一体型ベースアセンブリは、一体型回路基板アセンブリを形成するように回路基板と一体的に形成され、一体型ベースは、ベースの一体型ピースを形成するように一体的に成型され、光フィルタホルダは、光フィルタホルダの一体型ピースを形成するように一体的に形成される。
【００５３】
いくつかの実施形態によれば、カメラモジュールの光フィルタホルダは、光フィルタホルダ本体の上部から少なくとも部分的に突出する少なくとも１つの保持突起部をさらに含む。
【００５４】
いくつかの実施形態によれば、保持突起部は、輪状になるような構造にされる。
【００５５】
いくつかの実施形態によれば、カメラモジュールは、アクチュエータを含む。レンズはアクチュエータと共に取り付けられ、アクチュエータは、保持突起部の外側に取り付けられるように保持される。
【００５６】
本発明の別の態様によれば、本発明は、アレイ状に配置された複数のカメラモジュールユニットを含むアレイカメラモジュールを提供する。各カメラモジュールユニットは、少なくとも１つの一体型ベースアセンブリと、少なくとも１つの感光要素と、少なくとも１つのレンズと、少なくとも光フィルタホルダと、少なくとも１つの光フィルタとを含む。一体型ベースアセンブリは、一体型ベースおよび回路基板を含む。一体型ベースは、回路基板上に一体的にパッケージされる。感光要素は、回路基板へ動作可能に接続され、光フィルタホルダは、一体型ベースと共に取り付けられ、感光要素へ光通路を提供する光学窓を形成する。光フィルタは、光フィルタホルダにおいて形成され、感光要素の感光経路中にアラインされ、レンズも感光要素の感光経路中にアラインされ、複数のカメラモジュールユニットの一体型ベースは、ベースの一体型ピースを提供するように一体的に形成される。
【００５７】
いくつかの実施形態によれば、複数の回路基板は、回路基板の一体型ピースを提供するように一体的に形成され、複数の光フィルタホルダは、光フィルタホルダの一体型ピースを提供するように一体的に形成される。いくつかの他の実施形態において、複数の回路基板は独立した回路基板であり、複数の光フィルタホルダは独立した光フィルタホルダであることが理解される。
【００５８】
いくつかの実施形態によれば、アレイカメラモジュールのベースの一体型ピースは、それぞれ内部に光窓が形成された複数のベース基板を含む。２つの隣接するベース基板は、接合部を提供するように一体的に形成され、光フィルタホルダの一体型ピースは、光フィルタそれぞれを組み立てるために光窓と連通する複数の支持溝部を有し、２つの隣接する光フィルタホルダは、ベースの一体型ピースの接合部上方に設けられたブリッジ部位を提供するように、一体的に形成される。
【００５９】
いくつかの実施形態によれば、アレイカメラモジュールの各光フィルタホルダは、光フィルタホルダ本体と、少なくとも１つの内方伸長アームとを含む。少なくとも１つの内方伸長アームは、光フィルタの取付のための支持溝部を形成するように、光フィルタホルダ本体の一部から横方向に延びる。
【００６０】
いくつかの実施形態によれば、アレイカメラモジュールの各光フィルタホルダは、光フィルタホルダ本体と、少なくとも１つの下方伸長アームと、少なくとも１つの内方伸長アームとを含む。下方伸長アームは、一体型ベースと係合する係合溝部を形成するように光フィルタホルダ本体から下方に延び、内方伸長アームは、光フィルタを支持する支持溝部を形成するように、下方伸長アームから横方向に延びる。
【００６１】
いくつかの実施形態によれば、アレイカメラモジュールの２つの内方伸長アーム間に角開口部が形成され、角開口部は、角開口部の位置において光束を増加させるように、光窓から外方に延びる。
【００６２】
いくつかの実施形態によれば、アレイカメラモジュールの各下方伸長アームは、光フィルタホルダ本体から感光要素へ長手方向に延び、光フィルタは、より低い位置において感光要素により近接して取り付けられ得る。
【００６３】
いくつかの実施形態によれば、アレイカメラモジュールの各内方伸長アームは、光フィルタのアセンブリ領域を低減させるように、下方伸長アームから横方向に延びる。
【００６４】
いくつかの実施形態によれば、アレイカメラモジュールの各一体型ベースは、光窓と連通する少なくとも１つの取付溝部と、光窓を外部と連通させる少なくとも１つのノッチとを有する。光フィルタホルダの光フィルタホルダ本体は、取付溝部と係合する少なくとも１つの係合縁と、ノッチ中に延びて密閉嵌めされる少なくとも１つの伸長縁とを含む。
【００６５】
いくつかの実施形態によれば、アレイカメラモジュールの各一体型ベースは、Ｕ字型構成を形成する３つの取付溝部を有する。光フィルタホルダの光フィルタホルダ本体は、３つの取付溝部それぞれと整合する対応するＵ字型構成を形成する３つの係合縁を含む。
【００６６】
いくつかの実施形態によれば、アレイカメラモジュールの各一体型ベースは、光窓と連通する２つの取付溝部および光窓を外部と連通させる２つのノッチを有する。光フィルタホルダの光フィルタホルダ本体は、２つの取付溝部それぞれと連結する２つの係合縁と、２つのノッチそれぞれの中へ延びて密閉嵌めされる２つの伸長縁とを含む。
【００６７】
いくつかの実施形態によれば、アレイカメラモジュールの各一体型ベースの２つの取付溝部は、対向側に配置され、２つのノッチは対向側に配置され、相応に、光フィルタホルダの２つの係合縁は対向側に配置され、２つの伸長縁は対向側に配置される。
【００６８】
いくつかの実施形態によれば、アレイカメラモジュールの各一体型ベースの２つの取付溝部は相互に隣接し、２つのノッチは相互に隣接し、相応に、光フィルタホルダの２つの係合縁は相互に隣接し、２つの伸長縁は相互に隣接する。
【００６９】
いくつかの実施形態によれば、アレイカメラモジュールの各一体型ベースは、光窓と連通する１つの取付溝部と、光窓を外部と連通させる３つのノッチとを有する。光フィルタホルダの光フィルタホルダ本体は、取付溝部と連結される１つの係合縁と、３つのノッチそれぞれの内部に延びて密閉嵌めされる３つの伸長縁とを含む。
【００７０】
いくつかの実施形態によれば、アレイカメラモジュールの各一体型ベースは、光フィルタホルダ本体から上方に延びて保持チャンバを形成する上方伸長周壁を含む。
【００７１】
いくつかの実施形態によれば、アレイカメラモジュールの各一体型ベースは、光フィルタホルダ本体から上方に延びて保持チャンバを形成する上方伸長周壁と、光フィルタホルダ本体から下方に延びて下ハウジングチャンバを形成する下方伸長周壁とを含む。
【００７２】
いくつかの実施形態によれば、アレイカメラモジュールの各一体型ベースは、回路基板上に一体的にパッケージされた基体を含む。基体は、回路基板へ延びる少なくとも１つの開口部を有する。光フィルタホルダの一体型ピースは、開口部中へ嵌められかつ回路基板へ接続する少なくとも１つの伸長脚部を含む。
【００７３】
いくつかの実施形態によれば、アレイカメラモジュールの伸長脚部は、光開口部の周囲を密閉するように、
光フィルタホルダ本体から回路基板へ延びる。
【００７４】
いくつかの実施形態によれば、アレイカメラモジュールの伸長脚部は、２つの光窓を分離および規定するように、２つの隣接する光窓間に延びる。
【００７５】
いくつかの実施形態によれば、アレイカメラモジュールの各光フィルタホルダは、光フィルタを感光要素の感光経路内にアラインさせるように光フィルタを受容する受容開口部を有する。
【００７６】
いくつかの実施形態によれば、アレイカメラモジュールは、ベースの一体型ピースおよび光フィルタホルダの一体型ピースへ少なくとも部分的かつ選択的に取り付けられた少なくとも１つのアクチュエータを含み、レンズは、オートフォーカスカメラモジュールを形成するように、アクチュエータと共に取り付けられる。
【００７７】
いくつかの実施形態によれば、アレイカメラモジュールの少なくとも１つのレンズは、固定焦点カメラモジュールを形成するように、ベースの一体型ピースおよび光フィルタホルダの一体型ピースへ少なくとも部分的かつ選択的に取り付けられる。
【００７８】
いくつかの実施形態によれば、アレイカメラモジュールのカメラモジュールユニットの少なくとも１つはオートフォーカスカメラモジュールであり、アレイカメラモジュールのカメラモジュールユニットの少なくとも１つは固定焦点カメラモジュールである。
【００７９】
いくつかの実施形態によれば、アレイカメラモジュールの少なくとも２つのカメラモジュールユニットは、オートフォーカスカメラモジュールである。
【００８０】
いくつかの実施形態によれば、アレイカメラモジュールの少なくとも２つのカメラモジュールユニットは、固定焦点カメラモジュールである。
【００８１】
いくつかの実施形態によれば、アレイカメラモジュールは、二重カメラモジュールを形成するように、２つのカメラモジュールユニットを含む。
【００８２】
別の態様によれば、本発明が提供する電子デバイスは、電子デバイス本体と、電子デバイス本体に設けられた１つ以上のカメラモジュールとを含む。
【００８３】
いくつかの実施形態によれば、電子デバイスの例を非限定的に挙げると、スマートフォン、ウェアラブルデバイス、コンピュータデバイス、テレビ、搬送装置、デジタルカメラおよび監視デバイスがある。
【００８４】
別の態様によれば、本発明が提供するアレイカメラモジュールは、少なくとも２つのレンズと、少なくとも２つの感光要素と、少なくとも２つの回路基板の一体型ピースと、少なくとも２つのベースの一体型ピースと、少なくとも２つの光フィルタと、少なくとも２つの光フィルタホルダとを含む。ベースの一体型ピースは、回路基板の一体型ピース上に一体的にパッケージされ、対応するレンズおよび感光要素それぞれのために２つの光通路を提供する少なくとも２つの光窓を形成し、光フィルタホルダ本体は、各光フィルタが各レンズと感光要素との間に配置されるように光フィルタを取り付けるために、ベースの一体型ピースに取り付けられる。
【００８５】
別の態様によれば、本発明が提供する電子デバイスは、電子デバイス本体と、電子デバイス本体に設けられた１つ以上のアレイカメラモジュールとを含む。
【００８６】
さらなる目的および利点が、以下の記載および図面を参照すれば明らかになる。
【００８７】
本発明の上記および他の目的、特徴および利点は、以下の詳細な説明添付の図面および添付の特許請求の範囲から明らかになる。
【図面の簡単な説明】
【００８８】
【図１Ａ】パッケージングプロセスを通じて製造された従来の回路基板アセンブリを示す。
【図１Ｂ】ＣＯＢプロセスを通じて製造された従来の回路基板アセンブリを示す。
【図２】本発明の第１の好適な実施形態によるカメラモジュールの断面図である。
【図３】本発明の上記第１の好適な実施形態によるカメラモジュールの分解図である。
【図４】本発明の上記第１の好適な実施形態によるカメラモジュールの主要コンポーネントの組立プロセスを示す。
【図５】本発明の上記第１の好適な実施形態の別の態様によるカメラモジュールの模式図である。
【図６】本発明の上記第１の好適な実施形態の別の代替的態様によるカメラモジュールの模式図である。
【図７】本発明の上記第１の好適な実施形態によるカメラモジュールの一体型ベースアセンブリおよび光フィルタホルダの第１の別の態様を示す断面図である。
【図８Ａ】本発明の上記第１の好適な実施形態によるカメラモジュールの一体型ベースアセンブリおよび光フィルタホルダの第２の別の態様を示す断面図である。
【図８Ｂ】本発明の上記第１の好適な実施形態によるカメラモジュールの一体型ベースアセンブリおよび光フィルタホルダの第２の別の態様の別の例を示す断面図である。
【図８Ｃ】本発明の上記第１の好適な実施形態による、カメラモジュールの一体型ベースアセンブリおよび光フィルタホルダの第２の別の態様の別の代替的例を示す断面図である。
【図９Ａ】本発明の上記第１の好適な実施形態によるカメラモジュールの光フィルタホルダの第３の別の態様を示す斜視図である。
【図９Ｂ】本発明の上記第１の好適な実施形態によるカメラモジュールの一体型ベースアセンブリおよび光フィルタホルダの別の代替的態様を示す模式図である。
【図１０Ａ】本発明の第２の好適な実施形態によるカメラモジュールの異なる方向からの断面図である。
【図１０Ｂ】本発明の第２の好適な実施形態によるカメラモジュールの異なる方向からの断面図である。
【図１１】本発明の上記第２の好適な実施形態によるカメラモジュールの一体型ベースアセンブリおよび光フィルタホルダの分解図である。
【図１２Ａ】異なる方向からの断面図であり、本発明の第２の好適な実施形態によるカメラモジュールの一体型ベースアセンブリおよび光フィルタホルダの別の態様を示す。
【図１２Ｂ】異なる方向からの断面図であり、本発明の第２の好適な実施形態によるカメラモジュールの一体型ベースアセンブリおよび光フィルタホルダの別の態様を示す。
【図１３Ａ】本発明の上記第２の好適な実施形態によるカメラモジュールの一体型ベースアセンブリおよび光フィルタホルダの別の態様を示す分解図である。
【図１３Ｂ】本発明の上記第２の好適な実施形態によるカメラモジュールの一体型ベースアセンブリおよび光フィルタホルダの別の代替的態様を示す模式図である。
【図１３Ｃ】図１３Ｂのアレイカメラモジュールの一体型ベースアセンブリおよび光フィルタホルダの分解図である。
【図１４】本発明の第３の好適な実施形態によるカメラモジュールの断面図である。
【図１５Ａ】本発明の第４の好適な実施形態によるカメラモジュールの異なる方向からの断面図である。
【図１５Ｂ】本発明の第４の好適な実施形態によるカメラモジュールの異なる方向からの断面図である。
【図１６Ａ】本発明の第５の好適な実施形態によるカメラモジュールの異なる方向からの断面図である。
【図１６Ｂ】本発明の第５の好適な実施形態によるカメラモジュールの異なる方向からの断面図である。
【図１７Ａ】本発明の第６の好適な実施形態によるカメラモジュールの異なる方向からの断面図である。
【図１７Ｂ】本発明の第６の好適な実施形態によるカメラモジュールの異なる方向からの断面図である。
【図１８Ａ】異なる方向からの断面図であり、本発明の上記第６の好適な実施形態によるカメラモジュールの別の態様を示す。
【図１８Ｂ】異なる方向からの断面図であり、本発明の上記第６の好適な実施形態によるカメラモジュールの別の態様を示す。
【図１９Ａ】本発明の第７の好適な実施形態によるカメラモジュールの異なる方向からの断面図である。
【図１９Ｂ】本発明の第７の好適な実施形態によるカメラモジュールの異なる方向からの断面図である。
【図２０Ａ】本発明の第８の好適な実施形態によるカメラモジュールの断面図である。
【図２０Ｂ】図２０Ｂは、本発明の上記第８の好適な実施形態によるカメラモジュールの別の断面図である。
【図２１】図２１は、本発明の上記第８の好適な実施形態によるカメラモジュールの分解図である。
【図２２】本発明の第９の好適な実施形態によるカメラモジュールの断面図である。
【図２３】本発明の第１０の好適な実施形態によるカメラモジュールの断面図である。
【図２４】本発明の上記の好適な実施形態によるカメラモジュールの適用を示す模式図である。
【図２５Ａ】本発明の第１１の好適な実施形態によるアレイカメラモジュールの異なる方向の断面図である。
【図２５Ｂ】本発明の第１１の好適な実施形態によるアレイカメラモジュールの異なる方向の断面図である。
【図２６】本発明の上記第１１の好適な実施形態によるアレイカメラモジュールの分解図である。
【図２７】本発明の上記第１１の好適な実施形態によるアレイカメラモジュールの光フィルタホルダの一体型ピースの斜視図である。
【図２８Ａ】本発明の上記第１１の好適な実施形態によるアレイカメラモジュールの別の例を示す断面図である。
【図２８Ｂ】本発明の上記第１１の好適な実施形態によるアレイカメラモジュールの別の例を示す断面図である。
【図２９Ａ】本発明の上記第１１の好適な実施形態によるアレイカメラモジュールの別の例を示す断面図である。
【図２９Ｂ】本発明の上記第１１の好適な実施形態によるアレイカメラモジュールの別の例を示す断面図である。
【図３０Ａ】本発明の上記第１１の好適な実施形態によるアレイカメラモジュールの別の態様を示す模式図である。
【図３０Ｂ】本発明の上記第１１の好適な実施形態によるアレイカメラモジュールの別の態様を示す模式図である。
【図３１】本発明の上記第１１の好適な実施形態によるアレイカメラモジュールのベースアセンブリの一体型ピースおよび光フィルタホルダの一体型ピースの第１の別の態様を示す断面図である。
【図３２Ａ】本発明の上記第１１の好適な実施形態によるアレイカメラモジュールの第２の別の態様を示す断面図である。
【図３２Ｂ】本発明の上記第１１の好適な実施形態によるアレイカメラモジュールのベースアセンブリの一体型ピースおよび光フィルタホルダの一体型ピースの第２の別の態様の別の例を示す模式図である。
【図３２Ｃ】本発明の上記第１１の好適な実施形態によるアレイカメラモジュールのベースアセンブリの一体型ピースおよび光フィルタホルダの一体型ピースの第２の別の態様の別の代替的例を示す模式図である。
【図３３Ａ】本発明の上記第１１の好適な実施形態によるアレイカメラモジュールのベースアセンブリの一体型ピースおよび光フィルタホルダの一体型ピースの第３の別の態様を示す模式図である。
【図３３Ｂ】本発明の上記第１１の好適な実施形態によるアレイカメラモジュールのベースアセンブリの一体型ピースおよび光フィルタホルダの一体型ピースの第４の別の態様を示す模式図である。
【図３４Ａ】本発明の第１２の好適な実施形態によるアレイカメラモジュールを示す異なる方向からの断面図である。
【図３４Ｂ】本発明の第１２の好適な実施形態によるアレイカメラモジュールを示す異なる方向からの断面図である。
【図３６Ｃ】本発明の上記第１２の好適な実施形態によるアレイカメラモジュールのベースの一体型ピースおよび光フィルタホルダの一体型ピースを示す分解図である。
【図３７Ａ】本発明の上記第１２の好適な実施形態によるアレイカメラモジュールのベースアセンブリの一体型ピースおよび光フィルタホルダの一体型ピースの斜視図である。
【図３７Ｂ】図３７Ａのアレイカメラモジュールのベースアセンブリの一体型ピースおよび光フィルタホルダの一体型ピースの分解図である。
【図３８Ａ】異なる方向からの断面図であり、本発明の第１３の好適な実施形態によるアレイカメラモジュールを示す。
【図３８Ｂ】異なる方向からの断面図であり、本発明の第１３の好適な実施形態によるアレイカメラモジュールを示す。
【図３９】本発明の上記第１３の好適な実施形態による、アレイカメラモジュールのベースの一体型ピースおよび光フィルタホルダの一体型ピースを示す分解図である。
【図４０Ａ】異なる方向からの断面図であり、本発明の第１４の好適な実施形態によるアレイカメラモジュールを示す。
【図４０Ｂ】異なる方向からの断面図であり、本発明の第１４の好適な実施形態によるアレイカメラモジュールを示す。
【図４１】本発明の上記第１４の好適な実施形態によるアレイカメラモジュールのベースの一体型ピースおよび光フィルタホルダの一体型ピースを示す分解図である。
【図４２Ａ】異なる方向からの断面図であり、本発明の上記第１４の好適な実施形態によるアレイカメラモジュールの別の態様を示す。
【図４２Ｂ】異なる方向からの断面図であり、本発明の上記第１４の好適な実施形態によるアレイカメラモジュールの別の態様を示す。
【図４３】本発明の上記第１４の好適な実施形態によるアレイカメラモジュールのベースの一体型ピースおよび光フィルタホルダの一体型ピースの別の態様を示す分解図である。
【図４４Ａ】異なる方向からの断面図であり、本発明の上記第１５の好適な実施形態によるアレイカメラモジュールを示す。
【図４４Ｂ】異なる方向からの断面図であり、本発明の上記第１５の好適な実施形態によるアレイカメラモジュールを示す。
【図４５】本発明の上記第１５の好適な実施形態によるアレイカメラモジュールのベースの一体型ピースおよび光フィルタホルダの一体型ピースを示す分解図である。
【図４６Ａ】本発明の上記第１５の好適な実施形によるアレイカメラモジュールの別の態様を示す異なる方向からの断面図である。
【図４６Ｂ】本発明の上記第１５の好適な実施形によるアレイカメラモジュールの別の態様を示す異なる方向からの断面図である。
【図４７】本発明の上記第１５の好適な実施形態によるアレイカメラモジュールのベースの一体型ピースおよび光フィルタホルダの一体型ピースの別の態様を示す分解図である。
【図４８Ａ】異なる方向からの断面図であり、本発明の第１６の好適な実施形態によるアレイカメラモジュールを示す。
【図４８Ｂ】異なる方向からの断面図であり、本発明の第１６の好適な実施形態によるアレイカメラモジュールを示す。
【図４９】本発明の上記第１６の好適な実施形態によるアレイカメラモジュールのベースの一体型ピースおよび光フィルタホルダの一体型ピースを示す分解図である。
【図５０Ａ】本発明の第１７の好適な実施形態によるアレイカメラモジュールを示す異なる方向からの断面図である。
【図５０Ｂ】本発明の第１７の好適な実施形態によるアレイカメラモジュールを示す異なる方向からの断面図である。
【図５１】本発明の上記第１７の好適な実施形態によるアレイカメラモジュールを示す分解図である。
【図５２】本発明の第１８の好適な実施形態によるアレイカメラモジュールの断面図である。
【図５３】本発明の第１９の好適な実施形態によるアレイカメラモジュールの断面図である。
【図５４Ａ】本発明の第２０の好適な実施形態によるアレイカメラモジュールの断面図である。
【図５４Ｂ】本発明の第２１の好適な実施形態によるアレイカメラモジュールの断面図である。
【図５５】本発明の上記の好適な実施形態によるアレイカメラモジュールの適用を示す模式図である。
【発明を実施するための形態】
【００８９】
以下の記載は、当業者による本発明の作製および利用を可能にするために開示されるものである。以下に記載される好適な実施形態はひとえに例示であり、改変例が当業者に明らかである。以下の記載中に規定される一般的原理は、本発明の意図および範囲から逸脱することなく他の実施形態、代替例、改変例、相当例および応用へ適用される。
【００９０】
当業者であれば、本発明の開示において、「長手方向」、「横方向」、「上」、「前」、「後」、「左」、「右」、「垂直」、「水平」、「上」、「下」、「内側」、「外側」などの用語は、ひとえに添付図面に示す方向または位置に関連して相対的な方向または位置を示すものであり、（記載のデバイスまたは要素を特有の方向に配置する必要があるかまたは特有の方向において動作または構成する必要があるのではなく）本発明の記載を促進しかつ記載を簡潔にするためのものに過ぎないことを理解する。そのため、記載の用語は、本発明を限定するものとして解釈されるべきではない。
【００９１】
「ａ」または「ａｎ」の用語は、「少なくとも１つ」または「１つ以上」として理解されることが理解される。換言すれば、一実施形態において、要素の数は１であり得、他の実施形態において、要素の数は１を超え得る。「ａ」または「ａｎ」の用語は、数の制限として解釈されない。
【００９２】
成型パッケージングプロセスは、カメラモジュール分野において新規開発された重要な応用プロセスである。成型またはパッケージングプロセスは、他の分野においても周知であり得るが、カメラモジュール分野（特に、複数のレンズおよび高解像度を用いた現在の一般的なカメラモジュール）において周知である。成型パッケージングプロセスは、その利点および重要性を示し始めたばかりであり、現在利用可能になっている。ＣＯＢプロセスによってパッケージされた従来のカメラモジュールと比較して、成型パッケージングプロセスに基づいて製造されたカメラモジュールの場合、成型パッケージングプロセスによるホルダ形成により従来の独立したホルダに代替することができるため、カメラモジュールのサイズ低減および平坦な取付表面の提供などの利点が得られる。しかし、成型パッケージングプロセスによって形成されたホルダの場合、元々のホルダの責任（例えば、光フィルタ取付の責任）を占有せざるを得ない。上記したように、成型パッケージングプロセスによって形成されたホルダの場合、光フィルタとの直接取り付けには不適切である。他方、回路基板上の感光要素および電子コンポーネントの構成は、カメラモジュールのサイズに悪影響を有する。しかし、本発明によれば、統合パッケージングプロセスに基づいたカメラモジュールおよびアレイカメラモジュールと、光フィルタホルダとが提供される。よって、従来のホルダの機能を受け持つために、光フィルタホルダが一体型ベースと協働するように光フィルタホルダがカメラモジュールおよびアレイカメラモジュール中に導入される。そのため、成型パッケージングプロセスなどの統合パッケージングプロセスを適用する場合、統合パッケージングプロセスの取付問題の構成、および回路基板上のコンポーネント構成の最適化を構成するように、良好な取付条件を光フィルタ、アクチュエータまたはレンズへ提供することができ、これにより、回路基板周囲の空間をふるに有効活用することができ、よってカメラモジュールのサイズをさらに低減させることができる。
【００９３】
図面の図２〜図４を参照して、本発明の第１の実施形態によるカメラモジュールが図示される。このように、対象物体の画像獲得および再生を達成するように電子デバイスと協働するように、カメラモジュール１００を多様な電子デバイス（例を非限定的に挙げると、スマートフォン、ウェアラブルデバイス、コンピュータデバイス、テレビ、搬送装置、デジタルカメラ、監視デバイス）に採用することができる。
【００９４】
図２〜図４に示すように、本発明の第１の実施形態によるカメラモジュール１００は、一体型ベースアセンブリ１０と、感光要素２０と、レンズ３０と、光フィルタホルダ４０と、光フィルタ５０とを含む。
【００９５】
一体型ベースアセンブリ１０は、一体型ベース１１および回路基板１２を含み、一体型ベース１１は、回路基板１２上に一体的にパッケージされる。例えば、非限定的に、一体型ベース１１は、成型プロセスを通じて回路基板１２上に一体的にパッケージされる。光フィルタホルダ４０は、従来のカメラモジュールの接着剤によって回路基板へ接着する必要のあるホルダまたはサポータに代替し得る一体型ベース１１および光フィルタホルダ４０が（本発明においてそのような接着手順が不要となるように）協働するように、一体型ベース１１に取り付けられるように適合される。よって、感光要素２０は、一体型ベースアセンブリ１０の回路基板１２へ電気的に接続され、光フィルタホルダ４０は、一体型ベースアセンブリ１０と共に取り付けられ、レンズ３０は、感光要素２０の感光経路中に配置される。
【００９６】
一体型ベース１１は、光窓１１１を有し、中央部において光窓１１１を規定する基体１１２を含む。光窓１１１は、感光要素２０のための光通路を提供する。基体１１２は、回路基板１２と共に一体的にパッケージされるように成型される。より詳細には、本実施形態によれば、光窓１１１は、レンズ３０の内側筐体を密閉する周囲を提供するように、基体１１２の内側周壁によって規定される。回路基板１２は、ベース基板１２１と、ＳＭＴ接着プロセスを通じてベース基板上に取り付けられる複数の電子コンポーネント（例を非限定的に挙げると、抵抗器、コンデンサ、ドライブ）とを含む。この好適な実施形態によれば、一体型ベース１１は、粉塵および粒子が電子コンポーネント１２２に付着して感光要素２０を汚染させ、画像品質に悪影響を与えるという従来のカメラモジュールにおける問題を回避するように、内部に埋設された電子コンポーネント１２２と共にベース基板１２１上に一体的にパッケージされるように成型される。他の実施形態において、電子コンポーネント１２２がベース基板１２１中に埋設され得る（すなわち、電子コンポーネント１２２は外部へ露出しない）ことが理解される。回路基板１２のベース基板１２１は、ＰＣＢ剛性基板、ＰＣＢ可撓性基板、剛性／可撓性の基板、セラミックス基板などであり得る。この好適な実施形態によれば、一体型ベース１１は、完全に埋設され得、これらの電子コンポーネント１２２を被覆することができ、これにより、電子コンポーネント１２２をベース基板１２１中に埋設する必要がなくなり、ベース基板１２１が導電回路の形成のみに用いられる。そのため、製造されている最終的な一体型ベースアセンブリ１０の厚さは、比較的肉薄にすることができる点に留意されたい。
【００９７】
電子コンポーネント１２２は、いくつかの実施形態において感光要素２０の周囲に配置され得、他のいくつかの実施形態において、感光要素２０の位置、電気的接続要素２０３の位置および光フィルタホルダ４０の形状と協働するように、片側または両側に配置するなどの他の異なる要求に従って設計および構成してもよい点に留意されたい。よって、カメラモジュールのサイズを実質的に最小化させるように、ベース基板１２１の上方の空間の利用が最適化される。しかし、当業者であれば、電子コンポーネント１２２の位置および構成は、本発明の上記の実施形態において限定されないことを理解する。電子コンポーネント１２２の位置は異なり得るため、断面図中の電子コンポーネント１２２は図示していない場合があるか、または片側のみに示している場合がある点に留意されたい。理解および記載の促進のため、電子コンポーネント１２２は、例えば本発明の図示の図面のみに図示されている。しかし、図示および記載は、本発明において限定的なものとして解釈されるべきではない。
【００９８】
より詳細には、ベース基板１２１は。レンズ３０に対向する上面１２１１と、レンズ３０と反対側の下面１２１２とを有する。感光要素２０は、レンズ３０に対向する前面２０１と、レンズ３０と反対側にありかつベース基板１２１の上面１２１１の上面１２１１の上方に配置された後面２０２とを有する。感光要素２０は、少なくとも１つの電気的接続要素２０３（例を非限定的に挙げると、金配線、銀配線、銅配線およびアルミニウム配線）を通じて、ベース基板１２１へ電子的に接続される。電気的接続要素２０３は、感光要素２０の片側、両側、３つの側部または４つの側部において配置され得る。本発明のいくつかの図面によれば、電気的接続要素２０３は、感光要素２０の４つの側部に配置されるものとして図示されている。しかし、他の実施形態において、電気的接続要素２０３は、感光要素２０の片側、両側または３つの側部に配置され得る。当業者であれば、電気的接続要素２０３の数、位置および種類は、本発明において限定されないことを理解する。
【００９９】
感光要素２０は、感光要素２０を金配線などを介してベース基板１２１と電気的に接続させることにより、プロセス（例を非限定的に挙げると、ＳＭＴ（面実装技術）プロセスまたはＣＯＢ（チップオンボード）プロセス）を通じてベース基板上に取り付けられ得る。もちろん、他の実施形態において、感光要素２０は、他の接続方法（例えば、埋設方法またはＦＣ（フリップチップ）方法）を介してベース基板へ接続され得る。当業者であれば、感光要素２０と、回路基板１２との間の接続および取付方法は、本発明において限定されないことを理解する。
【０１００】
より詳細には、感光要素２０の前面２０１は、感光領域１３１１と、感光領域１３１１の周囲に配置された非感光領域１３１２とを有する。感光領域１３１１は、光信号が電気信号へ変換される感光性性能に用いられ、非感光領域１３１２は、電気信号を回路基板１２へ送信する要素２０３を接続することにより、回路基板１２へ電気的に接続される。レンズ３０は、光軸が同軸に配置されるように感光要素２０へ光学的に連結され、これにより、光ビームがレンズ３０を通過して光窓１１１を介して感光要素２０に到達した後、感光要素２０による光変換プロセスを受け、電気信号は回路基板１２へ送信され、これにより、カメラモジュール１００が画像情報をキャプチャすることができる。
【０１０１】
図２および図３に示すように、カメラモジュール１００の光フィルタ５０は、レンズ３０を通過した光ビームをフィルタリングするために用いられ、例を非限定的に挙げると、ＩＲカットフィルタ、ブルーグラス光フィルタ、ウェーハレベルＩＲカットフィルタ、フルスペクトルの光フィルタ、および可視光をフィルタリングする光フィルタがある。光フィルタ５０は、光フィルタホルダ４０に取り付けられ、感光要素２０の光通路に沿って配置される。カメラモジュールは、アクチュエータ６０（例えば、ボイスコイルモータまたは圧電モータ）をさらに含み得る。レンズ３０は、ＡＦ（オートフォーカス）カメラモジュールを形成するように、アクチュエータ６０と共に取り付けられる。アクチュエータ６０は、アクチュエータ６０を回路基板１２へ動作可能に接続させるように配置された少なくとも１つのピン６１を含む。少なくとも１つのピン６１は、単一のピン、二重ピン、１列のピンまたは２列のピンとして具現化され得る。本発明の図中、２つのピンが図示されているが、これは本発明を制限しない。ピン６１は、回路基板１２の縁に隣接して配置されることが多い。図３は、線Ａ−Ａに沿った断面図であり、図２の断面図に対応する。ピン６１は、図２の断面図中に実際に図示されていないが、理解および記載を容易にするために、対応する断面図中のピン６１の存在を例示するために破線が用いられる。当業者であれば、ピン６１の種類、形状および位置は、本発明において限定されないことを理解する。
【０１０２】
図２〜図４を参照して、光フィルタ５０は、光フィルタホルダ４０中に取り付けられ、一体型ベース１１の光窓１１１中に配置される。一体型ベースアセンブリ１０の一体型ベース１１は上面１１３を有し、光フィルタホルダ４０は一体型ベース１１の上面１１３へ取り付けられ、アクチュエータ６０が光フィルタホルダ４０に取り付けられる。本発明の本実施形態によれば、一体型ベースの上面１１３は、平坦な表面として構成される。換言すれば、一体型ベース１１は、突出ステップを含まない平坦なステップ構造を形成し、光フィルタホルダ４０は、平坦なステップ構造に取り付けられる。本構成において、一体型ベース１１の上面１１３は、明確な屈曲角無しに平坦に延びるため、統合パッケージングプロセス（例えば、成型プロセス）時において、比較的平坦な取付表面がぼやけ無しに得られ、光フィルタホルダ４０について比較的良好な平坦な取付条件が得られる点に留意されたい。
【０１０３】
光フィルタ５０（例えば、ブルーグラス光フィルタ）は脆弱であり、損傷し易いが極めて高価であるため、カメラモジュールの製造プロセス時において光フィルタ５０を保護することが極めて重要である点に留意されたい。本発明において、一体型ベース１１は、成型プロセス（例えば、射出成形プロセスまたは圧縮成型プロセス）を通じて製造される。光フィルタホルダ４０が光フィルタ５０を支持できる充分な強度を有する限り、光フィルタホルダ４０の材料は制限されない。好適には、光フィルタホルダ４０および一体型ベース１１は、異なるプロセスによって製造することができる。例えば、光フィルタホルダ４０は射出成形プロセスにおいて形成され、一体型ベース１１は転送圧縮成型プロセスによって製造されるため、異なる材料を光フィルタホルダ４０および一体型ベース１１の製造のためにそれぞれ用いることができるため、光フィルタホルダ４０および一体型ベース１１に対して異なる剛性および表面可撓性が付与される。例えば、光フィルタホルダ４０はより高い可撓性を有し得るため、光フィルタ５０が光フィルタホルダ４０に取り付けられると、光フィルタ５０が一体型ベース１１に取り付けられた際の状況と比較してより低い衝撃力に耐えるため、光フィルタホルダ４０の方が、光フィルタ５０の損傷または倒壊を回避するように光フィルタ５０を取り付ける際に実際により有用である。換言すれば、光フィルタホルダ４０は、光フィルタ５０への外部からの影響を軽減することができる（例えば、光フィルタ５０が一体型ベース１１へ直接接着された際に影響を回避することができる）。
【０１０４】
より詳細には、光フィルタホルダ４０は、光フィルタ５０を取り付けるための上側に設けられた少なくとも１つの支持溝部４１と、一体型ベース１１と共に取り付けられるように下側に設けられた少なくとも１つの係合溝部４２とを有する。支持溝部４１は、光フィルタ５０を受容する受容開口部４１１を規定する光窓１１１と連通する。係合溝部４２は、光フィルタホルダ４０の下周囲に沿って円形に配置される。換言すれば、光フィルタホルダ４０は、光フィルタ５０を受容する受容開口部４１１を有するため、光フィルタ５０は、感光要素２０の感光経路に沿って配置される。
【０１０５】
光フィルタ５０は、光フィルタホルダ４０に対する光フィルタ５０の相対的高さが低減するように支持溝部４１中に取り付けられ、これにより、光フィルタ５０は光フィルタホルダ４０よりも上方に突出しないかまたは光フィルタホルダ４０から比較的小さな部位のみを有する点に留意されたい。そのため、カメラモジュール１００の全体的高さは増加せず、光フィルタ５０もレンズ５０またはアクチュエータ６０と容易に接触しない
【０１０６】
換言すれば、支持溝部４１は内側封入空間を形成するため、感光要素２０の光路中の光フィルタホルダ４０内に光フィルタ５０を取り付けると簡便である。係合溝部４２は、一体型ベース１１と係合する外周の空間を形成し、一体型ベース１１は、光フィルタホルダ４０の取付位置を提供する。
【０１０７】
より詳細には、係合溝部４２は、一体型ベース１１と連結するような形状および構成にされるため、光フィルタホルダ４０は、一体型ベース１１においてしっかりと取り付けられる。
【０１０８】
より詳細には、図２〜図４に示すように、光フィルタホルダ４０は、内部に受容開口部４１１が規定された光フィルタホルダ本体４３と、少なくとも１つの内方伸長アーム４４および少なくとも１つの下方伸長アーム４５とを含む。少なくとも１つの下方伸長アーム４５は、受容開口部４１１を周囲において規定する内側の少なくとも一部から下方に延びる（すなわち、光フィルタホルダ本体４３から長手方向に延びる）。少なくとも１つの内方伸長アーム４４は、光フィルタ５０の光窓１１１内における取付位置を確保するように、下方伸長アーム４５から内方に延びる。内方伸長アーム４４は、光フィルタ５０への水平（横方向）取付位置を提供するために、下方伸長アーム４５から横方向に延び、これにより、光フィルタ５０の光軸および感光要素の光軸が同軸に配置される。図示の実施形態によれば、光フィルタホルダ４０は、４つの一体的に接続された内方伸長アーム４４と、４つの一体的に接続された下方伸長アーム４５とを含む。４つの内方伸長アーム４４および４つの下方伸長アーム４５は、前方位置、後方位置、左側位置および右側位置、４つの側方位置から一体的に延びて、輪状の一体型光フィルタホルダ４０を形成する
【０１０９】
換言すれば、下方伸長アーム４５は、光フィルタホルダ本体４３の内側から一体的に延びて、一体型ベース１１と係合するように、光フィルタホルダ本体４３の下側において外側係合溝部４２を規定する。内方伸長アーム４４は、下方伸長アーム４５の内側から内方に横方向に一体的に延びて、それぞれ支持溝部４１を内方伸長アーム４４の上方に規定し、光フィルタ５０を支持する下方伸長アーム４５によって包囲される。
【０１１０】
一実施形態において、光フィルタホルダ４０の係合溝部４２は、一体型ベース１１の光窓１１１の形状に対応する形状を有する。支持溝部４２の形状は、光フィルタホルダ５０の形状と整合する。詳細には、光フィルタ５０は四角構造を有し、支持溝部４２が輪状形状（例えば、四角輪状形状）を有する様子が平面図中に図示される。
【０１１１】
光フィルタホルダ４０は、光フィルタ５０を受容する受容開口部４１１を提供し、これにより、光フィルタ５０が感光要素２０の感光経路中に配置される。より詳細には、光フィルタホルダ本体４３と、下方伸長アーム４５との間に、受容開口部４１１が形成される。換言すれば、各内方伸長アーム４４が延びる長さにより、光フィルタ５０の必要な最良面積が決定される。図１Ａに示すようなパッケージング部１は、本発明の内方伸長アーム４４をパッケージングプロセスによって一体的に形成することができないため、比較的大きなサイズの光フィルタ４が必要になるかまたは図１Ｂに示すように回路基板２へ接着された従来のホルダ７と共に用いられる光フィルタ４と比較して比較的大きな光フィルタが必要になる点に留意されたい。しかし、本発明においては、各内方伸長アーム４４は内方に延びるため、光フィルタ５０の必要なサイズが低減し、よって光フィルタホルダ４０の利点および統合パッケージング技術の恩恵が本発明において可能になる。
【０１１２】
例えば、図２に示すように、Ｌは、２つの反対側の内方伸長アーム４４間の距離を示し、光フィルタ５０の寸法は、Ｌよりも若干大きければよい。光フィルタ５０は、一体型ベース本体１１２において支持されるのではなく内方伸長アーム４４のみにおいて支持すればよいため、本発明によれば、光フィルタ５０の必要なサイズが低減する。
【０１１３】
各下方伸長アーム４５の延びる距離により、光窓１１１内に取り付けられる光フィルタ５０の下方距離が制御され、各内方伸長アーム４４の内方に延びる距離により、光フィルタ５０のサイズおよび上面積が制御される点に留意されたい。例えば、各下方伸長アーム４５の延びる距離がより大きいほど、光フィルタ４０をより深く光窓１１１内に取り付けることができ、光フィルタ５０と感光要素２０との間の距離が短いほど、カメラモジュールのバックフォーカス長さもより小さく構成することができる。各内方伸長アーム４４の延びる距離が大きいほど、より小さなサイズの光フィルタホルダ４０の受容開口部４１１が形成され、必要な光フィルタの上面積も小さくなるため、組立プロセスを簡潔化させるだけでなくカメラモジュール１００のコストも低減させる本発明の適切な光フィルタ５０を得ることがより簡便である。もちろん、各下方伸長アーム４５の下方に延びる距離は、バックフォーカス長さを低減しつつ、カメラモジュールの画像品質（例えば、ダークスポット（例えば、粉塵の画像）の回避）も考慮に入れる必要がある。内方伸長アーム４４の延びる距離は、カメラモジュール１００の光路、感光領域１３１１のおよび感光要素２０の非感光領域１３１２のレイアウト、回路基板１２のマージン幅も考慮に入れる必要がある。例えば、比較的より小さな光フィルタ５０が用いられる条件において各内方伸長アーム４４が内方に延びると、光束の過度な遮断を回避するために各内方伸長アーム４４も感光要素２０の感光領域１３１１を遮断するべきではない。回路基板１２はパッケージング後により大きな残留空間を有するため、内方伸長アーム４４はこのような残留空間の位置へより伸長し得、回路１２はパッケージング後により小さな残留空間より広い空間を有するため、内方伸長アーム４４の伸長距離が小さくなり得るため、カメラモジュールの撮像品質を確保しつつ、光フィルタ５０のサイズが最小化される。
【０１１４】
光フィルタホルダ４０は、一体型ベース１１と連結されかつ一体型ベース１１に対応するような形状にされる。いくつかの実施形態において、一体型ベース１１は、実質的に規則的な対称構造（例えば、四角輪状）を有する。よって、光フィルタホルダ４０は、光フィルタホルダ本体４３が対称構造を有する対称構成を持つような構造にされるため、内方伸長アーム４４はそれぞれ均一な形状を有し、下方伸長アーム４５もそれぞれ、均一な形状を有する。いくつかの他の実施形態によれば、埋設すべき電子コンポーネントの位置が異なるため、一体型ベース１１は、異なる幅を有する内方突出部を持ち得る。よって、一体型ベース１１の形状および感光要素２０の位置に適合するように、光フィルタホルダ本体４３へ対応する溝部または突出が付与され得、あるいは内方伸長アーム４４の長さが異なり、これにより、光フィルタ５０の取付が促進される。
【０１１５】
いくつかの実施形態によれば、接着剤の接着により光フィルタホルダ４０を一体型ベース５０へ接着させることができ、光フィルタホルダ４０の平坦性を確保するように、接着剤の厚さを調節および制御することができる。
【０１１６】
本発明の本実施形態によれば、一体型ベース１１は、回路基板１２の上面１２１１上に密閉パッケージされる点に留意されたい。しかし、本発明の他の実施形態において、成型された一体型ベース１１を回路基板１２の側面および／または下面へ延ばしてもよい。当業者であれば、一体型ベース１１の統合パッケージング領域は、本発明において制限されないことを理解する。
【０１１７】
いくつかの実施形態によれば、一体型ベースアセンブリ１０およびカメラモジュール１００の光フィルタホルダ４０の組立プロセス時において、図４に示すように、一体型ベース１１が先ずベース基板１２１上に形成される。次に、光フィルタ５０が光フィルタホルダ４０に取り付けられる。最後に、光フィルタホルダ４０が光フィルタ５０と共に一体型ベース１１に取り付けられる。よって、光フィルタ５０の取付を比較的容易に達成することができる。
【０１１８】
本発明の本実施形態によれば、ベース基板１２１は平坦な基板であり、感光要素２０はベース基板１２１の上面１２１１へ取り付けられる点にさらに留意されたい。別の実施形態において、ベース基板１２１は凹型受容スロットを有し得、感光要素２０は受容スロット中に受容され得るため、ベース基板１２１の上方に突出する感光要素２０の部位の高さが低減する。さらに別の実施形態において、ベース基板１２１は、ベース基板１２１の厚さを貫通するスルーホールを有し得、感光要素２０はスルーホール内に受容され、感光要素２０のベース基板１２１に対する相対的位置は調節可能であるため、例えば感光要素２０の上面がベース基板１２１の上面１２１１と同一面内になり得るか、または、感光要素２０の下面がベース基板１２１の下面１２１２と同一面内になり得る。別の実施形態において、ベース基板１２１は、ステップ構造を有する通路を有し得、感光要素２０は、通路内にフリップチップ様態で取り付けられる。別の実施形態において、ベース基板１２１は強化穴を有し得、一体型ベース１１である成型部は、一体型ベースアセンブリ１０の構造強度を増加させるように強化穴中へ延び得る。別の実施形態において、回路基板１２は、一体型ベースアセンブリ１０の構造強度および放熱性能を向上させるように比較的より肉薄の厚さと共にベース基板１２１の下側において重複した後基板を含み得、後基板の例を非限定的に挙げると、金属プレートがある。別の実施形態において、一体型ベースアセンブリ１０は、電磁遮蔽層を含み得る。この電磁遮蔽層は、電磁干渉防止性能を高めるように、一体型ベース１１の外側においてコーティングされるかまたは一体型ベース１１の内側周囲に設けられる、他のいくつかの実施形態において、回路基板１２は、一体型ベースアセンブリ１０の異なる性能を追加するように他の別の態様を有し得る。しかし、当業者であれば、回路基板１２の構造的な別の態様は、本発明の範囲において限定されないことを理解する
【０１１９】
本発明の上記の好適な実施形態によれば、図２〜図４に示すように、光フィルタホルダ４０は一体型ベース１１において取り付けられ、アクチュエータ６０は光フィルタホルダ４０に取り付けられる。換言すれば、光フィルタホルダ４０は、アクチュエータ６０と、一体型ベース１１との間に設けられる。本発明の別の好適な実施形態において、図５に示すように、光フィルタホルダ４０およびアクチュエータ６０は、一体型ベース１１の上面１１３上に取り付けることができる。より詳細には、光フィルタホルダ４０は、一体型ベース１１の内側に隣接した位置において一体型ベース１１へ取り付けられ、アクチュエータ６０は、一体型ベース１１の外側に隣接する位置において一体型ベース１１へ取り付けられ、これにより、アクチュエータ６０および光フィルタホルダ４０が協働して、一体型ベース１１の上面１１３を共有する。
【０１２０】
本発明の上記の好適な実施形態による」カメラモジュール１００はアクチュエータ６０を含み、レンズ３０は、焦点距離の自動調節が可能なＡＦカメラモジュールを形成するようにアクチュエータ６０に取り付けられる点に留意されたい。本発明の別の実施形態において、図６に示すように、カメラモジュール１００はアクチュエータ６０を含み得ないため、ＦＦ（固定焦点）カメラモジュールが設けられ、レンズ３０は、光フィルタホルダ４０において直接取り付けられ得る。当業者であれば、カメラモジュール１００の種類は本発明において限定されないことを理解する。
【０１２１】
当業者であれば、光フィルタホルダ４０を従来のホルダの製造プロセスを用いて製造することができ、光フィルタホルダ４０の特定の作用は、一体型ベース１１の特有の作用に従って設計されることを理解する。例えば、光フィルタホルダ４０は、射出成形プロセスまたは他の組立プロセス（例えば、接着プロセス）を通じて製造される。
【０１２２】
光フィルタホルダ４０の部分（すなわち、光フィルタホルダ本体４３、内方伸長アーム４４および下方伸長アーム４５）は、同一材料によって構成され得、一体型本体として一体的に形成してもよいし、あるいは、一体的に接続された異なる材料によって構成してもよい点に留意されたい。説明を簡潔にするために、異なる部分を示すために異なる影が用いられるが、光フィルタホルダ４０の材料および構造を制限するものとして解釈されることを意図していない。
【０１２３】
光フィルタホルダ４０は、光フィルタ５０の取付に用いることができ、レンズ３０またはアクチュエータ６０の取付にも用いることができる点に留意されたい。当業者であれば、光フィルタホルダ４０へ取り付けられるコンポーネントは制限されないことを理解する。
【０１２４】
図７を参照して、本発明の第１の好適な実施形態による一体型ベースアセンブリおよび光フィルタホルダの別の態様が図示される。この別の態様において、一体型ベース１１Ａの内面は、下部から上部へ傾斜して延びて、光路に沿ってサイズが徐々に大きくなる光窓１１１Ａを形成する。より詳細には、一体型ベース１１Ａは、カメラモジュール１００の長手方向光軸に対する傾き角度αを規定する内面１１４Ａを有するため、光窓１１１Ａの開口部のサイズが大きくなり、一体型ベース１１Ａの製造が容易になる。傾き角度αは、３°〜３０°の範囲である。いくつかの実施形態において、傾き角度αの値は、３°〜１５°、１５°〜２０°、または２０°〜３０°である。相応に、光フィルタホルダ４０Ａの係合溝部４２Ａは、傾き角度αに対応する係合角度α１を規定するため、係合溝部４２Ａの形状が内面１１４Ａの傾斜形状に適合し、よって光フィルタホルダ４０Ａをより安定して取り付けることができる。
【０１２５】
換言すれば、各下方伸長アーム４５Ａは、長手方向に傾斜して下方に光フィルタホルダ本体４３Ａから延びて、傾き角度αに対応する係合角度α１を規定する。各内方伸長アーム４４Ａは、光フィルタホルダ本体４３Ａから横方向に（水平に）延びて、９０°よりも大きい支持角度βを規定して、光フィルタ５０の組立を容易化させる。もちろん、傾き角度αを有する一体型ベース１１を係合角度α１および支持角度βを形成しない光フィルタホルダ４０と共に取り付けてもよい。
【０１２６】
図８Ａに示すように、本発明の上記第１の好適な実施形態による一体型ベースアセンブリおよび光フィルタホルダの第２の別の態様が図示される。光フィルタホルダ４０Ｂは、光フィルタ４０の取付場所を提供するように一体型ベース１１Ｂの光窓１１１と連通する支持溝部４１Ｂを有する。換言すれば、光フィルタ５０は、支持溝部４１Ｂにおいて取り付けられる。
【０１２７】
より詳細には、光フィルタホルダ４０Ｂは、光フィルタホルダ本体４３Ｂおよび少なくとも１つの内方伸長アーム４４Ｂを含む。少なくとも１つの内方伸長アーム４４Ｂは、内側光フィルタホルダ本体４３Ｂの下部から横方向に一体的にかつ内方に延びて内側光フィルタホルダ本体４３Ｂ上に支持溝部４１Ｂを規定する。光フィルタホルダ本体４３Ｂは、一体型ベース１１上へ接続される。
【０１２８】
換言すれば、光フィルタホルダ４０Ｂは、下方伸長アーム４５を含まず、第１の好適な実施形態において設けられたような係合溝部４２を有さない。そのため、光フィルタ５０の取付場所は、光窓１１１内に下方に配置しなくてもよい。しかし、各内方伸長アーム４４Ｂの内方に延びる距離を通じて、光フィルタ５０の上面積およびサイズも低減することができ、光フィルタ５０は支持溝部４１中に受容され、光フィルタ５０の光フィルタホルダ４０Ｂに対する相対的高さが低減される。
【０１２９】
図８Ｂは、本発明の上記第１の好適な実施形態による一体型ベースアセンブリおよび光フィルタホルダの第２の別の態様の別の代替的例を示す。光フィルタホルダ４０Ｂ１は、レンズ３０および光フィルタ５０それぞれの組立場所を提供する支持溝部４１Ｂ１および取付溝部４８Ｂ１を有する。
【０１３０】
より詳細には、光フィルタホルダ４０Ｂ１は、光フィルタホルダ本体４３Ｂ１および少なくとも１つの内方伸長アーム４４Ｂ１を含む。１つの内方伸長アーム４４Ｂ１は、光フィルタホルダ本体４３Ｂ１の内側から横方向に一体的かつ内方に延びて、内方伸長アーム４４Ｂ１上の支持溝部４１Ｂ１および内方伸長アーム４４Ｂ１の下側の取付溝部４８Ｂ１を規定する。光フィルタホルダ４０Ｂ１は、レンズ支持部４９Ｂ１をさらに提供する。レンズ支持部４９Ｂ１は、光フィルタホルダ本体４３Ｂ１から一体的かつ上方に延びて、各内方伸長アーム４４Ｂ１上に取り付ける際にレンズ３０を受容する支持溝部４１Ｂ１を内部に規定する。この代替例によれば、光フィルタ５０は、取付溝部４８Ｂ１中に受容され、各内方伸長アーム４４Ｂ１の下側において取り付けられる。
【０１３１】
さらに、本発明のこの代替例において、レンズ支持部４９Ｂ１は、レンズ３０の取付のためのねじ山やねじ山係合を含まない平坦な内面を有する。
【０１３２】
換言すれば、カメラモジュール１００が固定焦点カメラモジュールである場合、レンズ３０を所定位置に保持するように、レンズ３０を光フィルタホルダ４０Ｂ１内に直接取り付けることができる。特に、アセンブリの容易化およびレンズ３０の固定前のレンズ３０の調節のために、レンズ３０とレンズ支持部４９Ｂ１との間に隙間が設けられ得る。
【０１３３】
図８Ｃは、本発明の上記第１の好適な実施形態による一体型ベースアセンブリおよび光フィルタホルダの第２の別の態様の別の代替的例を示す。光フィルタホルダ４０Ｂ２は、レンズ３０および光フィルタ５０それぞれの組立位置を提供する支持溝部４１Ｂ２および取付溝部４８Ｂ２を有する。
【０１３４】
より詳細には、光フィルタホルダ４０Ｂ２は、光フィルタホルダ本体４３Ｂ２および少なくとも１つの内方伸長アーム４４Ｂ２を含む。少なくとも１つの内方伸長アーム４４Ｂ２は、光フィルタホルダ本体４３Ｂ２の内側から横方向に一体かつおよび内方に延びて、各内方伸長アーム４４Ｂ２上の支持溝部４１Ｂ２および各内方伸長アーム４４Ｂ２の下側の取付溝部４８Ｂ２を規定する。光フィルタホルダ４０Ｂ２は、レンズ支持部４９Ｂ２をさらに含む。レンズ支持部４９Ｂ２は、光フィルタホルダ本体４３Ｂ２から一体的かつ上方に延びて、レンズ３０を受容する支持溝部４１Ｂ２を内部に規定する。この代替例によれば、光フィルタ５０は、取付溝部４８Ｂ２中に受容され、各内方伸長アーム４４Ｂ２の下側に取り付けられる。
【０１３５】
さらに、本発明のこの実施形態において、レンズ支持部４９Ｂ２は、係合するねじ山によりレンズ３０を取り付けるための内側ねじ込み構造を有する。
【０１３６】
換言すれば、カメラモジュール１００が固定焦点カメラモジュールである場合、レンズ３０を内側ねじ込み構造により所定位置にねじ込むように、レンズ３０を光フィルタホルダ４０Ｂ２内に直接取り付けることができる。
【０１３７】
上記２つの実施形態において、レンズ３０を光フィルタホルダ４０Ｂ１または４０Ｂ２内に直接取り付けることが可能なことを示す光フィルタホルダの可能な別の態様および代替例は、ひとえに例示であり、本発明の範囲を制限するものではない点に留意されたい。
【０１３８】
図９Ａを参照して、本発明の第１の好適な実施形態による光フィルタホルダの第３の別の態様が図示される。この実施形態において、光フィルタホルダ４０は、その角部位置に設けられた少なくとも１つの角開口部４４１Ｃを有し、これにより、光フィルタ５０の組立が容易化され、鋭い角部に起因するカメラモジュールの画像の縁影が低減される。より詳細には、各角開口部４４１Ｃは、２つの隣接する内方伸長アーム４４Ｃ間に形成され、カメラモジュールの光フィルタホルダ４０の角部位置において光束を増加させるように外方に延びる。換言すれば、２つの隣接する内方伸長アーム４４Ｃ間に、角開口部４４１Ｃが形成される。角開口部４４１Ｃは、光フィルタホルダ４０の角開口部４４１Ｃにおける光束を増加させるように外部に連通し、これにより縁影が低減される。
【０１３９】
より詳細には、一実施形態において、角開口部４４１Ｃは、拡張した四角角開口部である。例えば、非限定的に、光フィルタホルダ４０は、４つのこのような拡張した四角角開口部をその４つの角部位置において有する。他の実施形態において、各角開口部４４１Ｃは、光フィルタホルダ４０の各角部における光束を増加させるような円弧角度を有する角開口部であり得る。もちろん、いくつかの実施形態において、このような角開口部４４１Ｃを設けなくてもよい。当業者であれば、角開口部４４１Ｃの形状、数および位置は、本発明において限定されないことを理解する。
【０１４０】
図９Ｂに示すように、本発明の上記第１の好適な実施形態による別の代替的態様が図示される。光フィルタホルダ４０は、少なくとも１つの保持突起部４６Ｐを含む。少なくとも１つの保持突起部４６Ｐは、取り付けられたコンポーネントを保持するかまたは粉塵または光がカメラモジュールの内側空間に到達する事態を回避するように、光フィルタホルダ本体４３の上部から少なくとも部分的に、突出的にかつ上方に延びる。例えば、非限定的に、各保持突起部４６Ｐは、アクチュエータ６０またはレンズ３０を所定位置に保持するために用いられる。詳細には、一実施形態において、保持突起部４６Ｐは、ホルダ本体４３を内側位置および外側部位に分割するように、ホルダ本体４３の中間位置に設けられる。外側部位はアクチュエータ６０の取付のために用いられ、内側部位はレンズ３０の取付のために用いられる。このような構成において、各保持突起部４６Ｐは、アクチュエータ６０の逸脱を低減させるように、アクチュエータ６０を所定位置に保持するように適合される。加えて、組立プロセス時において、保持突起部４６Ｐは、アクチュエータ６０の取付に用いられる接着剤が内側空間中へオーバーフローしてレンズまたは他の内側コンポーネントを汚染させる事態を回避することができる。詳細には、保持突起部は、アクチュエータ６０を一体的に保持して所定位置に維持することおよび接着剤が内側空間中にオーバーフローを遮断することを行うような輪状の突出形状であり得る。
【０１４１】
本発明の他の実施形態によれば、保持突起部４６Ｐの表面に対し、レンズ４０の直接取り付けのためのねじ山が付与され得る点に留意されたい。保持突起部４６Ｐの外側にねじ山が付与される場合比較的より大きなポアー直径と共にレンズ３０と連結することが適切である。
【０１４２】
図１０Ａ〜図１１を参照して、本発明の第２の好適な実施形態による一体型ベースアセンブリが図示される。一体型ベース１１Ｄは、感光要素２０のための光通路を提供する少なくとも１つの光窓１１１Ｄを内部に含む基体１１２Ｄを含む。より詳細には、基体１１２Ｄは、少なくとも１つの開口部１１２１Ｄを有する。少なくとも１つの開口部１１２１Ｄは、光窓１１１Ｄと外部を連通させ、光フィルタホルダ４０Ｄは、閉鎖および密閉された側面を備えた光窓１１１Ｄを形成するように、開口部１１２１Ｄを被覆させる補助的なものである。
【０１４３】
換言すれば、この第２の実施形態において、基体１１２Ｄは、完全な筐体構造ではなく、片側において開口部１１２１Ｄを有し、光フィルタホルダ４０Ｄは、基体１１２Ｄの開口部１１２１Ｄを密閉および閉鎖させる補助的手段を提供する。
【０１４４】
光フィルタホルダ４０Ｄは、少なくとも１つの伸長脚部４３３Ｄを補助的手段として含む。少なくとも１つの伸長脚部４３３Ｄは、開口部１１２１Ｄを密閉および閉鎖させるように、光フィルタホルダ本体４３Ｄからベース基板１２１へ一体的かつ下方に延びる。例えば、非限定的に、伸長脚部４３３Ｄは、ベース基板１２１および／または基体１１２へ例えば接着により接続される。
【０１４５】
より詳細には、基体１１２ＤはＵ字型構造を形成し、光フィルタホルダ４０Ｄの本体はＵ字型基体１１２Ｄと係合し、伸長脚部４３３Ｄは、一体型ベース１１Ｄの閉鎖構造を形成するようにＵ字型構造の開口部１１２１Ｄにおいて密接配置されるように適合され、これにより、密閉かつ閉鎖された内部環境が一体型ベース１１Ｄ内に形成される。
【０１４６】
換言すれば、この第２の実施形態において、カメラモジュールのホルダ機能を達成させるように一体型ベース１１Ｄおよび光フィルタホルダ４０Ｄが組み合わされ、これにより、一体型封入プロセスの利点および光フィルタホルダ４０Ｄの機能が全て本発明において採用される。
【０１４７】
カメラモジュールのサイズコンパクト化要求は高まる一方であるため、回路基板１２の電子コンポーネント１２２のレイアウト、電子的接続要素２０３の位置、一体型ベース１１のパッケージング位置を適切に構成する必要がある点に留意されたい。すなわち、カメラモジュールの全体的サイズを低減するためには、ベース基板１２１をフル活用しつつ、これらのコンポーネントの占有面積を最小化する必要がある。本発明のこの第２の実施形態によれば、一体型ベース１１は、電子コンポーネント１２２の位置において一体的に成型されかつパッケージされ、これにより、一体型ベース１１を形成するように全電子コンポーネント１２２を埋設させることにより電子コンポーネント１２２の周囲空間および位置を利用するだけでなく、電子コンポーネント１２２と電気的接続要素２０３との間の電磁干渉も低減する。加えて、電子コンポーネントが設けられていないベース基板１２１の片側において、ベース基板１２１の残りの空間および位置をフル活用できるように、光フィルタホルダ４０Ｄの伸長脚部４３３Ｄが設けられる。一方、光フィルタホルダ４０Ｄの接着手順時において、カメラモジュールにとって良好な取付条件を確保するように一体型ベース１１Ｄの平坦性を調節および完了することができる。
【０１４８】
ベース基板１２１は、感光要素２０、電子コンポーネント１２２、電子接続要素２０３、一体型ベース１１Ｄおよび光フィルタホルダ本体４０Ｄを備え、電子コンポーネント１２２、電子接続要素２０３、一体型ベース１１Ｄおよび光フィルタホルダ本体４０Ｄは、感光要素２０の外周周囲に設けられる点に留意されたい。換言すれば、ベース基板１２１は、感光要素２０の外側の周囲に設けられた複数の取付領域１２１３を有する。ベース基板１２１の空間利用率を増加させるために、電子コンポーネント１２２は、ベース基板１２１の片側または両側において取付領域１２１３に設けられる。その上に設けられた電子コンポーネント１２２の取付領域１２１３は、電子コンポーネント１２２を一体型ベース１１Ｄ中に埋設させるように、一体型ベース１１Ｄによって一体的にパッケージされる。電子コンポーネントが載置されていない領域および／または電子接続要素１３３のための取付領域１２１３に隣接する領域を光フィルタホルダ４０Ｄとの接続のために用いることができるため、光フィルタホルダがこのような狭い空間および位置を利用することができ、光フィルタホルダ４０Ｄおよび一体型ベース１１Ｄを協働的に組み合わせて光窓１１１Ｄを形成することができ、これにより感光要素２０の光通路を提供することができる。換言すれば、感光要素２０は、ベース基板１２１の中央位置に設けなくてもよいが、ベース基板１２１の片側近隣への配置の際に逸脱し得るため、幅が異なる取付領域１２１３を共に形成することにより電子コンポーネント１２２のグループ化を促進させ、成型された一体型ベース１１Ｄおよび内部に密閉埋設された電子コンポーネント１２２を電子コンポーネント１２２間の電磁干渉を実質的に回避しつつ取り付けることができる。さらに、本実施形態による光フィルタホルダ４０Ｄの伸長脚部４３３Ｄは、電子コンポーネントを含まずかつ電子接続要素が載置されていない比較的より狭い領域へ接続され、比較的より幅広の領域が、電子コンポーネント１２２および電気的接続要素２０３を取り付けること一体型ベース１１Ｄの一体形成により電子コンポーネント１２２を埋設することのために用いられる。例えば、感光要素２０の２つの対向する側部は、幅Ｗ１および幅Ｗ２をそれぞれ有し、Ｗ１はＷ２よりも小さく、幅Ｗ１を有する領域は、光フィルタホルダ４０Ｄの伸長脚部４３３Ｄを接続させるために用いられ、幅Ｗ２を有する領域は、比較的より幅広の幅を有する側部（単数または複数）においてより幅広の領域（単数または複数）を提供するように、電子コンポーネント１２２を提供するために用いられ、電子コンポーネント１２２がグループ化および収集される。
【０１４９】
例えば、非限定的に、いくつかの実施形態において、一体型ベースアセンブリ１０の組立時において、ベース基板１２１の片側近隣の位置において感光要素を取り付けることにより異なる幅の取付領域１２１３を設けた後に電子コンポーネントがより幅広の領域に取り付けられるように適合されるように、感光要素２０がベース基板１２１へ取り付けられる。さらに、統合パッケージングにより、一体型ベース１１Ｄを一体的に成型して、電子コンポーネント１２２を備えた取付領域１２１３において形成し、これらの電子コンポーネント１２２を内部に埋設させる。次に、光フィルタホルダ４０Ｄは、一体型ベース１１Ｄに取り付けられる。別の実施形態において、電子コンポーネントは、所定の位置（例えば、取付領域１２１３）へ接着された後、一体型ベース１１Ｄを形成した後、感光要素２０を取り付ける。
【０１５０】
光フィルタホルダ４０Ｄは、射出成形プロセスを通じて製造することができる点に留意されたい。そのため、一体型ベース１１Ｄの形成プロセスと比較して、比較的より小さな厚さが得られる。換言すれば、光フィルタホルダ４０Ｄの厚さｄ１は一体型ベース１１Ｄの厚さｄ２よりも小さいため、異なる厚さのベース基板１２１の取付領域１３１３を合理的に利用することができる。
【０１５１】
図１２Ａ〜図１３Ａに示すように、本発明の上記第２の好適な実施形態による一体型ベースアセンブリおよび光フィルタホルダの別の態様が図示される。一体型ベース１１Ｅは、感光要素２０のための光通路を提供する少なくとも１つの光窓１１１Ｅを含む基体１１２Ｅを含む。より詳細には、基体１１２Ｅは、２つの開口部１１２１Ｅを２つの側部において有する。これら２つの開口部１１２１Ｅはそれぞれ、光窓１１１Ｅを外部へ連通させる。光フィルタホルダ４０Ｅは、光窓１１１Ｅの２つの側部を相応に密閉的に閉鎖させるように、２つの開口部１１２１Ｅを被覆する。
【０１５２】
よって、光フィルタホルダ４０Ｅは、２つの伸長脚部４３３Ｅを含む。これらの伸長脚部４３３Ｅはそれぞれ、光フィルタホルダ本体４３Ｅからベース基板１２１へ一体的かつ下方に延びて、一体型ベース１１Ｅの２つの開口部１１２１Ｅを閉鎖させる。例えば、非限定的に、各伸長脚部４３３Ｅは、接着によりベース基板１２１および／または基体１１２Ｅへ接続される。
【０１５３】
より詳細には、一実施形態によれば、一体型ベース１１Ｅの基体１１２Ｅは、ベース基板１２１の他の２つの側部において２つの開口部１１２１Ｅを規定しつつ、電子コンポーネントを内部に埋設させるベース基板１２１の２つの側部上に平行に成型された２つのピースを含む平行構造を有するような構造にされる。光フィルタホルダ本体４３Ｅは、基体１１２Ｅと係合するように平行構造の２つのピース上に設けられ、光フィルタホルダ４０Ｅの２つの伸長脚部４４３Ｅは、２つの開口部１１２１Ｅを基体１１２Ｅの平行構造の２つのピース間に下方に密接的に被覆するように補足され、これにより、基体１１２Ｅは、密閉および閉鎖された内部環境を基体１１２Ｅの平行構造の２つのピースと、光フィルタホルダ４０Ｅの受容開口部と連通する２つの伸長脚部４４３Ｅとの間に規定された光窓１１１Ｅとして形成して、感光要素２０のための光通路を形成する。
【０１５４】
図１３Ｂ〜図１３Ｃを参照して、本発明の第２の好適な実施形態による一体型ベースおよび光フィルタホルダの別の代替的態様が図示される。この別の態様において、一体型ベース１１Ｑは、感光要素２０のための光通路を設けるための少なくとも１つの光窓１１１Ｑが内部に設けられた基体１１２Ｑを含む。より詳細には、一体型ベース１１Ｑは、光窓１１１Ｑを外部と連通させるように２つの側部それぞれの２つの中間部分において形成された２つの開口部１１２１Ｑを有し、光フィルタホルダ４０Ｄは、光窓１１１Ｑの側部周囲を密閉閉鎖させるように２つの開口部１１２１Ｑを被覆させる手段を提供する。図１２Ａ〜図１３Ａに示すような上記別の態様と比較した際の差違点として、この別の態様の２つの開口部が対向側の中間部分に配置され、光フィルタホルダ４０Ｑを所定位置により良好に密閉的に保持および取り付けるように、逆台形形状を有するような構造にされる点がある。換言すれば、２つの開口部１１２１Ｑにより、基体１１２Ｑは２つの対向するＵ字型部材が分割され、光フィルタホルダ４０Ｑが基体１１２Ｑと共に取り付けられると、基体１２１Ｑの２つの部材は、光フィルタホルダ４０Ｑによって密閉的に接合および組み合わされる。
【０１５５】
よって、光フィルタホルダ４０Ｑは、２つの伸長脚部４３３Ｑを含む。これら２つの伸長脚部４３３Ｑはそれぞれ、２つの開口部１１２１Ｑそれぞれを密閉および被覆するように、光フィルタホルダ本体４３Ｄからベース基板１２１へ一体的かつ下方に延びる。より詳細には、２つの伸長脚部４３３Ｑは、２つの対向側に配置され、各開口部１１２１Ｑを密接に配置しかつ密閉的に被覆させための逆台形構造をそれぞれ有する。例えば、光フィルタホルダ４０Ｑが取り付けられると、各伸長脚部４３３Ｑは、対応する開口部１１２１Ｑに保持される。換言すれば、各開口部１１２１Ｑは、下部から上部へ徐々に大きくなる幅サイズを有し、各伸長脚部４３３Ｑは、下部から上部へ徐々に幅広になって、対応する開口部１１２１Ｑを充填して、対応する開口部１１２１Ｑを密閉および閉鎖させる。
【０１５６】
当業者であれば、本発明の実施形態における開口部１１２１Ｑの形状およびサイズはひとえに例示的なものであり、本発明を制限しないことを理解する。
【０１５７】
詳細には、いくつかの実施形態において、電子コンポーネントは、ベース基板１２１の片側のみにおいて集合的に配置され得、基体１１２Ｑの少なくとも一部によって埋設され、より詳細には、より幅広の部位において基体１１２Ｑによって埋設される。電子コンポーネント１２２Ｑが設けられていない基体１２１の他方側は、基体１１２Ｑの比較的より幅狭の部位に対応する。光フィルタホルダ４０Ｑは、基体１１２Ｑおよび２つの伸長脚部４３３Ｑに取り付けられて、基体１１２Ｑの２つの対向するより幅広の部位およびより幅狭の部位それぞれに設けられた２つの開口部１１２１Ｑを密接に充填する。
【０１５８】
さらに、基体１１２Ｑは少なくとも１つの開口壁部１１２２Ｑを有し、対応する開口部１１２１Ｑを両者間に規定する２つの開口壁部１１２２Ｑを具現化する。各開口壁部１１２２Ｑは、ベース基板１２１から傾斜して一体的かつ上方に延びて、逆台形形状の開口部１１２１Ｑを形成する。相応に、各伸長脚部４３３Ｑは、各開口壁部１１２２Ｑに対応するサイズおよび形状を有する少なくとも１つの補足壁部４３３１Ｑを有するため、開口部１１１Ｑの周囲を密閉および閉鎖させるように、各伸長脚部４３３Ｑの構成が各開口部１１２１Ｑ中に密接に充填される。接着剤などの接合材料を隙間に付与できるように、各伸長脚部４３３Ｑの補足壁部４３３１Ｑと、開口部１１２Ｑの対応する開口壁部１１２２Ｑとの間に隙間が保持され得ることが理解される。しかし、隙間のサイズおよび存在は、本発明を制限するものとしてみなされるべきではない。
【０１５９】
詳細には、各伸長脚部４３３Ｑの補足壁部４３３１Ｑおよび基体１１２Ｑの対応する開口壁部１１２２Ｑは、接着剤の接着によって共に固定および密閉される。
【０１６０】
図面の図１４を参照して、本発明の第３の好適な実施形態によるカメラモジュールおよびその一体型ベースアセンブリおよび光フィルタホルダが図示される。一体型ベース１１Ｆは、取付溝部１１５Ｆをさらに有する。取付溝部１１５Ｆは、光窓１１１Ｆに対向して設けられ、光窓１１１Ｆと連通する。本発明の第３の実施形態によれば、取付溝部１１５Ｆは、そのときに光フィルタホルダ４０を取り付けるように構成された輪状の連通溝部である。
【０１６１】
より詳細には、より軽量のフィルタホルダ４０の外側部位を一体型ベース１１Ｆの取付溝部１１５Ｆに配置することにより、光フィルタホルダ４０および一体型ベース１１Ｆは、相互に係合する。一体型ベース１１Ｆの内側部位は光フィルタホルダ４０の係合溝部４２中に係合され、これにより、光フィルタホルダ４０の光フィルタホルダ本体４３は取付溝部１１５Ｆ中に受容され、一体型ベース１１Ｆによって支持される。
【０１６２】
光フィルタホルダ４０の光フィルタホルダ本体４３は所定の厚さを有し、上方に配置された任意のコンポーネント（例えば、アクチュエータ６０またはレンズ３０）と接触すべきではない。好適には、光フィルタホルダ４０が取付溝部１１５Ｆ内に取り付けられると、光フィルタホルダ４０の上面は、基体１１２Ｆの上面と同一面を有するため、光フィルタホルダ４０は基体１１２Ｆから突出せず、アクチュエータ６０または上方に取り付けられたレンズ３０と全く接触しない。もちろん、本発明の他の実施形態によれば、光フィルタホルダ４０の上面も基体１１２Ｆから突出し得るため、異なるサイズのアクチュエータ６０と適合し、対応するアクチュエータ６０を所定位置に保持し、アクチュエータ６０の取付のための接着剤がカメラモジュール内部にオーバーフローする事態も回避することができる。しかし、本発明は、この態様について限定されない。
【０１６３】
より詳細には、一体型ベース１１Ｆは、基体１１２Ｆから突出して延びて取付溝部１１５Ｆを形成する複数の突出ステップ１１６Ｆを含む。よって、他の実施形態において、円形の一体型突出ステップが、取付溝部１１５Ｆを規定するように形成され得る。
【０１６４】
本発明の第３の実施形態によれば、一体型ベース１１Ｆは、一体的に接続されて四角輪状の突出構造を形成する４つの突出ステップ１１６Ｆを含む。アクチュエータ６０は、突出ステップ１１６においてオートフォーカスカメラモジュールを形成するように取り付けられた少なくとも１つの一部を有する。アクチュエータ６０は、少なくとも１つの接続ピン６１を通じて回路基板１２へ動作可能に接続される。他の実施形態において、レンズ３０は、固定焦点カメラモジュールが形成されるように突出ステップ１１６Ｆにおいて取り付けられた少なくとも一部を有し得る。
【０１６５】
本発明の第３の実施形態によれば、各突出ステップ１１６Ｆは同一の横方向幅を有し、各対応する取付溝部１１５Ｆも同じ幅を有する。相応に、光フィルタホルダ４０の光フィルタホルダ本体４３の幅は、取付溝部１１５のサイズに基づいて設計可能である一方、光フィルタホルダ本体４３２は一貫した幅を有する。本発明のいくつかの他の実施形態によれば、各突出段１１６Ｆの幅は、異なる要求に応じて変化し得る。よって、光フィルタホルダ本体４３の幅は、取付溝部１１５Ｆの幅の変化に対応して変化させることができる。
【０１６６】
図１５Ａおよび図１５Ｂを参照して、本発明の第４の好適な実施形態によるカメラモジュールが図示される。図１５Ａは、第１の方向からみた断面図であり、図１５Ｂは、第２の方向（すなわち、第１の方向から垂直方向）からみた断面図であり、カメラモジュールの４つの側部を示す。一体型ベース１１Ｇは、光窓１１１Ｇに対向しかつ光窓１１１Ｇに連通する少なくとも１つの取付溝部１１５Ｇと、光窓１１１Ｇを外部と連通させるように光窓１１Ｇから外部へ延びる少なくとも１つのノッチ１１７Ｇとを有する。換言すれば、取付溝部１１５Ｇは、閉鎖端構造ではなく溝部と連通する開口端である。光フィルタホルダ４０Ｇは、取付溝部１１５Ｇに取り付けられる。より詳細には、この第４の実施形態において、取付溝部１１５ＧはＵ字型溝部であり、Ｕ字型溝部の開口部によりノッチ１１７Ｇが規定される。
【０１６７】
より詳細には、光フィルタホルダ４０Ｇは一体型ベース１１Ｇの取付溝部１１５Ｇ中に係合するため、光フィルタホルダ４０Ｇの光フィルタホルダ本体４３Ｇは取付溝部１１５Ｇ中に受容され、一体型ベース１１Ｇの一体型本体１１２Ｇによって支持される。
【０１６８】
光フィルタホルダ４０Ｇの光フィルタホルダ本体４３Ｇは、所定の厚さを有し、光フィルタホルダ本体４３Ｇの上方に配置されたコンポーネント（例えば、アクチュエータ６０またはレンズ３０）と接触してはならない。好適には、光フィルタホルダ４０Ｇが取付溝部１１５Ｇに取り付けられると、光フィルタホルダ４０Ｇの上面は基体１１２Ｇの上面と同一面を有するため、光フィルタホルダ４０Ｇは基体１１２Ｇから突出せず、アクチュエータ６０または上方に取り付けられたレンズ３０と全く接触しない。
【０１６９】
より詳細には、一体型ベース１１Ｇは、複数の突出ステップ１１６Ｇを含む。複数の突出ステップ１１６Ｇは、基体１１２Ｇから突出して延びて、取付溝部１１５Ｇを形成する。よって、一体型ベース１１Ｇの少なくとも１つの側部は、ノッチ１１７Ｇを形成する突出ステップ１１６Ｇを有さない。
【０１７０】
本発明の第４の実施形態によれば、一体型ベース１１Ｇは、一体的に接続されて取付溝部１１１５Ｇを規定する３つのこのような突出ステップ１１６Ｇを含む。換言すれば、突出ステップ１１６Ｇが設けられていない側部によりノッチ１１７Ｇが規定され、より詳細には、３つの突出ステップ１１６Ｇが一体的かつ横方向に接続されて、Ｕ字型突出構造を形成する。
【０１７１】
光フィルタホルダ４０Ｇの光フィルタホルダ本体４３Ｇは、図１５Ｂに示すように、取付溝部１１５Ｇと係合するように適合された少なくとも１つの係合縁４３１Ｇと、ノッチ１１７Ｇ中に充填されるように適合された少なくとも１つの伸長縁４３２Ｇとを含む。換言すれば、伸長縁４３２Ｇは、ノッチ１１７Ｇ中に延びて、ノッチ１１７Ｇを密閉的に充填および閉鎖させて、密閉かつ閉鎖された内部環境を内部に規定する。
【０１７２】
本発明の第４の実施形態によれば、光フィルタホルダ４０Ｇの光フィルタホルダ本体４３Ｇは、取付溝部１１５Ｇの対応する形状に適合するように一体的かつ横方向に接続された３つの係合縁４３１Ｇおよび１つの伸長縁４３２Ｇを含む。
【０１７３】
下方伸長アーム４５Ｇはそれぞれ、係合溝部４２Ｇを形成するように、係合縁４３１Ｇおよび伸長縁４３２Ｇから長手方向に延びる。各内方伸長アーム４４Ｇは、下方伸長アーム４５Ｇから横方向かつ一体的に延びて、支持溝部４１Ｇを形成する。
【０１７４】
電子コンポーネント１２２は、回路基板１２の本体の異なる位置に配置することが可能であり、一体型ベース１１Ｇは、電子コンポーネント１２２を内部に埋設させるように成型される点に留意されたい。電子コンポーネント１２２の位置を構成する際、一体型ベース１１Ｇの必要な厚さがより大きくなり、取付溝部１１５Ｇの形成において簡便となる。電子コンポーネント１２２無しの位置は、回路基板１２のサイズを低減させるように、比較的より小さな厚さを有し得る。本発明のこの第４の実施形態において、３つの係合縁４３１Ｇに対応する一体型ベース１１Ｇの一部が、電子コンポーネント１２２と共に配置され、一体型ベース１１Ｇのこの部分はより大きな横方向幅を有し、取付溝部１１５Ｇが形成される。加えて、図１５Ｂに示すように、伸長縁４３２Ｇに対応する一体型ベース１１Ｇの別の部位は、より小さな横方向幅を有し、取付溝部１１５Ｇの形成に用いられない。伸長縁４３２Ｇは、ノッチ１１７Ｇが突出ステップ１１６Ｇとして機能するようにノッチ１１７Ｇを充填するために、用いられる。
【０１７５】
アクチュエータ６０は、オートフォーカスカメラモジュールを形成するように突出ステップ１１６Ｇに取り付けられた少なくとも一部を有する。アクチュエータ６０は、少なくとも１つの接続ピン６１を通じて回路基板１２へ動作可能に接続される。他の実施形態において、レンズ３０は、固定焦点カメラモジュールが形成されるように突出ステップ１１６Ｇにおいて取り付けられた少なくとも一部を有し得る。
【０１７６】
より詳細には、アクチュエータ６０は、突出ステップ１１６Ｇにそれぞれ取り付けられた３つの縁を有し、残りの縁は、光フィルタホルダ４０Ｇの伸長縁４３２Ｇにおいて取り付けられる。いくつかの実施形態において、アクチュエータ６０と、伸長縁４３２Ｇとの間に接着剤との接着による充填のために隙間が形成され、これにより、カメラモジュールのための密閉および閉鎖された内部環境が得られる。換言すれば、伸長縁４３２Ｇの表面高さは、各突出ステップ１１６Ｇの表面高さよりも低く、接着剤を用いてこの高さの差を埋め合わせることができる。詳細には、レンズ３０の光軸が感光要素２０の光軸と同軸に確実にアラインされるようにしつつ、アクチュエータ６０は突出段１１６Ｇへ接着される。
【０１７７】
図１６Ａおよび図１６Ｂに示すように、本発明の第５の実施形態によるカメラモジュールが図示される。図１６Ａは、第１の方向からみた断面図であり、図１６Ｂは、第２の方向（すなわち、第１の方向から垂直方向）からみた断面図であり、カメラモジュールの４つの側部を示す。一体型ベース１１Ｈ上には、少なくとも１つの取付溝部１１５Ｈが載置され、少なくとも１つの取付溝部１１５Ｈは光窓１１１Ｈと連通する。光フィルタホルダ４０Ｈは、取付溝部１１５Ｈにおいて取り付けられる。より詳細には、各取付溝部１１５Ｈは、上記第４の好適な実施形態において具現化されるようなノッチ無しのＵ字型構造を形成する。
【０１７８】
光フィルタホルダ４０Ｈの光フィルタホルダ本体４３Ｈは、取付溝部１１５Ｈ上に載置されかつ取付溝部１１５Ｈと係合する少なくとも１つの係合縁４３１Ｈを含む。
【０１７９】
本発明のこの実施形態によれば、光フィルタホルダ４０Ｈの光フィルタホルダ本体４３Ｈは、３つの係合縁４３１Ｈを含む。これら３つの係合縁４３１Ｈは、一体的かつ横方向に相互接続されて、開口部を含むＵ字型構造を形成して、Ｕ字型取付溝部１１５Ｈの形状に適合する。
【０１８０】
３つの下方伸長アーム４５Ｈは、取付溝部１１５Ｈと係合するように、３つの係合縁４３１Ｈそれぞれから長手方向に延びる。３つの内方伸長アーム４４Ｈは、３つの下方伸長アーム４５Ｈそれぞれから横方向かつ一体的に延びて、光フィルタ５０の取付場所を提供するようにＵ字型支持溝部４１Ｈを規定する。この第５の実施形態と、上記第４の実施形態との間の差として、係合溝部４２Ｈおよび支持溝部４２Ｈそれぞれが片側に開口部を含むＵ字型構造であるため、閉鎖構造として構成されていない点がある。換言すれば、図１６Ｂに示すように光フィルタ５０が光フィルタホルダ４０Ｈに取り付けられた場合、その３つの縁のみがＵ字型支持溝部４１Ｈ中に固定および取り付けられ、その１つの残りの縁が、取付溝部１１５Ｈの形成に用いられない突出ステップ１１６Ｈの内壁へ付勢するように配置される。
【０１８１】
電子コンポーネント１２２は回路基板１２の本体の異なる位置において配置され得、一体型ベース１１Ｈは、電子コンポーネント１２２を内部に埋設させるように回路基板１２上に成型される点に留意されたい。電子コンポーネント１２２の位置を構成する際、一体型ベース１１Ｈの必要な厚さがより大きくなるため、取付溝部１１５Ｈの形成において簡便になる。また、電子コンポーネント１２２を含まない位置は、回路基板１２のサイズを低減させるように比較的より小さな厚さを有し得るため、これらの位置は、取付溝部１１５Ｈの形成には用いられない。本発明のこの第５の実施形態において、一体型ベース１１Ｈのうち３つの係合縁４３１Ｈに対応する部位は、電子コンポーネント１２２を埋設するように配置され、一体型ベース１１Ｈのこの部位はより大きな横方向幅を有し、取付溝部１１５Ｈは形成される。一体型ベース１１Ｈのうち突出ステップ１１６Ｈに対応する別の部位は、取付溝部１１５Ｈの形成に用いられず、比較的より小さな横方向幅を有する。
【０１８２】
アクチュエータ６０は、オートフォーカスカメラモジュールを形成するように突出ステップ１１６Ｈにおいて取り付けられた少なくとも一部を有する。アクチュエータ６０は、少なくとも１つの接続ピン６１を通じて回路基板１２へ動作可能に接続される。他の実施形態において、レンズ３０は、固定焦点カメラモジュールが形成されるように、突出ステップ１１６Ｈにおいて取り付けられた少なくとも一部を有し得る。
【０１８３】
より詳細には、アクチュエータ６０は、突出ステップ１１６Ｈに取り付けられた３つの側部を有する。これらの３つの側部は、Ｕ字型取付溝部１１５Ｈの形成に用いられる。図１６Ａおよび図１６Ｂに示すように、アクチュエータ６０の１つの残りの側部は、突出ステップ１１６Ｈにおいて取り付けられ、取付溝部１１５Ｈの形成には用いられない。
【０１８４】
換言すれば、この第５の実施形態と、上記第４の実施形態との間の差として、本実施形態の光フィルタホルダ４０Ｈは、係合縁４３２Ｇを備えず、開口したＵ字型構造を形成し、一体型ベース１１Ｈの突出ステップ１１６Ｈは、上方に延びて閉鎖したＵ字型構造を形成し、ノッチ１１７Ｇは形成されない。
【０１８５】
図１７Ａおよび図１７Ｂを参照して、異なる方向からの２つの断面図が図示され、本発明の第６の好適な実施形態によるカメラモジュールが図示される。２つの断面図は、カメラモジュールの４つの側部を示すように２つの垂直方向に沿ってそれぞれ図示される。この第６の実施形態と、上記第５の実施形態との間の差として、一体型ベース１１Ｉが２つの突出ステップ１１６Ｈおよび２つのノッチ１１７Ｉを形成し、突出ステップ１１６Ｉが横方向かつ一体的に相互接続されて、Ｌ字型取付溝部１１５Ｉを形成する点がある。換言すれば、突出ステップ１１６Ｉと共に形成されていない２つの側部は、２つの垂直ノッチ１１７Ｉと共に形成される。
【０１８６】
光フィルタホルダ４０Ｉの光フィルタホルダ本体４３Ｉは、取付溝部１１５Ｉと係合した少なくとも１つの係合縁４３１Ｉと、ノッチ１１７Ｉ中に延びる少なくとも１つの伸長縁４３２Ｉとを含む。換言すれば、伸長縁４３２Ｉは、伸長縁４３２Ｉが充填されたノッチ１１７Ｉ中に延びかつノッチ１１７Ｉ上に載置されるため、密閉および閉鎖された内部環境が、一体型ベース１１Ｉおよび一体型ベース１１Ｉ上に取り付けられた光フィルタホルダ本体４３Ｉ内に規定される。
【０１８７】
本発明のこの第６の実施形態によれば、光フィルタホルダ４０Ｉの光フィルタホルダ本体４３Ｉは、２つの係合縁４３１Ｉおよび２つの伸長縁４３２Ｉを含む。２つの係合縁４３１Ｉおよび２つの伸長縁４３２Ｉは、一体的におよび横方向に接続されてエンドレス構成を形成し、取付溝部１１５Ｉの形状に適合する。
【０１８８】
４つの下方伸長アーム４５Ｉはそれぞれ、２つの係合縁４３１Ｉおよび２つの伸長縁４３２Ｉから長手方向に延びて、光フィルタホルダ本体４３Ｉの下側に輪状係合溝部４２Ｉを形成する。４つの内方伸長アーム４４Ｉは、４つの下方伸長アーム４５Ｉからそれぞれ横方向かつ一体的に延びて、輪状支持溝部４１Ｉを内方伸長アーム４４Ｉの上方に規定する。
【０１８９】
さらに、一体型ベース１１Ｉの２つの突出ステップ１１６Ｉは、相互に垂直に接合され、２つの係合縁４３１Ｉは相互に垂直に接合され、２つのノッチは、相互に垂直方向に隣接するように形成される。換言すれば、２つの突出ステップ１１６Ｉは、Ｌ字型取付溝部１１５Ｉを規定するＬ字型構造を形成する。２つのノッチ１１７Ｉは、相互に隣接して、Ｌ字型構造を形成する。そのため、相互に垂直方向に隣接する光フィルタホルダ４０Ｉの２つの係合縁４３１Ｉは、Ｌ字型取付溝部１１５Ｉに適合するように構成されるため、２つの係合縁４３１Ｉは、取付溝部１１５Ｉ上に密接に配置されかつ取付溝部１１５Ｉ中に取り付けられるように構成され、２つの伸長縁４３２Ｉは、Ｌ字型ノッチに適合するように相互に垂直方向に隣接するため、２つの伸長縁４３２Ｉは、２つのノッチそれぞれに密接に配置されかつ取り付けられるように構成されて、密閉および封入された内部環境を一体型本体１１Ｉおよび光フィルタホルダ４０Ｉ内に規定する。
【０１９０】
アクチュエータ６０のうち少なくとも一部は、突出ステップ１１６Ｉにおいて取り付けられて、オートフォーカスカメラモジュールを形成する。アクチュエータ６０は、少なくとも１つの接続ピン６１を通じて回路基板１２へ動作可能に接続される。他の実施形態において、レンズ３０の少なくとも一部は、固定焦点カメラモジュールが形成されるように、突出段１１６Ｉまたは光フィルタホルダ本体４３Ｉの取り付けられ得る。
【０１９１】
より詳細には、アクチュエータ６０は、突出ステップ１１６Ｉの上部にそれぞれ取り付けられた２つの側部を有し、アクチュエータ６０の残りの２つの側部は、光フィルタホルダ４０Ｉの伸長縁４３２Ｉの上部に取り付けられる。
【０１９２】
図１８Ａおよび図１８Ｂに示すように、本発明の上記第６の好適な実施形態による一体型ベースアセンブリおよび光フィルタホルダの別の態様が図示される。図１８Ａおよび図１８Ｂは、２つの垂直方向に沿った断面図である。この別の態様と、上記第６の実施形態との間の差として、２つの係合縁４３１Ｊが２つの対向側において形成される一方、２つのノッチが２つの対向側において形成される点がある。そのため、光フィルタホルダ４０Ｊの２つの係合縁４３１Ｊは、相互に反対側に設けられて、一体型ベース１１Ｊの２つの対向側において形成された取付溝部１１５Ｊ中に載置されかつ取り付けられるように適合され、２つの伸長縁４３２Ｊは、相互に反対側に設けられて、一体型ベース１１Ｊの別の２つの対向側において形成された２つのノッチ１１７Ｊ上に載置されかつ取り付けられるように適合されて、密閉および閉鎖された内部環境を一体型ベース１１Ｊおよび光フィルタホルダ４０Ｊ内に規定する。
【０１９３】
図１９Ａおよび図１９Ｂを参照して、本発明の第７の好適な実施形態によるカメラモジュールが図示される。図１９Ａおよび図１９Ｂは、２つの垂直方向に沿った断面図である。本発明のこの第７の好適な実施形態と、上記第６の好適な実施形態およびその別の態様との間の差として、一体型ベース１１Ｋが１つの突出ステップ１１６Ｋおよび３つのノッチ１１７Ｋを含む点がある。突出ステップ１１６Ｋは、基体１１２Ｋから部分的に一体的かつ上方に延びて、取付溝部１１５Ｋを形成する。換言すれば、突出ステップ１１６Ｋと共に形成されていない３つの側部が、それぞれ３つのノッチ１１７Ｋと共に形成される。
【０１９４】
光フィルタホルダ４０Ｋの光フィルタホルダ本体４３Ｋは、取付溝部１１５Ｉと係合した少なくとも１つの係合縁４３１Ｋと、ノッチ１１７Ｋ中に充填された少なくとも１つの伸長縁４３２Ｋとを含む。換言すれば、伸長縁４３２Ｋは、各ノッチ１１７Ｋ中に延びて各ノッチ１１７Ｋ中に充填されるため、密閉および閉鎖された内部環境が一体型ベース１１Ｋおよび光フィルタホルダ４０Ｋ内に規定される。
【０１９５】
本発明のこの第７の実施形態によれば、光フィルタホルダ４０Ｋの光フィルタホルダ本体４３Ｋは、１つの係合縁４３Ｋおよび３つの伸長縁４３２Ｋを含む。１つの係合縁４３Ｋおよび３つの伸長縁４３２Ｋは、一体的かつ横方向に接続されて、単一の取付溝部１１５Ｋおよび３つのノッチ１１７Ｋの上部に密接に載置および取り付けられるように適合されたエンドレス構造を構成する。
【０１９６】
４つの下方伸長アーム４５Ｋはそれぞれ、係合縁４３１Ｋおよび３つの伸長縁４３２Ｋそれぞれから長手方向に延びて、係合溝部４２Ｋを光フィルタホルダ本体４３Ｋの下側に規定する。４つの内方伸長アーム４４Ｋは、４つの下方伸長アーム４５Ｋからそれぞれ横方向かつ一体的に延びて、支持溝部４１Ｋを内方伸長アームｓ４４Ｋの上方に規定する。
【０１９７】
アクチュエータ６０の少なくとも一部は、オートフォーカスカメラモジュールを形成するように、突出ステップ１１６Ｋにおいて取り付けられる。アクチュエータ６０は、少なくとも１つの接続ピン６１を通じて回路基板１２へ動作可能に接続される。他の実施形態において、レンズ３０の少なくとも一部は、固定焦点カメラモジュールが形成されるように、突出ステップ１１６Ｋにおいて取り付けられ得る。
【０１９８】
より詳細には、アクチュエータ６０の片側は、突出ステップ１１６Ｋにおいて支持され、アクチュエータ６０の残りの３つの側部はそれぞれ、光フィルタホルダ４０Ｋの３つの伸長縁４３２Ｋにおいて取り付けられる。
【０１９９】
図２０Ａ〜図２１に示すように、本発明の第８の好適な実施形態によるカメラモジュールが図示される。カメラモジュールは、図２０Ａに示すような固定焦点カメラモジュールまたは図２０Ｂに示すようなオートフォーカスカメラモジュールであり得る。この第８の実施形態と上記実施形態との間の差として、光フィルタホルダ４０Ｌは、上方伸長周壁４６Ｌを含む。上方伸長周壁４６Ｌは、光フィルタホルダ本体４３Ｌから上方に延びて、取り付けられたコンポーネント（単数または複数）（例を非限定的に挙げると、アクチュエータ６０および／またはレンズ３０）を保持する保持チャンバ４６１Ｌを上方伸長周壁４６Ｌ内に形成する。換言すれば、カメラモジュールの組立時において、アクチュエータ６０および／またはレンズ３０は、アクチュエータ６０および／またはレンズ３０を所定位置に保持するように、光フィルタホルダ４０Ｌの保持チャンバ４６１Ｌ中に取り付けられる。アクチュエータ６０またはレンズ３０の光軸は、感光要素２０の光軸と同軸にアラインされる。保持チャンバ４６１Ｌのサイズは、取り付けられるべきコンポーネントのサイズおよび形状によって決定される。
【０２００】
換言すれば、上方伸長周壁４６Ｌは、アクチュエータ６０またはレンズ３０が光フィルタホルダ４０において取り付けられたときに過度の逸脱が」回避されるようなフレーム制限機能を行って、これにより、カメラモジュールの光学系の一貫性が確保される。これと同時に、上方伸長周壁４６Ｌは、不要な衝撃を回避するよう、取り付けられたコンポーネント（例えば、アクチュエータ６０またはレンズ３０）も保護することができるため、アクチュエータ６０および／またはレンズ３０が安定的に取り付けられ、外部からの粉塵がカメラモジュールの内部空間に進入する事態が回避される。
【０２０１】
さらに、カメラモジュールがオートフォーカスカメラモジュールである場合、図２０Ｂに示すように、光フィルタホルダ４０において、アクチュエータ６０の接続ピン６１のための少なくとも１つのピン開口部４６２Ｌが内部を貫通する。換言すれば、アクチュエータ６０が光フィルタホルダ４０Ｌの保持チャンバ４６１Ｌにおいて取り付けられる場合、アクチュエータ６０の接続ピンは、対応するピン開口部４６２Ｌを貫通し、回路基板１２へ接続される。もちろん、カメラモジュールが固定焦点カメラモジュールである場合、光フィルタホルダ４０Ｌは、このようなピン開口部４６２Ｌを形成しなくてよい。ピン開口部４６２Ｌは中央線に沿った断面図中では図示されていないが、理解および記載を容易にするため、ピン開口部４６２Ｌの可能な位置を示すために点線が用いられる点に留意されたい。そのため、ピン開口部４６２Ｌの位置は、接続ピン６１の位置によって決定されるべきではなく、本発明において限定されない。
【０２０２】
図２２を参照して、本発明の第９の好適な実施形態によるカメラモジュールが図示される。この第９の実施形態と、上記実施形態との間の差として、光フィルタホルダ４０Ｍは、光フィルタホルダ本体４３Ｍから上方かつ一体的に延びて内部に保持チャンバ４６１Ｍを形成する上方伸長周壁４６Ｍと、光フィルタホルダ本体４３Ｍから下方かつ一体的に延びて内部に下ハウジングチャンバ４７１Ｍを規定する下方伸長周壁４７Ｍとを含む。詳細には、下方伸長周壁４７Ｍは、上方伸長周壁４６Ｍから一体的に延びて、一体型の外側遮蔽壁を光フィルタホルダ本体４３Ｍの周囲に形成する。
【０２０３】
保持チャンバ４６１Ｍは、取り付けられたコンポーネント（例を非限定的に挙げると、アクチュエータ６０および／またはレンズ３０）の保持のために用いられる。下ハウジングチャンバ４７１Ｍは、一体型ベース１１の受容のために用いられる。換言すれば、カメラモジュールの組立時において、アクチュエータ６０またはレンズ３０は、アクチュエータ６０またはレンズ３０を所定位置に保持および保護するように光フィルタホルダ４０Ｍの保持チャンバ４６１Ｍ中に取り付けられ、アクチュエータ６０またはレンズ３０の光軸は、感光要素２０の光軸と同軸にアラインされる。一体型ベース１１は下ハウジングチャンバ４７１Ｍ中に受容され、下方伸長周壁４７Ｍは一体型ベース１１を保護するため、規則的な一体型構造のカメラモジュールが達成される。そのため、組立も簡単であり、美観が向上する。保持チャンバ４６１Ｍおよび下ハウジングチャンバ４７１Ｍのサイズは、取り付けられるべきコンポーネント（例えば、アクチュエータ６０、レンズ３０および一体型ベース１１）のサイズおよび形状によって決定され得る。
【０２０４】
一実施形態において、下方伸長周壁４７Ｍは、回路基板１２も封入するように延び得る。例えば、非限定的に、下方伸長周壁４７Ｍは接着剤によって回路基板へ接着されるため、光フィルタホルダ４０Ｍをより安定的に取り付けることができる。
【０２０５】
図２３を参照して、本発明の第１０の好適な実施形態によるカメラモジュールが図示される。
【０２０６】
一体型ベース１１Ｎは、突出ステップ１１６Ｎから少なくとも部分的かつ上方に延びてレンズ３０の取付のためのレンズ穴１１８１Ｎを内部に規定する鏡筒１１８Ｎを含み、これにより、固定焦点カメラモジュールと、上取付溝部および上取付溝部を含む１組の取付溝部１１５Ｎとが形成される。
【０２０７】
より詳細には、突出ステップ１１６Ｎおよび基体１１２Ｎにより、光フィルタホルダ４０の取付のための下取付溝部１１５Ｎが形成される。鏡筒１１８Ｎおよび突出ステップ１１６Ｎにより、レンズ３０の取付のための別の上取付溝部１１５Ｎが形成される。換言すれば、この第１０の実施形態において、一体型ベース１１Ｎは、２つの取付溝部１１５Ｎを有する。下取付溝部１１Ｎは、光フィルタホルダ４０の取付のために用いられ、上取付溝部１１５Ｎは、レンズ３０の取付のために用いられる。
【０２０８】
さらに、光フィルタホルダ４０の係合溝部４２は、光フィルタホルダ本体４３が下取付溝部１１５Ｎ中に載置されかつ一体型ベース１１Ｎによって支持されるように、取付溝部１１５Ｎへ連結され、光フィルタ４０は、光フィルタホルダ４０の支持溝部４１中に取り付けられ、感光要素２０の光通路に沿ってアラインされ、レンズ３０は、上取付溝部１１５Ｎ中に取り付けられる。
【０２０９】
鏡筒１１８Ｎは、一体型ベース１１Ｎから一体的かつ上方に延びて、レンズ３０を所定位置に保持するためのレンズ３０の取付場所を提供するために用いられ、これにより、レンズ３０の光軸が感光要素２０の光軸と同軸にアラインされるため、取付精度が向上する。
【０２１０】
図２４は、上記の好適な実施形態によるカメラモジュールの応用を示す。本発明のカメラモジュール１００は、多様な電子デバイス３００中に採用され得る。よって、電子デバイス３００は、電子デバイス本体２００を含み、カメラモジュール１００は、画像の取得および再生を達成するように電子デバイス本体２００と協働する電子デバイス本体２００において設けられる。電子デバイス３００を非限定的に挙げると、スマートフォン、ウェアラブルデバイス、コンピュータデバイス、テレビ、搬送装置、デジタルカメラ、監視デバイスなどがある。カメラモジュール１００は、対象物体の画像取得および画像再生を実行するように電子デバイス３００中に設けられる。図示するように、カメラモジュール１００は、画像情報の取得および再生のために電話を支援するために、スマートフォンにおいて適用される。
【０２１１】
図２５〜図２７は、本発明の第１１の好適な実施形態によるアレイカメラモジュールを示す。アレイカメラモジュール１０００は、画像情報の集合を達成するように協働する２つ以上のカメラモジュールユニット１００を含む。アレイカメラモジュール１０００は、多様な電子デバイス（例えば、スマートフォン、ウェアラブルデバイス、コンピュータデバイス、テレビ、搬送装置、デジタルカメラ、監視デバイス）において適用してもよい。アレイカメラモジュール１０００は、対象物体の画像取得および画像再生を実行するために、電子デバイス３００中に設けられる。
【０２１２】
以下の実施形態および添付図面における記載を促進するために、アレイカメラモジュール１０００は２つのカメラモジュール１００を含むものとして図示されている点に留意されたい。換言すれば、二重カメラモジュールは、アレイカメラモジュールを例示する一例としてとられる。そのため、本発明の他の実施形態において、アレイカメラモジュール１０００は、複数のユニット（例えば、）３つのユニットよりも多数のユニット）を含み得、カメラモジュールユニット１００は、相互に横並びまたは相互に平行に配置されるようにアレイ状に配置されて、アレイカメラモジュール１０００を形成する。
【０２１３】
本発明の上記第１〜第１０の実施形態によるカメラモジュール１００および組み合わされた特徴のカメラモジュールまたは相当するカメラモジュールは、カメラモジュールユニット１００のためにアレイカメラモジュール１０００を形成するように用いられ得る点に留意されたい。
【０２１４】
より詳細には、各カメラモジュールユニット１００は、一体型ベースアセンブリ１０、感光要素２０、レンズ３０、光フィルタホルダ４０および光フィルタ５０を含む。
【０２１５】
各カメラモジュールユニット１００の一体型ベースアセンブリ１０は、一体型ベース１１および回路基板１２を含み、一体型ベース１１は、回路基板１２上に一体的にパッケージされる。例えば、非限定的に、一体型ベース１１は、成型プロセスを通じて回路基板１２上に一体的にパッケージされるように成型される。光フィルタホルダ４０は、一体型ベース１１および光フィルタホルダ４０が協働して従来のカメラモジュールの従来のホルダまたはサポータの代替になるように一体型ベース１１において取り付けられ、従来のパッキングプロセスにおいて、接着剤によりホルダまたはサポータを回路基板へ接着させることが不要である。感光要素２０は、回路基板１２へ動作可能に接続される。よって、感光要素２０は、一体型ベースアセンブリ１０の回路基板１２へ電子的に接続され、光フィルタホルダ４０は一体型ベースアセンブリ１０と共に取り付けられ、レンズ３０は、感光要素２０の感光経路中に配置される。
【０２１６】
一体型ベース１１は、内部に光窓１１１を有し、光窓１１１の周囲の基体１１２を含み、光窓１１１は、感光要素２０のための光通路を提供する。より詳細には、この第１１の実施形態によれば、光窓１１１の周囲は、基体１１２によって規定および包囲されて、レンズ３０のための密閉された内部環境を提供するように、閉鎖された筐体を構築する。
【０２１７】
各カメラモジュールユニットの回路基板１２は、ベース基板１２１と、ＳＭＴ接着プロセスを通じてベース基板上に形成される複数の電子コンポーネント（例を非限定的に挙げると、抵抗器、コンデンサ、ドライブ）とを含む。この第１１の好適な実施形態によれば、一体型ベース１１は、従来のカメラモジュールの場合のような粉塵および粒子が電子コンポーネント１２２に付着して感光要素２０の画像品質に悪影響を及ぼす問題を回避するように、電子コンポーネント１２２を内部に埋設または封入するようにベース基板１２１上に一体的にパッケージされる。他の実施形態において、電子コンポーネント１２２がベース基板１２１中に埋設され得る（すなわち、電子コンポーネント１２２は外部に露出されない）ことが理解される。回路基板１２のベース基板１２１は、ＰＣＢ剛性基板、ＰＣＢ可撓性基板、剛性／可撓性の組み合わせの基板、セラミックス基板などであり得る。この第１１の好適な実施形態によれば、一体型ベース１１は、これらの電子コンポーネント１２２を完全に埋設させることができるため、電子コンポーネント１２２をベース基板１２１中に埋設させることが不要になり、ベース基板１２１を導電的回路の形成のみに用いればよいため、最終的に製造された一体型ベースアセンブリ１０の厚さが比較的に小さくなる点に留意されたい。
【０２１８】
より詳細には、ベース基板１２１は、レンズ３０に対向する上面１２１１と、レンズ３０と反対側を向く下面１２１２とを有する。感光要素２０は、レンズ３０に対向する前面２０１と、レンズ３０と反対側を向きかつベース基板１２１の上面１２１１の上方に配置された後面２０２とを有する。感光要素２０は、リード配線（例を非限定的に挙げると、金配線、銀配線、銅配線、およびアルミニウム配線）などの少なくとも１つの電気的接続要素２０３を通じて、ベース基板１２１へ電子的に接続される。電気的接続要素２０３は、感光要素２０の片側、両側、３つの側部または４つの側部において配置され得る。感光要素２０は、感光要素２０を金配線を介してベース基板１２１へ電気的に接続させることにより、プロセス（例を非限定的に挙げると、ＳＭＴ（面実装技術）プロセスまたはＣＯＢ（チップオンボード）プロセス）を通じてベース基板上に取り付けられ得る。もちろん、他の実施形態において、感光要素２０は、他の接続方法（例えば、埋設方法またはＦＣ（フリップチップ）方法）を介してベース基板へ接続され得る。当業者であれば、感光要素２０と回路基板１２との間の接続および取付方法は、本発明において限定されないことを理解する。
【０２１９】
より詳細には、感光要素２０の前面２０１は、感光性領域１３１１と、感光性領域１３１１の周囲に配置された非感光性領域１３１２とを有する。感光性領域１３１１は、内部において光信号から電気信号への変換が行われる感光性性能のために用いられ、非感光性領域１３１２は、電気信号を回路基板１２へ送信するように、電気的接続要素２０３と共に配置される。レンズ３０は、同軸光軸が配置されるように感光要素２０へ光学的に連結されるため、レンズ３０を通過した光ビームが光窓１１１を介して感光要素２０に到達した後、感光要素２０による光変換プロセスを経て、電気信号を回路基板１２へ送ることができ、カメラモジュール１００が画像情報をキャプチャすることができる。
【０２２０】
図２５Ａ〜図２６に示すように、カメラモジュールユニット１００それぞれの光フィルタ５０は、レンズ３０を通過する光ビームのフィルタリングに用いられ、その例を非限定的に挙げると、ＩＲカットフィルタ、ブルーグラス光フィルタ、ウェーハレベルＩＲカットフィルタ、フルスペクトルの光フィルタ、および可視光フィルタリング要の光フィルタがある。各カメラモジュールユニット１００は、その光フィルタホルダ４０において取り付けられたその光フィルタ５０を有し、その感光要素２０の光通路中に配置される。カメラモジュールユニット１００はそれぞれ、アクチュエータ６０（例えば、ボイスコイルモータまたは圧電モータ）をさらに含み得、そのレンズ３０は、ＡＦ（オートフォーカス）カメラモジュールを形成するようにアクチュエータ６０と共に取り付けられる。アクチュエータ６０は、アクチュエータ６０を回路基板１２と動作可能に接続させるように配置された少なくとも１つの接続ピン６１を含む。少なくとも１つの接続ピン６１は、単一のピン、二重ピン、１列のピンまたは２列のピンとして具現化され得る。本発明の図面において、２つのピンが図示されるが、本発明の範囲を限定しない。接続ピン６１は通常、回路基板１２の縁に隣接して配置される。図２６は、線Ａ−Ａに沿った断面図であり、図２５Ａおよび図２５Ｂの断面図に対応する。接続ピン６１は、図２５Ａおよび図２５Ｂの断面図において実際には図示されていないが、理解および説明を簡単にするために、対応する断面図中のピン６１の存在を例示するために破線が用いられる。当業者であれば、接続ピン６１の種類、形状および位置は本発明において限定されないことを理解する。
【０２２１】
図２５Ａ〜図２７を参照して、本発明のこの第１１の実施形態によれば、各カメラモジュールユニット１００について、光フィルタ５０は、光フィルタホルダ４０において取り付けられ、一体型ベース１１の光窓１１１中に下方に支持される。各カメラモジュールユニット１００の一体型ベースアセンブリ１０の一体型ベース１１は上面１１３を有し、光フィルタホルダ４０は、一体型ベース１１の上部上に取り付けられるように上面１１３上に支持され、アクチュエータ６０は、光フィルタホルダ４０の上部に取り付けられる。本発明のこの第１１の実施形態によれば、各カメラモジュールユニット１００の一体型ベースの上面１１３は、平坦な表面である。換言すれば、一体型ベース１１は、突出ステップを含まない平坦なステップ構造を形成し、光フィルタホルダ４０は、平坦なステップ構造において取り付けられる。この構成において、一体型ベース１１の上面１１３は、任意の明らかな屈曲角度の形成無く平坦に延びるため、統合パッケージングプロセス（例えば、成型プロセス）時において、比較的平坦な取付表面がぼやけ無しに得られて、光フィルタホルダ４０に対して比較的良好な平坦な取付条件が得られる点に留意されたい。
【０２２２】
より詳細には、各カメラモジュールユニット１００の光フィルタホルダ４０は、光フィルタ５０の取付のために形成された少なくとも１つの支持溝部４１およびよって一体型ベース１１上の光フィルタホルダ４０の取付のために形成された少なくとも１つの係合溝部４２を含む。支持溝部４１は、光窓１１１と連通し、光フィルタ５０を受容する受容開口部４１１を規定する。係合溝部４２は、光フィルタホルダ４０を一体型ベース１１上に載置および取付するように、光フィルタホルダ４０の下周囲の周囲に配置される。
【０２２３】
換言すれば、支持溝部４１は、光フィルタ５０の感光要素２０の光路に沿った光フィルタホルダ４０における取付を容易化するための内側筐体空間を形成する。係合溝部４２は、一体型ベース１１と係合する外側筐体空間を形成し、一体型ベース１１により、光フィルタホルダ４０のための取付場所が提供される。
【０２２４】
より詳細には、係合溝部４２は、一体型ベース１１と連結されるような形状にされるため、光フィルタホルダ４０を一体型ベース１１において密接かつ安定して取り付けることができる。
【０２２５】
より詳細には、各カメラモジュールユニット１００の光フィルタホルダ４０は、光フィルタホルダ本体４３と、少なくとも１つの内方伸長アーム４４と、光窓１１１中に配置された光フィルタ５０の取付場所を形成するように光フィルタホルダ本体４３から長手方向に延びる少なくとも１つの下方伸長アーム４５とを含む。内方伸長アーム４４は、水平（横方向）の取付位置を光フィルタ５０へ提供するように下方伸長アーム４５から横方向に延びて、光フィルタ５０の光軸および感光要素の光軸が同軸にアラインされる。図示の第１１の実施形態において、各カメラモジュールユニット１００の光フィルタホルダ４０は、４つの一体的に接続された内方伸長アーム４４および４つの一体的に接続された下方伸長アーム４５を含み、４つの内方伸長アーム４４および４つの下方伸長アーム４５は、一体型ベース本体４３の４つの側部から一体的に延びて、輪状の一体型本体を光フィルタホルダ４０として形成する。
【０２２６】
一実施形態において、光フィルタホルダ４０の係合溝部４２は、各カメラモジュールユニット１００の一体型ベース１１の光窓１１１の形状に対応した形状にされる。支持溝部４２の形状は、光フィルタホルダ５０の形状とも整合される。詳細には、光フィルタ５０は四角形状を有し、図２６および図２７に示すような支持溝部４２は、相応に輪状形状（例えば、四角輪状）を有する。
【０２２７】
各下方伸長アーム４５の下方に延びる距離により、光窓１１１中に配置された光フィルタ５０の下方距離が決定され、各内方伸長アーム４４の横方向に延びる距離により、光フィルタ５０の光通路領域が決定される点に留意されたい。例えば、下方伸長アーム４５の下方に延びる距離が大きいほど、光フィルタ４０がより深く光窓１１１中に沈み、光フィルタ５０と感光要素２０との間の距離が短いほど、カメラモジュールのバックフォーカス長さも短くすることができる。各内方伸長アーム４４の横方向に延びる距離が大きいほど、光フィルタホルダ４０の受容開口部４１１が小さくなり、光フィルタの光通路領域がより小さくなるため、適切な光フィルタ５０の装備および取付がより簡便になるため、組立プロセスが簡単になり得、カメラモジュールユニット１００のコストが低下し得る。もちろん、各下方伸長アーム４５の下方に延びる距離は、バックフォーカス長さを低減しつつ、カメラモジュールの画像品質（例えば、ダークスポットおよび粉塵の画像の回避）も考慮に入れる必要がある。内方伸長アーム４４の横方向に延びる距離は、カメラモジュールユニット１００の光路、感光要素２０の感光性領域１３１１および非感光性領域１３１２のレイアウト、および回路基板１２のマージン幅も考慮に入れる必要がある。例えば、各内方伸長アーム４４が内方および横方向に延びるように設計されているため、光フィルタ５０が比較的小さい条件において、各内方伸長アーム４４は、感光要素２０の感光性領域１３１１を遮断しないようにされ続ける必要があるため、光束を過度に遮断することは無い。加えて、回路基板１２の統合パッケージング後にもより幅広の空間が存在し続ける場合（すなわち、感光要素２０と一体型ベース１１との間により大きな光窓１１１またはより幅広の距離を設けた場合）、内方伸長アーム４４をより内方に延ばすことができるものの、キャプチャされた画像の品質を確保しつつ光フィルタ５０のサイズおよび光通路領域を最小化させるために回路基板１２の統合パッケージングの後により狭い空間が存在し続ける場合（すなわち、より小さな光窓１１１またはより狭い距離が感光要素２０と一体型ベース１１との間にある場合）、内方に延ばす距離は短くなり得る。
【０２２８】
例えば、図２５Ｂに示すように、Ｌは、２つの対向する内方伸長アーム４４の距離を示し、光フィルタ５０のサイズは、Ｌよりも若干大きくするだけでよい。換言すれば、光フィルタ５０は、従来技術のように一体型ベース本体１１２において支持すべき部分以外の内方伸長アーム４４それぞれの上に光フィルタ５０の縁を載置することにより支持することができ、これにより、必要な光通路領域および光フィルタ５０のサイズを相応に低減させることができる。
【０２２９】
光フィルタホルダ４０は、一体型ベース１１に対応した形状を有する。いくつかの実施形態において、一体型ベース１１は、ほぼ規則的かつ対称な構造（例えば、四角輪状）を有する。相応に、光フィルタホルダ４０は対称構成を有するような構造にされ、光フィルタホルダ本体４３は、規則的かつ対称構造を有し、内方伸長アーム４４および下方伸長アーム４５が均一な形状にされる。他のいくつかの実施形態によれば、埋設すべき電子コンポーネントの位置が異なるため、一体型ベース１１は、異なる幅の内方突出部を有し得、これにより、光フィルタホルダ本体４３へ対応する溝部または突出が付与され得、あるいは、一体型ベース１１の形状および感光要素２０の位置と整合するように内方伸長アーム４４の長さが異なり、これにより、光フィルタ５０の取付が簡単になる。
【０２３０】
いくつかの実施形態によれば、接着剤の接着により光フィルタホルダ４０を一体型ベース５０へ接着することができ、光フィルタホルダ４０の平坦性およびレベリングを確保するように、接着剤の厚さを調節および制御することができる。
【０２３１】
さらに、本発明の第１１の実施形態によれば、図２５Ａ〜図２７に示すようなアレイカメラモジュール１０００のアレイ構造を形成するように、２つのカメラモジュールユニット１００一体的に接続される。詳細には、２つのカメラモジュールユニット１００の２つの一体型ベースアセンブリ１０は、ジョイント一体型ベースアセンブリ１１００の一体型ピースを形成するように一体的な構造および組み合わせにされ、２つのカメラモジュールユニット１００の２つの回路基板１２を一体的に構成して、ジョイント回路基板１１２０の一体型ピースを形成し、２つの一体型ベース１１は、ジョイント一体型ベース１１１０の一体型ピースを形成するように一体的に成型されたおよびパッケージされる。２つの光フィルタホルダ４０は、ジョイント光フィルタホルダ１４００の一体型ピースを形成するように一体的に構成される。換言すれば、ジョイント一体型ベース１１１０の一体型ピースは、統合パッケージングプロセスにおいて形成され、ジョイント回路基板１１２０それぞれの２つの回路基板１２上に設けられた２つの感光要素２０のための２つの光通路を提供する２つの光窓１１１を横並びに規定する。あるいは、２つの光フィルタホルダ４０は、一体的に相互接続されていない２つの独立した光フィルタホルダであってもよく、その場合、それぞれジョイント一体型ベース１１１０の２つの一体型ベース１１であり、２つの一体型ベース１１は、ジョイント回路基板１１２０上に独立的に成型およびパッケージされた２つの独立した一体型ベース１１であってもよい。
【０２３２】
より詳細には、この第１１の好適な実施形態において、ジョイント一体型ベース１１１０は、ジョイント回路基板１１２０上に一体的にパッケージされ、ジョイント一体型ベース１１１０は、２つの感光要素２０および２枚レンズ３０それぞれのための２つの光通路を提供する２つの光窓１１１を有する。ジョイント光フィルタホルダ１４００は、２つの光フィルタ５０それぞれを取り付けるための２つの支持溝部４１も内部に形成する。
【０２３３】
二重型アレイカメラモジュール１０００を形成するための２つのカメラモジュールユニット１００のこの一体型構成は、２つのカメラモジュールユニット１００の相互一貫性向上において有利であり、空間節減にもなる点に留意されたい。例えば、ジョイント光フィルタホルダ１４００は、２つの光フィルタ５０それぞれの２つの取付場所を提供することができる。そのため、製造プロセス時において、２つの支持溝部の一貫性をジョイント回路基板１１２０上のジョイント一体型ベース１１１０の成型およびパッケージングにより制御することにより、一貫した取付環境を２つの光フィルタ５０のために提供することができる。
【０２３４】
ジョイント一体型ベース１１１０は、２つの接続隣接一体型ベース１１間の一体型接合部１１１１を含む。ジョイント光フィルタホルダ１４００は、２つの一体的に接続する光フィルタホルダ４０間にブリッジ部位１４１０を有し、ジョイント一体型ベース１１１０の一体型接合部１１１の上方にブリッジされる。より詳細には、２つの光フィルタホルダ４０の光フィルタホルダ本体４３は、ブリッジ部位１４１０を形成するように一体的に接続された２つの隣接する縁を有する。
【０２３５】
本発明のこの第１１の実施形態によれば、図２５Ａおよび図２５Ｂに示すように、２つのカメラモジュールユニット１００はそれぞれ、アクチュエータ６０を含む点に留意されたい。換言すれば、２つのカメラモジュールユニット１００は、どちらもオートフォーカスカメラモジュールであり、２つのオートフォーカスカメラモジュールは、画像取得において協働する。他のいくつかの実施形態によれば、アレイカメラモジュールは、他の組み合わせのカメラモジュールユニット１００と共に構成してもよい。一実施形態において、図２８Ａおよび図２８Ｂに示すように、２つのカメラモジュールユニット１００はどちらも、アクチュエータ６０を備える。換言すれば、２つのカメラモジュールユニット１００はどちらも固定焦点カメラモジュールであり、画像取得において協働する。一実施形態において、図２９Ａおよび図２９Ｂに示すように、アレイカメラモジュール１０００のカメラモジュールユニット１００のうちの１つは、オートフォーカスカメラモジュールを形成するようにアクチュエータ６０を備え、他のカメラモジュールユニット１００には、固定焦点カメラモジュールを形成するようにアクチュエータ６０を付与されず、オートフォーカスカメラモジュールは、画像取得を達成するように固定焦点カメラモジュールと協働する。
【０２３６】
この第１１の実施形態によれば、ジョイント光フィルタホルダ１４００はジョイント一体型ベース１１１０において取り付けられ、２つのアクチュエータ６０はジョイント一体型光フィルタホルダ１４００において取り付けられる。換言すれば、ジョイント光フィルタホルダ１４００は、アクチュエータ６０と、ジョイント一体型ベース１１１０との間に取り付けられる。第１１の実施形態の１つの別の態様において、図３０Ａおよび図３０Ｂに示すように、ジョイント光フィルタホルダ１４００および２つのアクチュエータ６０の一部は、ジョイント一体型ベース１１１０の上面１１３上に取り付けられる。より詳細には、ジョイント光フィルタホルダ１４００はジョイント一体型ベース１１１０上に取り付けられ、ジョイント一体型ベース１１１０の上面１１３の少なくとも２つの外側は、２つのアクチュエータ６０の部位を取り付けるために開口したままにされ、これにより、２つのアクチュエータ６０およびジョイント光フィルタホルダ１４００が協働して、ジョイント一体型ベース１１１０の上面１１３を共有する。
【０２３７】
図３１を参照して、本発明の第１１の好適な実施形態によるジョイント一体型ベースおよびジョイント光フィルタホルダの第１の別の態様が図示される。この第１の別の態様において、一体型ベース１１Ａそれぞれの内面は、下部から上部へ傾斜して延びて光窓１１１Ａそれぞれを形成し、光窓１１１Ａはそれぞれ、下部から上部へ増加するサイズを有する。より詳細には、各一体型ベース１１Ａの各内面１１４Ａにより、カメラモジュール１００Ａの光軸に対する傾き角度αが規定され、これにより、光窓１１１Ａそれぞれの開口部は、一体型ベース１１Ａの製造を促進するように大きなサイズを有する。傾き角度αは、３°〜３０°の範囲内である。いくつかの実施形態において、αの値は、３°〜１５°、１５°〜２０°または２０°〜３０°である。よって、各光フィルタホルダ４０Ａの係合溝部４２Ａにより、傾き角度αに対応する係合角度α１が規定され、これにより、係合溝部４２Ａの形状は内面１１４Ａの傾斜形状と整合するため、各光フィルタホルダ４０Ａを所定位置により安定して取り付けることができる。
【０２３８】
換言すれば、各下方伸長アーム４５Ａは、光フィルタホルダ本体４３Ａから傾斜して下方に延びて、傾き角度αに対応する係合角度α１を規定する。各内方伸長アーム４４Ａは、光フィルタホルダ本体４３Ａから横方向かつ内方に延び、９０°以上であり得る支持角度βを規定し、これにより、光フィルタ５０の組立を促進させる。もちろん、傾き角度αを有する一体型ベース１１は、係合角度α１および支持角度βを形成しない光フィルタホルダ４０と共に取り付けてもよい。
【０２３９】
図３２Ａに示すように、本発明の第１１の好適な実施形態によるジョイント一体型ベースアセンブリおよびジョイント光フィルタホルダの第２の別の態様が図示される。光フィルタホルダ４０Ｂはそれぞれ、各光フィルタ４０Ｂの取付場所を提供する各一体型ベース１１Ｂの光窓１１１Ｂと連通する支持溝部４１Ｂのみを形成する。換言すれば、光フィルタ５０は、支持溝部４１Ｂにおいてそれぞれ取り付けられる。
【０２４０】
より詳細には、光フィルタホルダ４０Ｂはそれぞれ、光フィルタホルダ本体４３Ｂおよび少なくとも１つの内方伸長アーム４４Ｂを含む。少なくとも１つの内方伸長アーム４４Ｂのみが、光フィルタホルダ本体４３Ｂの下部から横方向に一体的におよび内方に延びて、内方伸長アーム４４Ｂ上に支持溝部４１Ｂを規定し、２つのフィルタホルダ本体４３Ｂを有する光ジョイントフィルタホルダ４０Ｂは、２つの一体型ベース１１Ｂを有するジョイント一体型ベース１１１０Ｂ上に載置されかつ取り付けられるように適合される。
【０２４１】
換言すれば、光フィルタホルダ４０Ｂはそれぞれ、下方伸長アーム４５および係合溝部４２Ｂを有さない。そのため、光フィルタの取付場所は、光窓１１１Ｂ中に沈まない。しかし、各内方伸長アーム４４Ｂの内方に延びる距離を通じて、光フィルタ５０の光通路領域も低減させることができ、光フィルタ５０は各支持溝部４１Ｂ中に受容されるため、光フィルタ５０の光フィルタホルダ４０Ｂに対する相対的高さが低減される。
【０２４２】
図３２Ｂは、本発明の第１１の好適な実施形態によるジョイント一体型ベースアセンブリおよびジョイント光フィルタホルダの第２の別の態様の代替例を示す。各光フィルタホルダ４０Ｂ１は、レンズ３０および光フィルタ５０それぞれのための組立場所を提供する支持溝部４１Ｂ１および取付溝部４８Ｂ１を有する。
【０２４３】
より詳細には、各光フィルタホルダ４０Ｂ１は、光フィルタホルダ本体４３Ｂ１および少なくとも１つの内方伸長アーム４４Ｂ１を含む。少なくとも１つの内方伸長アーム４４Ｂ１は、光フィルタホルダ本体４３Ｂ１の下部から横方向に一体的かつ内方に延びて、支持溝部４１Ｂ１を内方伸長アーム４４Ｂ１および内方伸長アーム４４Ｂ１の下側の取付溝部４８Ｂ１上に形成する。各光フィルタホルダ４０Ｂ１は、レンズ支持部４９Ｂ１をさらに有する。レンズ支持部４９Ｂ１は、レンズ３０を受容する光フィルタホルダ本体４３Ｂ１から一体的に上方に延びる。この代替例によれば、光フィルタ５０はそれぞれ、各内方伸長アーム４４Ｂ１の下側に取り付けられる。
【０２４４】
さらに、この代替例において、各レンズ支持部４９Ｂ１は、ねじ山の係合無しにレンズ３０を取り付けるためのねじ山を含まない平坦な内面を有する。
【０２４５】
換言すれば、各カメラモジュールユニット１００Ｂ１が固定焦点カメラモジュールである場合、レンズ３０を所定位置に保持するようにレンズ３０を光フィルタホルダ４０Ｂ１内に直接取り付けることができる。詳細には、レンズ３０と、レンズ支持部４９Ｂ１との間に隙間を設けることにより、レンズ３０の組立および調節を促進した後、レンズ３０を例えば接着により所定位置に固定する。
【０２４６】
図３２Ｃは、本発明の第１１の好適な実施形態によるジョイント一体型ベースアセンブリおよびジョイント光フィルタホルダの第２の別の態様の別の代替的例を示す。各光フィルタホルダ４０Ｂ２は、レンズ３０および光フィルタ５０それぞれのための組立場所を提供する支持溝部４１Ｂ２および取付溝部４８Ｂ２を有する。
【０２４７】
より詳細には、各光フィルタホルダ４０Ｂ２は、光フィルタホルダ本体４３Ｂ２および少なくとも１つの内方伸長アーム４４Ｂ２を含む。少なくとも１つの内方伸長アーム４４Ｂ２は、横方向に、光フィルタホルダ本体４３Ｂ２の下部から一体的に内方に延びて、支持溝部４１Ｂ２を内方伸長アーム４４Ｂ２および内方伸長アーム４４Ｂ２の下側の取付溝部４８Ｂ２上に形成する。光フィルタホルダ４０Ｂ２は、レンズ支持部４９Ｂ２をさらに有する。レンズ支持部４９Ｂ２は、レンズ３０を受容する光フィルタホルダ本体４３Ｂ２から一体的かつ上方に延びる。この代替例によれば、光フィルタ５０はそれぞれ、各内方伸長アーム４４Ｂ２の下側に取り付けられる。
【０２４８】
さらに、本発明のこの代替例において、各レンズ支持部４９Ｂ２は、ねじ山係合によりレンズ３０を取り付けるための内側ねじ込み構造を有する。
【０２４９】
換言すれば、各カメラモジュールユニット１００Ｂ２が固定焦点カメラモジュールである場合、レンズ３０を所定位置に保持するように、レンズ３０を光フィルタホルダ４０Ｂ２内に直接ねじ込むことができる。
【０２５０】
上記２つの代替例において、レンズ３０を光フィルタホルダ４０Ｂ１または４０Ｂ２中に直接取り付けることが可能な様子を示す各光フィルタホルダの可能な別の態様はひとえに例示的なものであり、本発明を限定しない点に留意されたい。
【０２５１】
図３３Ａを参照して、本発明の第１１の好適な実施形態によるジョイント光フィルタホルダの第３の別の態様が図示される。この第３の別の態様において、光フィルタホルダ４０Ｃはそれぞれ、受容開口部４１１Ｃの角部位置に設けられた少なくとも１つの角開口部４４１Ｃを有し、これにより、光フィルタ５０の組立が簡単になり、鋭利な角部に起因するカメラモジュールユニット１００の画像の縁影が低減する。より詳細には、角開口部４４１Ｃは、２つの隣接する内方伸長アーム４４Ｃ間に延び、光窓１１１Ｃを外部と連通させるように上方に延びて、カメラモジュールユニットの光フィルタホルダ４０Ｃの角部位置における光束を増加させる。換言すれば、２つの隣接する内方伸長アーム４４Ｃ間に角開口部４４１Ｃが形成される。角開口部４４１Ｃは、光フィルタホルダ４０Ｃの角開口部４４１Ｃにおける光束を増加させるように外部と連通するため、縁影が低減する。
【０２５２】
より詳細には、一実施形態において、各角開口部４４１Ｃは、拡張した四角角開口部である。例えば、非限定的に、各光フィルタホルダ４０Ｃは、４つのこのような拡張した四角角開口部をその４つの角部位置において有する。他の実施形態において、各角開口部４４１Ｃは、光フィルタホルダ４０Ｃの角部における光束を増加させるような円弧角度を有する角開口部であり得る。もちろん、いくつかの実施形態において、角開口部４４１Ｃが形成されていないもある。当業者であれば、角開口部４４１Ｃの形状、数および位置は、本発明の範囲を限定しないことを理解する。
【０２５３】
図３３Ｂに示すように、本発明の第１１の好適な実施形態による第４の別の態様が図示される。ジョイント光フィルタホルダ１４００Ｐの光フィルタホルダ４０Ｐはそれぞれ、少なくとも１つの保持突起部４６Ｐを含む。少なくとも１つの保持突起部４６Ｐは、少なくとも部分的に光フィルタホルダ本体４３Ｐの上部から突出的に上方に延びて、取り付けられたコンポーネントを保持するかまたは粉塵または光がカメラモジュールユニット１００Ｐの内部空間に到達する事態を回避する。例えば、非限定的に、各保持突起部４６Ｐは、アクチュエータ６０またはレンズ３０を所定位置に保持するために用いられる。詳細には、例えば、保持突起部４６Ｐは、光フィルタホルダ本体４３Ｐを２つの部位（例えば、アクチュエータ６０の取付に用いられる外側部位およびレンズ３０の取付に用いられる内側部位）に分割するように、光フィルタホルダ本体４３Ｐの中間位置において設けられる。このような構成において、各保持突起部４６Ｐは、アクチュエータ６０の逸脱を低減させるように、各アクチュエータ６０を所定位置に保持することができる。組立プロセス時において、保持突起部４６Ｐは、アクチュエータ６０を所定位置に接着させる際に用いられる接着剤が内側空間中にオーバーフローしてレンズまたは他の内側コンポーネントを汚染させる事態を回避することができる。詳細には、保持突起部４６Ｐは、アクチュエータ６０を所定位置に一体的に保持し、接着剤が内側空間中にオーバーフローすることを回避するように、輪状に突出し得る。
【０２５４】
本発明の他の実施形態によれば、保持突起部４６Ｐの表面は、レンズ３０を直接取り付けるためのねじ山を備え得る点に留意されたい。保持突起部４６Ｐの外側にねじ山が設けられた場合、比較的大きなポアー直径を有するレンズ３０と連結すると適切である。
【０２５５】
図３４Ａ〜図３５を参照して、本発明の第１２の好適な実施形態によるジョイント一体型ベースアセンブリが図示される。ジョイント一体型ベースアセンブリ１１００Ｄの一体型ベース１１Ｄはそれぞれ、は、一体型ベース本体１１２Ｄを含む。一体型ベース本体１１２Ｄは、各感光要素２０のための光通路を提供する少なくとも１つの光窓１１１Ｄを内部に含む。より詳細には、一体型ベース本体１１２Ｄは、光窓１１１Ｄを外部と連通させる少なくとも１つの側部開口部１１２１Ｄを有し、光フィルタホルダ４０Ｄは、光フィルタホルダ４０Ｄおよび基体１１２Ｄによって密閉的に包囲された光窓１１１Ｄを形成するように側部開口部１１２１Ｄを被覆する。
【０２５６】
光フィルタホルダ４０Ｄはそれぞれ、少なくとも１つの伸長脚部４３３Ｄを含む。少なくとも１つの伸長脚部４３３Ｄは、その光フィルタホルダ本体４３Ｄの下側から各ベース基板１２１Ｄへ一体的に下方に延びて、側部開口部１１２１Ｄを被覆および封入する。例えば、非限定的に、伸長脚部４３３Ｄは、ベース基板１２１Ｄおよび／または一体型ベース本体１１２Ｄへ接着によって接続される。
【０２５７】
より詳細には、各一体型ベース本体１１２ＤはＵ字型構造を有し、光フィルタホルダ４０Ｄの光フィルタ本体４３ＤはＵ字型一体型ベース本体１１２Ｄと係合し、伸長脚部４３３Ｄは、Ｕ字型構造の側部開口部１１２１Ｄへ下方に延びて、一体型ベース１１Ｄのための閉鎖された構造が形成されて、密閉および封入された内部環境が形成される。
【０２５８】
換言すれば、この第１２の実施形態において、一体型ベース１１Ｄはそれぞれ、各光フィルタホルダ４０Ｄと一体的に組み合わされて、カメラモジュールユニットの従来のホルダとして機能するため、一体型封入プロセスの利点および光フィルタホルダ４０Ｄの機能が本発明において取り入れられる。
【０２５９】
カメラモジュールのサイズ要求は高まる一方であるため、回路基板１２Ｄの電子コンポーネント１２２Ｄのレイアウト、電子接続要素２０３の位置、および一体型ベース１１Ｄのパッケージング位置を適切に構成する必要がある（すなわち、ベース基板１２１Ｄをフル活用しつつ、これらのコンポーネントの占有面積を低減させてアレイカメラモジュールのサイズを低減させる必要がある）点に留意されたい。本発明のこの第１２の実施形態によれば、電子コンポーネント１２２Ｄの位置は、統合パッケージングのために用いられる（すなわち、電子コンポーネント１２２Ｄは一体型ベース１１Ｄ中に埋設される）ため、電子コンポーネント１２２Ｄの周囲の空間が利用され、電子コンポーネント１２２Ｄと電気的接続要素２０３との間の電磁干渉が低減され、電子コンポーネント１２２Ｄを備えていないベース基板１２１Ｄそれぞれの片側における位置に各光フィルタホルダ４０Ｄの伸長脚部４３３Ｄが付与されるため、ベース基板１２１Ｄの残りの位置がフル活用される。一方、ジョイント光フィルタホルダ１４００Ｄの導入により、ジョイント一体型ベース１１１０Ｄの一体型ベース１１Ｄの平坦性およびレベリングの接着により取り付けられる２つの光フィルタホルダ４０Ｄを調節および補償することができるため、アレイカメラモジュールの良好な取付条件が得られる。
【０２６０】
図３６Ａ〜図３６Ｃに示すように、本発明の第１２の好適な実施形態によるアレイカメラモジュールのジョイント一体型ベースアセンブリおよびジョイント光フィルタホルダの別の態様が図示される。ジョイント一体型ベースアセンブリ１１００Ｅのジョイント一体型ベース１１１０Ｅの各一体型ベース１１Ｅは、少なくとも１つの光窓１１１Ｅが内部に形成された一体型ベース本体１１２Ｅを含む。少なくとも１つの光窓１１１Ｅは、ジョイント回路基板１１２０Ｅの各感光要素２０のための光通路を提供する。より詳細には、一体型ベース本体１１２Ｅはそれぞれ、光窓１１１Ｅを外部と連通させる２つの側部開口部１１２１Ｅを有する。各光フィルタホルダ４０Ｅは、光窓１１１Ｅを密閉的に封入するように側部開口部１１２１Ｅを被覆する手段を有する。
【０２６１】
光フィルタホルダ４０Ｅはそれぞれ、２つの伸長脚部４３３Ｅを含む。これらの２つの伸長脚部４３３Ｅはそれぞれ、開口部１１２１Ｅを密接かつ密閉的に被覆および閉鎖するように、光フィルタホルダ本体４３Ｅから各ベース基板１２１Ｅへ一体的に下方に延びる。例えば、非限定的に、伸長脚部４３３Ｅはそれぞれ、各ベース基板１２１Ｅおよび／または各一体型ベース本体１１２Ｅへ接着により接続される。より詳細には、一実施形態によれば、ジョイント一体型ベース１１２０Ｅの一体型ベース本体１１２Ｅは、横並びに平行に一体的に接続され、ジョイント光フィルタホルダ１４００Ｅの２つの光フィルタホルダ４０Ｅの光フィルタホルダ本体４３Ｅも、横並びに平行に接続され、一体型ベース本体１１２Ｅそれぞれに取り付けられ、光フィルタホルダ４０Ｅそれぞれの伸長脚部４４３Ｅは、各一体型ベース本体１１２Ｅの２つの側部に形成された側部開口部１１２１Ｅを充填および被覆するように下方に延びて、密閉および閉鎖された内部環境が光窓１１１Ｅとして一体型ベース本体１１２Ｅによって形成される。いくつかの実施形態において、２つの内側の隣接する伸長脚部を一体的に接続させて、組み合わされた伸長脚部を形成することができる。詳細には、組み合わされた伸長脚部は、２つのカメラモジュールユニットの２つの光窓１１１Ｅおよび２つの光通路を分離させる２つの光窓１１１Ｅ間に配置される。換言すれば、この実施形態によれば、ジョイント光フィルタホルダ１４００Ｅは、３つの伸長脚部４３３Ｅを含む。これら３つの伸長脚部４３３Ｅは、相互に平行な２つの外側伸長脚部４３３Ｅおよび中間伸長脚部４３３Ｅを含む。中間伸長脚部４３３Ｅは、２つの光窓１１１Ｅを分離させるように光窓１１１Ｅ間に配置され、他の２つの外側伸長脚部４３３Ｅはそれぞれ、ジョイント一体型ベース１１１０Ｅの２つの外側開口部１１２１Ｅを充填および被覆するように内方に延びて、２つの独立した封入された光窓１１１Ｅが形成される。換言すれば、アレイカメラモジュール１０００Ｅにおいて、２つのカメラモジュールユニット１００Ｅの２つの光窓１１１Ｅを相互に連通させた後、ジョイント光フィルタホルダ１４００Ｅが取り付けられる。ジョイント光フィルタホルダ１４００Ｅは、２つの外側伸長脚部４３３Ｅを含む。２つの外側伸長脚部４３３Ｅは、ジョイント一体型ベース１１１０Ｅおよび中間伸長脚部４３３Ｅの２つの外側開口部１１２１Ｅを被覆して、ジョイント一体型ベース１１１０Ｅと協働して２つの光窓１１１Ｅ間に配置して、２つの分離および密閉された光窓１１１Ｅが形成される。光フィルタホルダ４０Ｅの隣接する伸長脚部４３３Ｅは、ベース１１１０Ｅの一体型ピースの一体型接合部１１１１Ｅに実質的に代替し得る組み合わされた部位（すなわち中間伸長脚部）を実際に形成する。一実施形態において、２つの隣接する伸長脚部４３３Ｅは、実際に一体的に形成され、一体型に組み合わされた伸長脚部４３３Ｅが示される。
【０２６２】
図３７Ａ〜図３７Ｂを参照して、本発明の第１２の好適な実施形態によるジョイント一体型ベースおよびジョイント光フィルタホルダの別の代替的態様が図示される。この別の態様において、ジョイント一体型ベースアセンブリ１１００Ｑのジョイント一体型ベース１１１０Ｑの一体型ベース１１Ｑそれぞれは、ジョイント回路基板１１２０Ｑ上に電気的に接続された各感光要素２０のための光通路を提供するように形成された少なくとも１つの光窓１１１Ｑを有する一体型ベース本体１１２Ｑを含む。より詳細には、ジョイント一体型ベース１１１０Ｑは、２つの光窓１１１Ｑをそれぞれ外部へ連通させる２つの側部開口部を例えば２つの対向する外側において有する。ジョイント光フィルタホルダ１４００Ｄは、２つの側部開口部１１２１Ｑを被覆および閉鎖させて光窓１１１Ｑの周囲を封入する手段を含む。この別の態様と、上記実施形態との間の差として、ジョイント光フィルタホルダ１４００Ｑをジョイント一体型ベース１１１０Ｑ上に配置してジョイント光フィルタホルダ１４００Ｑを２つの側部に保持することが促進されるように、ジョイント一体型ベースアセンブリ１１００Ｑの２つの一体型ベース本体１１２Ｑの２つの側部開口部１１２１Ｑが対向側において配置される点がある。
【０２６３】
さらに、各側部開口部１２１１Ｑは、対応する光フィルタホルダ４０Ｑを所定位置に保持および取付するように逆台形形状を有するような構造にされる。よって、各ジョイント光フィルタホルダ１４００Ｑは、２つの伸長脚部４３３Ｑを含む。これら２つの伸長脚部４３３Ｑは、側部開口部１１２１Ｑをそれぞれ密閉的に被覆および閉鎖させるように、２つの光フィルタホルダ本体４３Ｄからベース基板１２１Ｑそれぞれへ一体的かつ下方に延びる。より詳細には、２つの伸長脚部４３３Ｑは２つの対向側において配置され、それぞれ、各側部開口部１１２１Ｑを密接に被覆する逆台形構造を有する。例えば、光フィルタホルダ４０Ｑが取り付けられているとき、各伸長脚部４３３Ｑは、対応する側部開口部１１２１Ｑを密閉および閉鎖させるように、側部開口部１１２１Ｑにおいて保持される。
【０２６４】
当業者であれば、本発明の実施形態における開口部１１２１Ｑの形状およびサイズはひとえに例示的なものであり、本発明の範囲を限定しないことを理解する。
【０２６５】
詳細には、いくつかの実施形態において、電子コンポーネント１２２Ｑは、ベース基板１２１Ｑの片側のみにおいて集合的に配置され得、各一体型ベース本体１１２Ｑの少なくとも一部によって埋設され、より詳細には、一体型ベース本体１１２Ｑによってより広い領域において埋設される。基体１２１Ｑのうち電子コンポーネント１２２Ｑを備えていない他方の側部は、各一体型ベース本体１１２Ｑの比較的狭い部位に対応する。光フィルタホルダ４０Ｑはそれぞれ、各一体型ベース本体１１２Ｑにおいて取り付けられ、伸長脚部４３３Ｑはそれぞれ、各一体型ベース本体１１２Ｑの２つのより幅広の部位とより幅狭の部位との間の各側部開口部１１２１Ｑを充填および被覆するように、下方に延びる。
【０２６６】
さらに、一体型ベース本体１１２Ｑはそれぞれ、対応する側部開口部１１２１Ｑを形成する少なくとも１つの開口壁部１１２２Ｑ（実際には、２つの開口壁部１１２２Ｑ）を有する。各開口壁部１１２２Ｑは、ベース基板１２１Ｑから傾斜して一体的かつ上方に延びて、逆台形形状の開口部１１２１Ｑを形成する。相応に、伸長脚部４３３Ｑはそれぞれ、開口壁部１１２２Ｑに対応して形成された少なくとも１つの補足壁部４３３１Ｑを有し、これにより、各伸長脚部４３３Ｑの構成は、開口部１１１Ｑの周囲を密閉および封入するように、開口部１１２１Ｑ中へ密接に適切に挿入される。
【０２６７】
詳細には、伸長脚部４３３Ｑそれぞれの補足壁部４３３１Ｑおよび一体型ベース本体１１２Ｑそれぞれの対応する開口壁部１１２２Ｑは、接着剤の接着によって接続および密閉される。
【０２６８】
図面の図３８Ａ〜図３９を参照して、本発明の第１３の好適な実施形態によるアレイカメラモジュールが図示される。ジョイント一体型ベースアセンブリ１１００Ｆのジョイント一体型ベース１１１０Ｆの一体型ベース１１Ｆそれぞれは、上部に形成された取付溝部１１５Ｆを有し、ジョイント光フィルタホルダ１４００Ｆの各光フィルタホルダ４３Ｆの光窓１１１Ｆおよび２つの一体型ベース１１Ｆ間に形成された少なくとも１つのノッチ１１７Ｆへ連通される。本発明の第１３の好適な実施形態によれば、ノッチ１１７Ｈは、２つの一体型ベース１１Ｆの接合部である中間位置（すなわち、ジョイント一体型ベース１１１０Ｆの一体型接合部１１１１Ｆの上方の位置）において設けられ、２つの光窓１１１Ｆへ連通する。換言すれば、ノッチ１１７Ｆは、２つの取付溝部１１５Ｆへ接続し、ジョイント光フィルタホルダ１４００Ｆのブリッジ部位１４１０Ｆを受容する。
【０２６９】
光フィルタホルダ４０Ｆは、ジョイント光フィルタホルダ１４００Ｆをジョイント一体型ベース１１１Ｆ上に密接に取り付けるように、２つの取付溝部１５Ｆそれぞれの内部に取り付けられる。より詳細には、取付溝部１１５ＦはそれぞれＵ字型溝部であり、Ｕ字型溝部の上開口部は、ノッチ１１７Ｆに対応しかつノッチ１１７Ｆと連通する。詳細には、２つの光フィルタホルダ４０ＦのＵ字型溝部は、ノッチ１１７Ｆを通じて相互接続されて、ジョイント光フィルタホルダ１４００を内部に密接に受容する内部受容空間を含む封入されたチャンバを形成して、ジョイント光フィルタホルダ１４００がジョイント一体型ベース１１１０Ｆにおいて取り付けられる場合、ジョイント光フィルタホルダ１４００Ｆのブリッジ部位１４１０Ｆは、中間ノッチ１１７Ｆ中にブリッジおよび配置される。
【０２７０】
より詳細には、光フィルタホルダ４０Ｆそれぞれの係合溝部４２Ｆは、各一体型ベース１１Ｆの取付溝部１１５Ｆへ係合して、光フィルタホルダ４０Ｆの光フィルタホルダ本体４３Ｆが取付溝部１１５Ｆそれぞれの内部において支持および受容される。
【０２７１】
光フィルタホルダ４０Ｆそれぞれの各光フィルタホルダ本体４３Ｆは、上方に配置された任意のコンポーネント（例えば、アクチュエータ６０またはレンズ３０）との接触を回避する所定の厚さを有する。好適には、光フィルタホルダ４０Ｆそれぞれが各取付溝部１１５Ｆ中に取り付けられた場合、光フィルタホルダ４０Ｆの上面は、各一体型ベース本体１１２Ｆの上面と同一面内にあるため、光フィルタホルダ４０は一体型ベース本体１１２Ｆから突出せず、上方に取り付けられたアクチュエータ６０またはレンズ３０と接触する。
【０２７２】
より詳細には、一体型ベース１１Ｆはそれぞれ、一体型ベース本体１１２Ｆから突出および伸長して取付溝部１１５Ｆを規定する複数の突出ステップ１１６Ｆを含む。一体型ベース１１Ｆはそれぞれ、この第１３の実施形態による内側である片側を有し、この片側は、ノッチ１１７Ｆを形成するように突出ステップを形成しない。
【０２７３】
本発明のこの第１３の実施形態によれば、一体型ベース１１Ｆはそれぞれ、Ｕ字型突出構造を形成するように一体的に接続された３つのこのような突出ステップ１１６Ｆを含む。突出ステップ形成無しの一体型ベース１１Ｆそれぞれの内側の上に、ノッチ１１７Ｆが形成される。
【０２７４】
光フィルタホルダ４０Ｆそれぞれの光フィルタホルダ本体４３Ｆは、取付溝部１１５Ｆとの係合に用いられる少なくとも１つの係合縁４３１Ｆと、ノッチ１１７Ｆ中へ充填される内側係合縁とを含む。換言すれば、２つの密閉内部環境を２つの光窓１１１Ｆとして規定するようにノッチ１１７Ｆが充填されるように、内側係合縁がノッチ１１７Ｆ中へ下方に延びる。この第１３の実施形態において、２つの光フィルタホルダ４０Ｆの２つの光フィルタ本体４３Ｆの２つの伸長縁を組み合わせて、ジョイント光フィルタホルダ１４００Ｆのブリッジ部位１４１０Ｆが形成される。
【０２７５】
この第１３の実施形態によれば、光フィルタホルダ４０Ｆそれぞれの光フィルタホルダ本体４３Ｆは、３つの係合縁４３１Ｆおよび１つの内側伸長縁を含む。係合縁４３１Ｆおよび内側伸長縁４３２Ｆは、各取付溝部１１５Ｆの形状に適合する四角形状を形成するように、一体的に接続される。
【０２７６】
光フィルタホルダ本体４３Ｆそれぞれの下方伸長アーム４５Ｆはそれぞれ、係合縁４３１Ｆおよび内側伸長縁から長手方向に延びて、係合溝部４２Ｆを形成する。内方伸長アーム４４Ｆは、下方伸長アーム４５Ｆそれぞれから横方向かつ一体的に延びて、支持溝部４１Ｆを形成する。
【０２７７】
電子コンポーネント１２２Ｆは、回路基板１２Ｆのベース基板１２１Ｆの異なる位置において配置され得、一体型ベース１１Ｆはそれぞれ、電子コンポーネント１２２Ｆを埋設させる点に留意されたい。電子コンポーネント１２２Ｆの位置を構成する際、一体型ベース１１Ｆそれぞれの必要な厚さが大きいほど、取付溝部１１５Ｆの形成においてより簡便になる。電子コンポーネント１２２Ｆを含まない位置は、回路基板１２Ｆのサイズを低減させるように、比較的より小さな厚さを有し得る。本発明のこの第１３の実施形態において、３つの係合縁４３１Ｆに対応する一体型ベース１１Ｆそれぞれの一部は、電子コンポーネント１２２Ｆと共に配置され、一体型ベース１１Ｆのこの部位は、より大きな横方向幅を有し、取付溝部１１５Ｆが形成される。また、伸長縁４３２Ｆに対応する一体型ベース１１Ｆの別の部位は、より小さな横方向幅を有し、取付溝部１１５Ｆの形成には用いられない。内側伸長縁は、ここで突出ステップ１１６Ｆとして機能するノッチ１１７Ｆを充填するためのブリッジ部位１４１０Ｆを形成するように接続される。
【０２７８】
アクチュエータ６０はそれぞれ、オートフォーカスカメラモジュールを形成するように、突出ステップ１１６Ｆにおいて取り付けられた少なくとも一部を有する。アクチュエータ６０はそれぞれ、少なくとも１つの接続ピン６１を通じて回路基板１２Ｆへ動作可能に接続される。他の実施形態において、レンズ３０は、固定焦点カメラモジュールが形成されるように、突出ステップ１１６Ｆにおいて取り付けられた少なくとも一部を有し得る。
【０２７９】
より詳細には、アクチュエータ６０はそれぞれ、突出ステップ１１６Ｆにおいてそれぞれ取り付けられた３つの縁と、各光フィルタホルダ４０Ｆの内側伸長縁（すなわち、ブリッジ部位１４１０Ｆ）において取り付けられた残りの縁とを有する。いくつかの実施形態において、アクチュエータ６０それぞれと、内側伸長縁（すなわち、ブリッジ部位１４１０Ｆ）との間に隙間が形成され得、アレイカメラモジュール１０００Ｆの各カメラモジュールユニット１００Ｆのための密閉および封入された内部環境が得られるように、隙間の充填のために接着剤が用いられる換言すれば、内側伸長縁（ブリッジ部位１４１０Ｆ）の上面は、各突出ステップ１１６Ｆの上面よりも低く、両者間の高さの差を補充および埋め合わせるために接着剤が用いられ得る。詳細には、アクチュエータ６０はそれぞれ、突出ステップ１１６Ｆへ接着され、各レンズ３０の光軸は、各感光要素２０の光軸と同軸にアラインされる。
【０２８０】
図面の図４０Ａ〜図４２を参照して、本発明の第１４の好適な実施形態によるアレイカメラモジュールが図示される。
【０２８１】
ジョイント一体型ベース１１１０Ｒの一体型ベース１１Ｒはそれぞれ、少なくとも１つの光窓１１１Ｒを有する一体型ベース本体１１２Ｒを含む。少なくとも１つの光窓１１１Ｒは、ジョイント回路基板１１２０Ｒ上に設けられた各感光要素２０へ光通路を提供するために形成される。より詳細には、一体型ベース本体１１２Ｒはそれぞれ、Ｕ字型本体と、内側とを有する。この内側は、２つの光窓１１１Ｒを図４０Ａおよび４１に示すようにジョイント一体型ベースアセンブリ１１００Ｒの中間部分中において相互に連通させる中間開口部である一体型接合部１１１１Ｒを形成するように開口され、２つのＵ字型一体型ベース本体１１２Ｒは、規則的な輪状のジョイント一体型ベース１１１０Ｒを形成するように一体的に組み合わされる。ジョイント光フィルタホルダ１４００Ｒは、本発明のこの第１４の実施形態によれば、一体的に接続された２つの光フィルタホルダ４０Ｒと、２つの光窓１１１Ｒを分離させるように中間開口部を充填する手段とを含む。
【０２８２】
ジョイント光フィルタホルダ１４００Ｒの光フィルタホルダ４０Ｒはそれぞれ、各光フィルタホルダ本体４３Ｒからベース基板１２１Ｒへ一体的に下方に延びる少なくとも１つの伸長脚部４３３Ｒを含む。２つの伸長脚部４３３Ｒが組み合わされると、中間開口部に充填された一体型充填手段を形成する。例えば、非限定的に、伸長脚部４３３Ｒは、ベース基板１２１Ｒおよび／または一体型ベース本体１１２Ｒへ接着によって接続される。
【０２８３】
いくつかの実施形態において、２つの隣接する伸長脚部４３３Ｒは、一体的に接続されて、組み合わされた伸長脚部（すなわち、充填手段）を形成する。詳細には、組み合わされた伸長脚部により、２つの光窓１１１Ｒが分離され、２つのカメラモジュールユニット１００Ｒのための２つの光通路が形成される。換言すれば、ジョイント光フィルタホルダ１４００Ｒの組み合わされた伸長脚部（すなわち、２つの一体的に組み合わされた伸長脚部４３３Ｒ）は、２つの光窓１１１Ｒ間に配置され、２つの密閉されかつ独立した光窓１１１Ｒを形成するように、２つの光窓１１１Ｒを分離させる。
【０２８４】
一体型ベース１１Ｒはそれぞれ、光窓１１１Ｒに連通する取付溝部１１５Ｒと、２つの光窓１１１Ｒとその２つの側部において連通する少なくとも１つのノッチ１１７Ｒとを有する。光フィルタホルダ４０Ｒはそれぞれ、対応する取付溝部１１５Ｒにおいて取り付けられる。
【０２８５】
本発明のこの第１４の実施形態によれば、一体型ベース１１Ｒはそれぞれ、３つの突出ステップ１１６Ｒを含む。これら３つの突出ステップ１１６Ｒは、一体型ベース本体１１２Ｒから突出および伸長して、取付溝部１１５Ｒを形成する。
【０２８６】
光フィルタホルダ４０Ｒそれぞれの光フィルタホルダ本体４３Ｒは、取付溝部１１５Ｒとの係合に用いられる少なくとも１つの係合縁４３１Ｒと、一体型接合部１１１１Ｒの中間開口部に配置されたノッチ１１７Ｒ中に充填され得る組み合わされた伸長脚部４３３Ｒとを含む。
【０２８７】
第１４の実施形態によれば、光フィルタホルダ４０Ｒそれぞれの光フィルタホルダ本体４３Ｒは、四角形状構造を形成するように一体的に接続された４つの係合縁４３１Ｒを含む。２つの光フィルタホルダ本体４３Ｒの係合縁４３１Ｒは一体的に接続され、２つの光フィルタホルダ本体４３Ｒの内側係合縁４３１Ｒは、ブリッジ部位１４１０Ｒを形成するように中間において一体的に組み合わされ、組み合わされた伸長脚部４３３Ｒはそこから下方に延びる。換言すれば、この第１４の実施形態において、中間開口部ノッチ１１７Ｒは、ジョイント一体型ベース１１１０Ｒの２つの一体型ベース１１Ｒの接合部位に設けられる。ジョイント光フィルタホルダ１４００Ｒの伸長脚部４３３Ｒは、ブリッジ部位１４１０Ｒを一体形成するために、対応する接合部位に設けられる。
【０２８８】
下方伸長アーム４５Ｒは、係合縁４３１Ｒそれぞれから長手方向に延びて、係合溝部４２Ｒを規定する。内方伸長アーム４４Ｒは、下方伸長アーム４５Ｒそれぞれから横方向に一体的に延びて、支持溝部４１Ｒを規定する。電子コンポーネント１２２Ｒは、回路基板１２Ｒの本体１２１Ｒの異なる位置において配置され得、一体型ベース１１Ｒによって埋設される点に留意されたい。電子コンポーネント１２２Ｒの位置を構成する際、一体型ベース１１Ｒの必要な厚さがより大きい場合、取付溝部１１５Ｒの形成がより簡便になる。また、電子コンポーネント１２２Ｒを含まない位置は、回路基板１２Ｒのサイズを低減するように、比較的より小さな厚さを有し得る。本発明のこの第１４の実施形態において、２つの係合縁４３１Ｒに対応する一体型ベース１１Ｒそれぞれの一部は、電子コンポーネント１２２Ｒと共に配置され、一体型ベース１１Ｆのこの部位は、より大きな横方向幅を有し、取付溝部１１５Ｒが形成される。突出ステップ１１６Ｒに対応する一体型ベース１１Ｆのこの別の部位は、より横方向幅を有し、取付溝部１１５Ｒの形成に用いられない。
【０２８９】
アクチュエータ６０はそれぞれ、オートフォーカスカメラモジュールを形成するように、突出ステップ１１６Ｒにおいて取り付けられた少なくとも一部を有する。アクチュエータ６０はそれぞれ、少なくとも１つの接続ピン６１を通じて回路基板１２Ｒへ動作可能に接続される。他の実施形態において、レンズ３０は、固定焦点カメラモジュールが形成されるように、突出ステップ１１６Ｒにおいて取り付けられた少なくとも一部を有し得る。
【０２９０】
より詳細には、アクチュエータ６０はそれぞれ、突出ステップ１１６Ｒにおいて取り付けられ、２つの縁を有する。これらの２つの縁は、取付溝部１１５Ｒを形成する突出ステップ１１６Ｒにおいてそれぞれ取り付けられる。１つの残りの縁は、取付溝部１１５Ｒの形成に用いられない突出ステップ１１６Ｒにおいて取り付けられ、別の残りの縁は、各光フィルタホルダ４０Ｒの伸長縁４３２Ｒにおいて取り付けられる。
【０２９１】
図４２Ａ〜図４３に示すように、本発明の第１４の実施形態によるアレイカメラモジュールの別の態様が図示される。ジョイント一体型ベースアセンブリ１１００Ｈのジョイント一体型ベース１１１０Ｈの一体型ベース１１Ｈそれぞれは、３つの突出ステップ１１６Ｈを含む。これら３つの突出ステップ１１６Ｈは、一体的に接続され、内部において、２つの突出ステップ１１６Ｈおよび対応する一体型ベース本体１１２Ｈによって取付溝部１１５Ｈが形成され、基体１１２Ｈから一体的に上方に延びる残りの突出ステップ１１６Ｈは、取付溝部１１５Ｈの形成に用いられない。２つの一体型ベース１１Ｈは、接合部位において突出ステップを備えないため、ノッチ１１７Ｈはその上に形成される。換言すれば、ジョイント一体型ベース１１１０Ｈはそれぞれ、２つの平行取付溝部１１５Ｈを有し、ノッチ１１７Ｈは、２つの取付溝部１１５Ｈ間に形成される。よって、光フィルタホルダ４０ＨはそれぞれＵ字型構造を形成し、Ｕ字型構造の開口部は、取付溝部１１５Ｈの形成無しに突出ステップ１１６Ｈの反対側に設けられる。換言すれば、ジョイント光フィルタホルダ１４００Ｈは、上方からみたときにＥ字型構造を有し、Ｅ字型構造の中間部分は、ジョイント一体型ベース１１１０Ｈの一体型接合部１１１１Ｈの上方にブリッジされる。
【０２９２】
光フィルタホルダ４０Ｈそれぞれの光フィルタホルダ本体４３Ｈは、取付溝部１１５Ｈ中に載置および取付されるように適合された少なくとも１つの係合縁４３１Ｈを含む。
【０２９３】
本発明の第１４の実施形態のこの別の態様によれば、光フィルタホルダ４０Ｈそれぞれの光フィルタホルダ本体４３Ｈは、開口部を含むＵ字型構造を形成するように一体的かつ横方向に相互接続された３つの係合縁４３１Ｈを含み、これにより、取付溝部１１５Ｈの形状と整合する。
【０２９４】
光フィルタホルダ４３Ｈそれぞれの下方伸長アーム４５Ｈはそれぞれ、その係合縁４３１Ｈそれぞれから長手方向に延びて、取付溝部１１５Ｈと係合する。光フィルタホルダ４３Ｈそれぞれの内方伸長アーム４４Ｈは、その下方伸長アーム４５Ｈそれぞれから横方向に一体的に延びて支持溝部４１Ｈを形成して、各光フィルタ５０のための取付場所を提供する。この別の態様と、上記第１４の実施形態との間の差として、係合溝部４２Ｈおよび支持溝部４２Ｈそれぞれが閉鎖された構造ではなくＵ字型構造であり、片側に開口部が設けられる。換言すれば、光フィルタ５０が各光フィルタホルダ４０Ｈに取り付けられた場合、３つの縁のみが固定および支持され、残りの縁は、取付溝部１１５Ｈを形成すること無く突出ステップ１１６Ｈの内壁に付勢される。
【０２９５】
電子コンポーネント１２２Ｈは、ジョイント回路基板１１２０Ｈの回路基板１２Ｈの異なる位置の基体において配置され得、ジョイント一体型ベース１１１０Ｈの一体型ベース１１Ｈによって埋設される点に留意されたい。電子コンポーネント１２２Ｈの位置を構成する際、一体型ベース１１Ｈの必要な厚さがより大きい場合、取付溝部１１５Ｈの形成が簡便になる。また、電子コンポーネント１２２Ｈを含まない位置は、ジョイント回路基板１１２０Ｈの回路基板１２Ｈのサイズを低減させるように比較的より小さな厚さを有し得、これらの位置は、取付溝部１１５Ｈの形成に用いられない。本発明の第１４の実施形態のこの別の態様において、３つの係合縁４３１Ｈに対応する一体型ベース１１Ｈそれぞれの一部は電子コンポーネント１２２Ｈと共に配置され、各一体型ベース１１Ｈのこの部位はより大きな横方向幅を有し、取付溝部１１５Ｈが形成される。取付溝部１１５Ｈの形成無しの突出ステップ１１６Ｈに対応する各一体型ベース１１Ｈのこの別の部位は、より小さな横方向幅を有する。
【０２９６】
アクチュエータ６０はそれぞれ、オートフォーカスカメラモジュールを形成するように突出ステップ１１６Ｈにおいて取り付けられた少なくとも一部を有する。アクチュエータ６０はそれぞれ、少なくとも１つの接続ピン６１を通じて各回路基板１２Ｈへ動作可能に接続される。他の実施形態において、レンズ３０はそれぞれ、固定焦点カメラモジュールが形成されるように、突出ステップ１１６Ｈにおいて取り付けられた少なくとも一部を有し得る。
【０２９７】
より詳細には、アクチュエータ６０はそれぞれ、取付溝部１１５Ｈの形成のために突出ステップ１１６Ｈにおいてそれぞれ取り付けられた３つの縁を有し、残りの縁は、取付溝部１１５Ｈの形成無しに突出ステップ１１６Ｈにおいて取り付けられる。
【０２９８】
換言すれば、上記の好適な実施形態と異なり、この別の態様の光フィルタホルダ４０Ｈはそれぞれ、係合縁を備えないが、開口したＵ字型構造を形成し、各一体型ベース１１Ｈの突出ステップ１１６Ｈは、閉鎖されたＵ字型構造を形成するように上方に延び、ノッチは形成されない。
【０２９９】
図４４Ａ、図４４Ｂおよび図４５を参照して、本発明の第１５の好適な実施形態によるアレイカメラモジュールが図示される。
【０３００】
この第１５の実施形態と、上記の好適な実施形態との間の差として、ジョイント一体型ベース１１１０Ｉの一体型ベース１１Ｉそれぞれが１つの突出ステップ１１６Ｉを含み、３つのノッチ１１７Ｉを有する点がある。突出ステップ１１６Ｉは、一体型ベースから一体的かつ部分的に延びて、取付溝部１１５Ｉを形成する。換言すれば、突出ステップ１１６Ｉの形成を含まない各一体型ベース１１Ｉの３つの側部は、ノッチ１１７Ｉと共に形成される。
【０３０１】
光フィルタホルダ４０Ｉそれぞれの光フィルタホルダ本体４３Ｉは、取付溝部１１５Ｉに載置されかつ取付溝部１１５Ｉ中に取り付けられるように適合された少なくとも１つの係合縁４３１Ｉと、ノッチ１１７Ｉに挿入および充填されるように適合された少なくとも１つの伸長縁４３２Ｉとを含む。換言すれば、伸長縁４３２Ｉは、ノッチ１１７Ｉを密接に充填するようにノッチ１１７Ｉ中に延びて、密閉および封入された内部環境が形成される。
【０３０２】
本発明のこの第１５の実施形態によれば、光フィルタホルダ４０Ｉそれぞれの光フィルタホルダ本体４３Ｉは、取付溝部１１５Ｉの形状に整合するように一体的かつ横方向に接続された１つの係合縁４３Ｉおよび３つの伸長縁４３２Ｉを含む。このアレイカメラモジュール１０００Ｉにおいて、ジョイント光フィルタホルダ１４００Ｉの２つの光フィルタホルダ４０Ｉの２つの隣接する伸長縁４３２Ｉが一体的に接続されて、２つのカメラモジュールユニット１００Ｉの組み合わされた部位としてブリッジ部位１３１０Ｉとして機能する一体型ピースを提供する点に留意されたい。
【０３０３】
光フィルタホルダ４３Ｉそれぞれの下方伸長アーム４５Ｉはそれぞれ、係合縁４３１Ｉおよびその伸長縁４３２Ｉから長手方向に延びて、係合溝部４２Ｉを形成する。光フィルタホルダ４３Ｉそれぞれの内方伸長アーム４４Ｉは、下方伸長アーム４５Ｉから横方向かつ一体的に延びて、支持溝部４１Ｉを形成する。
【０３０４】
さらに、ジョイント一体型ベース１１１０Ｉの２つの一体型ベース１１Ｉの２つの突出ステップ１１６Ｉは、一体的に延びて、直線溝部構造を形成する。ノッチは、相互に隣接して、Ｅ字型構造を形成する。よって、光フィルタホルダ４０Ｉそれぞれの伸長縁４３２ＩはＵ字型構造を形成し、係合縁４３１ＩはＵ字型構造の開口部に設けられる。ジョイント光フィルタホルダ１４００Ｉにおいて、２つの隣接する伸長縁４３２Ｉが一体的に組み合わされて、ベースの一体型ピース１１１０Ｉの一体型部位１１１１Ｉを載置および取付するためのブリッジ部位１４１０Ｉが形成される。
【０３０５】
別の態様によれば、２つの係合縁４３Ｉが相互に接合され得、２つのノッチ１１７Ｉが相互に隣接する。換言すれば、２つの突出ステップ１１６Ｉは、Ｌ字型取付溝部１１５Ｉを形成するようにＬ字型構造を形成する。２つのノッチ１１７Ｉは、相互に隣接してＬ字型構造を形成する。よって、光フィルタホルダ４０Ｉの２つの係合縁４３１Ｉは、Ｌ字型取付溝部１１５Ｉと整合するように相互に隣接し、２つの伸長縁４３２Ｉは、ノッチ１１７Ｉ中に充填されるように相互に隣接して、密閉かつ閉鎖された内部環境を形成する。アクチュエータ６０はそれぞれ、オートフォーカスカメラモジュールを形成するように、突出ステップ１１６Ｉにおいて取り付けられた少なくとも一部を有する。アクチュエータ６０はそれぞれ、少なくとも１つの接続ピン６１を通じて回路基板１２Ｉへ動作可能に接続される。他の実施形態において、レンズ３０はそれぞれ、突出ステップ１１６Ｉおよび／または各光フィルタホルダ本体４３Ｉにおいて取り付けられた少なくとも一部を有し得、これにより、固定焦点カメラモジュールが形成される。より詳細には、アクチュエータ６０はそれぞれ、突出ステップ１１６Ｉにおいてそれぞれ取り付けられた２つの縁を有し、残りの縁は、光フィルタホルダ４０Ｉの伸長縁４３２Ｉそれぞれに取り付けられる。
【０３０６】
図４６Ａおよび図４７に示すように、本発明の第１５の好適な実施形態によるアレイカメラモジュールの別の態様が図示される。図中、突出ステップ１１６Ｊの位置は、上記実施形態と異なる。よって、アレイカメラモジュール１０００Ｊのジョイント一体型ベース１１１０Ｊにおいて、２つの一体型ベース１１Ｊの２つの突出ステップ１１Ｊは、２つの一体型ベース１１Ｊの２つの反対側の外側それぞれにおいて平行に設けられて、２つの一体型ベース本体１１１Ｊの上に取付溝部１１５Ｊを形成する。換言すれば、２つの一体型ベース１１Ｊの２つの対向側それぞれは、取付溝部１１５Ｊの一部と共に形成される。上記実施形態と比較して、ジョイント一体型ベース１１１０Ｊの２つの突出ステップ１１６Ｊは、直線構成ではなく平行構成に変更される。
【０３０７】
図４８Ａ、図４８Ｂおよび図４９を参照して、本発明の第１６の好適な実施形態によるアレイカメラモジュールが図示される。この第１６の実施形態と、上記実施形態との間の差として、ジョイント一体型ベース１１１０Ｋの一体型ベース１１Ｋそれぞれが１つの突出ステップ１１６Ｋを含み、３つのノッチ１１７Ｋを有する点がある。突出ステップ１１６Ｋは、各一体型ベース本体１１２Ｋから部分的に一体的かつ上方に延びて取付溝部１１５Ｋを形成する。換言すれば、突出ステップ形成を含まない３つの側部は、３つのノッチ１１７Ｋそれぞれと共に形成される。
【０３０８】
各光フィルタホルダ４０Ｋの光フィルタホルダ本体４３Ｋは、取付溝部１１５Ｉ中に載置および取付されるように適合された少なくとも１つの係合縁４３１Ｋと、ノッチ１１７Ｋに挿入および充填されるように適合された少なくとも１つの伸長縁４３２Ｋとを含む。換言すれば、伸長縁４３２Ｋはノッチ１１７Ｋ中に下方に延びて、密閉および封入された内部環境が形成されるようにノッチ１１７Ｋを密接に充填する。
【０３０９】
本発明のこの第１６の実施形態によれば、光フィルタホルダ４０Ｋそれぞれの光フィルタホルダ本体４３Ｋは、１つの係合縁４３Ｋと、ノッチ１１７Ｋによって形成された取付溝部１１５Ｋの形状と整合および密接するように一体的かつ横方向に接続された３つの伸長縁４３２Ｋとを含む。２つの隣接する伸長縁は、一体的に接続されて、ジョイント光フィルタホルダ１４００Ｋのブリッジ部位１４１０Ｋを形成する。ブリッジ部位１４１０Ｋは、ブリッジされて、ジョイント一体型ベース１１１０Ｋの一体型接合部１１１１Ｋ上に密接に取り付けられる。
【０３１０】
光フィルタホルダ４０Ｋそれぞれの下方伸長アーム４５Ｋはそれぞれ、係合縁４３１Ｋおよびその伸長縁４３２Ｋそれぞれから長手方向に延びて、係合溝部４２Ｋを形成する。光フィルタホルダ４０Ｋそれぞれの内方伸長アーム４４Ｋは、その下方伸長アーム４５Ｋから横方向かつ一体的に延びて、支持溝部４１Ｋを形成する。
【０３１１】
アクチュエータ６０はそれぞれ、オートフォーカスカメラモジュールを形成するように突出ステップ１１６Ｋにおいて取り付けられた少なくとも一部を有する。アクチュエータ６０はそれぞれ、少なくとも１つの接続ピン６１を通じて各回路基板１２Ｋへ動作可能に接続される。他の実施形態において、レンズ３０はそれぞれ、固定焦点カメラモジュールが形成されるように突出ステップ１１６Ｋにおいて取り付けられた少なくとも一部を有し得る。
【０３１２】
より詳細には、アクチュエータ６０はそれぞれ、突出ステップ１１６Ｋにおいて支持された１つの側部を有し、その他の３つの側部は、光フィルタホルダ４０Ｋそれぞれの伸長縁４３２Ｋにおいて取り付けられる。
【０３１３】
本発明のこの第１６の実施形態によれば、ジョイント一体型ベース１１１０Ｋの２つの一体型ベース１１Ｋの２つの突出ステップ１１６Ｋは、ジョイント光フィルタホルダ１４００Ｋの取付場所を提供するように相互に平行である点に留意されたい。しかし、本発明の他の実施形態において、突出ステップ１１６Ｋの相対的位置は他の構成が可能である（例えば、平行方向または垂直方向の配置）。当業者であれば、各２つの突出ステップ１１６Ｋの構成は本発明において限定されないことを理解する。
【０３１４】
図５０Ａ〜図５１に示すように、本発明の第１７の好適な実施形態によるアレイカメラモジュールが図示される。この第１７の実施形態と上記実施形態との間の差として、ジョイント光フィルタホルダ１４００Ｌの光フィルタホルダ４０Ｌそれぞれは、光フィルタホルダ本体から上方に延びる上方伸長周壁４６Ｌを含む。光フィルタホルダ本体４３Ｌは、取付コンポーネント（例えば、例を非限定的に挙げると、レンズおよび／またはアクチュエータ６０）を保持するために保持チャンバ４６１Ｌを内部に規定する。換言すれば、アレイカメラモジュール１０００Ｌの組立時において、レンズ３０および／またはアクチュエータ６０は、各光フィルタホルダ４０Ｌの保持チャンバ４６１Ｌ中に取付および保持され、アクチュエータ６０および／またはレンズ３０の光軸は、各回路基板１２Ｌ上に設けられた感光要素２０の光軸と同軸にアラインされる。保持チャンバ４６１Ｌのサイズは、取り付けられるべき取付コンポーネントのサイズによって決定される。
【０３１５】
換言すれば、上方伸長周壁４６Ｌはそれぞれ、レンズ３０および／またはアクチュエータ６０が各光フィルタホルダ４０の保持チャンバ４６１Ｌ内に取り付けられた場合、フレーム保持機能を行い、これにより、過度の逸脱が確保され、各カメラモジュールユニット１００Ｌの光学系の一貫性を確保できる。これと同時に、上方伸長周壁４６Ｌは、取付コンポーネント（例えば、アクチュエータ６０および／またはレンズ３０）も保護することができるため、レンズ３０および／またはアクチュエータ６０を安定的に取り付けかつ外部から各カメラモジュールユニット１００Ｌの内部空間に進入する粉塵を全て遮断しつつ、不要な衝撃を回避することができる。図５１に示すように、アレイカメラモジュール１０００Ｌの２つのカメラモジュールユニット１００Ｌの２つの上方伸長周壁４６Ｌを一体的に構築して、ジョイント一体型ベース１１１０Ｌの２つの一体型ベース１１Ｌ上に横並びに形成された２つの保持チャンバ４６１Ｌを有する単一の本体を提供して、これにより、２つの保持チャンバ４６１Ｌそれぞれに受容された２枚レンズ３０は、ジョイント回路基板１１２０Ｌそれぞれの２つの回路基板１２Ｌ上に設けられた２つの感光要素２０の光路に沿ってアラインされる。
【０３１６】
さらに、カメラモジュールユニット１００Ｌがオートフォーカスカメラモジュールである場合、光フィルタホルダ４０Ｌはそれぞれ、少なくとも１つのピン開口部４６２Ｌを有する。接続ピン６１は、少なくとも１つのピン開口部４６２Ｌを貫通して、取付コンポーネント（例えば、アクチュエータ６０）を各回路基板１２Ｌへ電気的に接続させるために。換言すれば、アクチュエータ６０が各光フィルタホルダ４０Ｌの保持チャンバ４６１Ｌにおいて取り付けられると、アクチュエータ６０の接続ピン６１は対応するピン開口部４６２Ｌを貫通し、回路基板１２Ｌへ接続される。もちろん、カメラモジュールが固定焦点カメラモジュールである場合、光フィルタホルダ４０Ｌは、このようなピン開口部４６２Ｌを提供する必要が無い。
【０３１７】
ピン開口部４６２Ｌは中心線に沿った断面図中に図示されていないが、理解および記載を容易にするため、ピン開口部４６２Ｌの可能な位置を例示するために点線が用いられる点に留意されたい。しかし、ピン開口部４６２Ｌおよび接続ピン６１の実際の位置は図示の位置に限定されるべきであることが暗示される点に留意されたい。
【０３１８】
アレイカメラモジュール１０００Ｌのレンズ３０および／またはアクチュエータ６０それぞれは、２つのカメラモジュールユニット１００Ｌそれぞれの光軸の一貫性を確保するように各周壁４６Ｌ内に保持され、２つのカメラモジュールユニット１００Ｌはまた相互に制御される点に留意されたい。
【０３１９】
図５２を参照して、本発明の第１８の好適な実施形態によるアレイカメラモジュールが図示される。この第１８の実施形態と、上記実施形態との間の差として、ジョイント光フィルタホルダ１４００Ｍの光フィルタホルダ４０Ｍはそれぞれ、上方伸長周壁４６Ｍと、下方伸長周壁４７Ｍとを含む。上方伸長周壁４６Ｍは、各光フィルタホルダ本体４３Ｍの上部から上方かつ一体的に延びて保持チャンバ４６１Ｍを内部に形成し、下方伸長周壁４７Ｍは、各光フィルタホルダ本体４３Ｍの下側から下方かつ一体的に延びて、下ハウジングチャンバ４７１Ｍを形成する。詳細には、ベース周壁４７Ｍは、上方伸長周壁４６Ｍから一体的かつ下方に延びて、一体型外側遮蔽壁を形成し得る。
【０３２０】
保持チャンバ４６１Ｍは、取付コンポーネント（例を非限定的に挙げると、レンズ３０および／またはアクチュエータ６０）の保持に用いられる。相応に、下方伸長周壁４７Ｍは、２つの一体型ベース１１Ｍそれぞれを受容するために用いられる。換言すれば、カメラモジュールの組立時において、レンズ３０および／またはアクチュエータ６０は、光フィルタホルダ４０Ｍの保持チャンバ４６１Ｍそれぞれの内部に取り付けられて、レンズ３０およびアクチュエータ６０を所定位置に保持および保護し、レンズ３０それぞれの光軸は、各感光要素２０の光軸と同軸にアラインされる。一体型ベース１１Ｍはそれぞれ、各下ハウジングチャンバ４７１Ｍ中に受容され、下方伸長周壁４７Ｍは各一体型ベース１１Ｍを包囲および保護して、これにより、アレイカメラモジュールの規則的な一体型構造が達成され、これにより組立が容易になり、美観が向上する。保持チャンバ４６１Ｍおよび下ハウジングチャンバ４７１Ｍのサイズは、取り付けるべきコンポーネント（アクチュエータ６０、レンズ３０および一体型ベース１１Ｍ）のサイズによって決定され得る。
【０３２１】
一実施形態において、下方伸長周壁４７Ｍを伸長させて、回路基板１２Ｍの側部を包囲および保護することもできる。例えば、非限定的に、下方伸長周壁４７Ｍは接着剤によって回路基板１２Ｍの側縁へ接着され、これにより、光フィルタホルダ４０Ｍをより安定して取り付けることができる。
【０３２２】
図５３を参照して、本発明の第１９の好適な実施形態によるアレイカメラモジュールが図示される。
【０３２３】
一体型ベース１１Ｎはそれぞれ、鏡筒１１８Ｎを含む。鏡筒１１８Ｎは、突出ステップ１１６Ｎから少なくとも部分的かつ上方に延びて、レンズ３０を取り付けるためのレンズ穴１１８１Ｎを規定し、固定焦点カメラモジュールを形成する。
【０３２４】
より詳細には、突出ステップ１１６Ｎおよび基体１１２Ｎは、各光フィルタホルダ４０Ｎを取り付けるための取付溝部１１Ｎを形成する。鏡筒１１８Ｎおよび突出ステップ１１６Ｎは、レンズ３０を取り付けるための別の取付溝部１１５Ｎを形成する。換言すれば、この第１９の実施形態において、一体型ベース１１Ｎはそれぞれ、２つの取付溝部１１５Ｎを有する。これら２つの取付溝部１１５Ｎのうち１つは、各光フィルタホルダ４０Ｎを取り付けるためのものであり、もう１つは、各レンズ３０の取付のために用いられる。
【０３２５】
さらに、光フィルタホルダ４０Ｎそれぞれの係合溝部４２Ｎは、取付溝部１１５Ｎと連結され、光フィルタ５０は、各光フィルタホルダ４０Ｎの支持溝部４１Ｎ中に取り付けられる。レンズ３０は、他の取付溝部１１５Ｎ内に取り付けられる。
【０３２６】
鏡筒１１８Ｎは、レンズ３０を所定位置に保持するためのレンズ３０の取付場所を提供するために用いられ、これにより、レンズ３０の光軸が感光要素２０の光軸と同軸にアラインされて、よって、その取付精度が向上する。
【０３２７】
図５４Ａは、本発明の第２０の好適な実施形態によるアレイカメラモジュールの分解図である。アレイカメラモジュール１０００Ｓは、一体型ベースアセンブリ１０Ｓをそれぞれ含む２つのカメラモジュールユニット１００Ｓを有する。一体型ベースアセンブリ１０Ｓは、回路基板１２Ｓ、一体型ベース１１Ｓおよび光フィルタホルダ４０Ｓを含む。この第２０の実施形態と、上記実施形態との間の差として、２つのカメラモジュールユニット１００Ｓの２つの回路基板１２Ｓが一体的に形成されておらず、相互に接続され、２つの一体型ベース１１Ｓが一体的に形成されてジョイント一体型ベース１１１０Ｓを形成し、これにより、２つの一体型ベース１１Ｓが２つの回路基板１２Ｓそれぞれに載置および取付される。別の実施形態によれば、２つの回路基板１２Ｓは相互に接続されておらず、両者間に隙間を有する（すなわち、２つの回路基板１２Ｓが相互に独立する）。
【０３２８】
図５４Ｂは、本発明の第２０の好適な実施形態によるアレイカメラモジュールの断面図である。アレイカメラモジュール１０００Ｔは、２つのカメラモジュールユニット１００Ｔを含む。アレイカメラモジュール１０００Ｔは、２つの回路基板１２Ｔを提供するジョイント回路基板１１２０Ｔと、ジョイント回路基板１１２０Ｔ上に一体的パッケージされた２つの一体型ベース１１Ｔを提供しかつ２枚レンズ３０の２つの光通路を提供する２つの光窓１１１Ｔを規定するジョイント一体型ベース１１１０Ｔと、ジョイント回路基板１１２０Ｔそれぞれの２つの回路基板１２Ｔ上に設けられた２つの感光要素２０とを含む。２つの取付溝部１１５Ｔは、２つの光フィルタ５０をそれぞれ支持する２つの独立した光フィルタホルダ４０Ｔをそれぞれ取り付けるように、ジョイント一体型ベース１１１０Ｔの上側に形成される。他の実施形態において、ジョイント一体型ベース１１１０Ｔの上側は、取付溝部１１５Ｔと共に形成されるのではなく、２つの光フィルタホルダ４０Ｔを取り付けるための平坦な表面と共に形成されることが理解される。光フィルタホルダ４０Ｔはそれぞれ、上記実施形態に記載の任意の特徴を有するように構築することができる点に留意されたい。
【０３２９】
２つのカメラモジュールユニット１００を含む二重カメラモジュールは、上記実施形態におけるアレイカメラモジュールの例示のために一例としてとられる点に留意されたい。しかし、他の実施形態において、アレイカメラモジュール１０００は、より多数のカメラモジュールユニット１００を含み得る。上記実施形態において、カメラモジュールユニットの特徴は、アレイカメラモジュール１０００を形成するように対称配置され得る。しかし、他の実施形態において、各カメラモジュールユニット１００は、多様な組み合わされた特徴を有し得、アレイカメラモジュール１０００に非対称構成が付与され得、本発明はこの態様において限定されない。
【０３３０】
図５５は上記実施形態による複数のアレイカメラモジュールの応用を示す。アレイカメラモジュール１０００は、電子デバイス３００をアレイカメラモジュール１０００と共に形成するように、電子デバイス本体２００を備え得る。
【０３３１】
図５５に示すように、アレイカメラモジュールは、画像取得および画像再生を実行するようにスマートフォン中に設けられる。他の実施形態において、アレイカメラモジュール１０００は、異なる電子デバイス３００（例を非限定的に挙げると、スマートフォン、ウェアラブルデバイス、コンピュータデバイス、テレビ、搬送装置、デジタルカメラおよび監視デバイス）を形成するために、他の電子デバイス本体において設けられ得る。
【０３３２】
光フィルタホルダは、従来のホルダの機能に追いつくために一体型ベースと協働する統合パッケージングプロセスに基づいてカメラモジュール中に補足され、これにより、統合パッケージングプロセスの利点を利用する際、光フィルタホルダが統合パッケージングプロセスの不利点を解消および補償することができる点に留意されたい。一方、光フィルタホルダは、射出成形などにより一体的形成が可能であるため、良好な平坦性を得ることができる。好適には、入射光ビームの反射率を低減するために、光フィルタホルダの特性を利用することができる。加えて、上記実施形態を鑑みて、一体型ベースの形状と整合するよう、光フィルタホルダを多様な別の態様において構成することができ、構築も容易であり、製造も簡便である。より好適には、適切なプラスチック材料が用いられた場合、エッチングプロセスは不要になり、黒染処理および摩耗処理が不要になり、フィルタホルダは、迷光を回避するように、入射光ビームの反射率を低減することができる。
【０３３３】
当業者であれば、図示および上記記載のような本発明の実施形態は、ひとえに例示的なものであり、限定的なものではないことを理解する。よって、本発明の目的は、完全かつ有効に達成されることが分かる。図示および記載の実施形態は、本発明の機能的原理および構造的原理の例示のためのものであり、このような原理から逸脱すること無く変更される。よって、本発明は、以下の請求項の意図および範囲内に含まれる改変例全てを含む。
【図１Ａ】
2019514076.tif 000003
【図１Ｂ】
2019514076.tif 000004
【図２】
2019514076.tif 000005
【図３】
2019514076.tif 000006
【図４】
2019514076.tif 000007
【図５】
2019514076.tif 000008
【図６】
2019514076.tif 000009
【図７】
2019514076.tif 000010
【図８Ａ】
2019514076.tif 000011
【図８Ｂ】
2019514076.tif 000012
【図８Ｃ】
2019514076.tif 000013
【図９Ａ】
2019514076.tif 000014
【図９Ｂ】
2019514076.tif 000015
【図１０Ａ】
2019514076.tif 000016
【図１０Ｂ】
2019514076.tif 000017
【図１１】
2019514076.tif 000018
【図１２Ａ】
2019514076.tif 000019
【図１２Ｂ】
2019514076.tif 000020
【図１３Ａ】
2019514076.tif 000021
【図１３Ｂ】
2019514076.tif 000022
【図１３Ｃ】
2019514076.tif 000023
【図１４】
2019514076.tif 000024
【図１５Ａ】
2019514076.tif 000025
【図１５Ｂ】
2019514076.tif 000026
【図１６Ａ】
2019514076.tif 000027
【図１６Ｂ】
2019514076.tif 000028
【図１７Ａ】
2019514076.tif 000029
【図１７Ｂ】
2019514076.tif 000030
【図１８Ａ】
2019514076.tif 000031
【図１８Ｂ】
2019514076.tif 000032
【図１９Ａ】
2019514076.tif 000033
【図１９Ｂ】
2019514076.tif 000034
【図２０Ａ】
2019514076.tif 000035
【図２０Ｂ】
2019514076.tif 000036
【図２１】
2019514076.tif 000037
【図２２】
2019514076.tif 000038
【図２３】
2019514076.tif 000039
【図２４】
2019514076.tif 000040
【図２５Ａ】
2019514076.tif 000041
【図２５Ｂ】
2019514076.tif 000042
【図２６】
2019514076.tif 000043
【図２７】
2019514076.tif 000044
【図２８Ａ】
2019514076.tif 000045
【図２８Ｂ】
2019514076.tif 000046
【図２９Ａ】
2019514076.tif 000047
【図２９Ｂ】
2019514076.tif 000048
【図３０Ａ】
2019514076.tif 000049
【図３０Ｂ】
2019514076.tif 000050
【図３１】
2019514076.tif 000051
【図３２Ａ】
2019514076.tif 000052
【図３２Ｂ】
2019514076.tif 000053
【図３２Ｃ】
2019514076.tif 000054
【図３３Ａ】
2019514076.tif 000055
【図３３Ｂ】
2019514076.tif 000056
【図３４Ａ】
2019514076.tif 000057
【図３４Ｂ】
2019514076.tif 000058
【図３５】
2019514076.tif 000059
【図３６Ａ】
2019514076.tif 000060
【図３６Ｂ】
2019514076.tif 000061
【図３６Ｃ】
2019514076.tif 000062
【図３７Ａ】
2019514076.tif 000063
【図３７Ｂ】
2019514076.tif 000064
【図３８Ａ】
2019514076.tif 000065
【図３８Ｂ】
2019514076.tif 000066
【図３９】
2019514076.tif 000067
【図４０Ａ】
2019514076.tif 000068
【図４０Ｂ】
2019514076.tif 000069
【図４１】
2019514076.tif 000070
【図４２Ａ】
2019514076.tif 000071
【図４２Ｂ】
2019514076.tif 000072
【図４３】
2019514076.tif 000073
【図４４Ａ】
2019514076.tif 000074
【図４４Ｂ】
2019514076.tif 000075
【図４５】
2019514076.tif 000076
【図４６Ａ】
2019514076.tif 000077
【図４６Ｂ】
2019514076.tif 000078
【図４７】
2019514076.tif 000079
【図４８Ａ】
2019514076.tif 000080
【図４８Ｂ】
2019514076.tif 000081
【図４９】
2019514076.tif 000082
【図５０Ａ】
2019514076.tif 000083
【図５０Ｂ】
2019514076.tif 000084
【図５１】
2019514076.tif 000085
【図５２】
2019514076.tif 000086
【図５３】
2019514076.tif 000087
【図５４Ａ】
2019514076.tif 000088
【図５４Ｂ】
2019514076.tif 000089
【図５５】
2019514076.tif 000090
【手続補正書】
【提出日】平成31年1月9日(2019.1.9)
【手続補正１】
【補正対象書類名】特許請求の範囲
【補正対象項目名】全文
【補正方法】変更
【補正の内容】
【特許請求の範囲】
【請求項１】
カメラモジュールであって、
少なくとも回路基板と、
前記回路基板へ動作可能に接続された少なくとも１つの感光要素と、
前記回路基板上に一体的にパッケージされる少なくとも１つの一体型ベースと、
前記一体型ベース内に規定された光窓を形成するように前記一体型ベースと共に取り付けられた少なくとも１つの光フィルタホルダであって、前記光フィルタホルダは光通路を前記感光要素へ提供する、光フィルタホルダと、
前記光フィルタホルダによって所定位置に支持および保持されかつ前記感光要素の感光経路内にアラインされる少なくとも１つの光フィルタと、
前記一体型ベースに取り付けられた少なくとも１つのレンズであって、前記少なくとも１つのレンズは、前記光フィルタの上方に配置されかつ前記感光要素の前記感光経路中にアラインされる、少なくとも１つのレンズと、
を含む、カメラモジュール。
【請求項２】
前記カメラモジュールの前記光フィルタホルダは、光フィルタホルダ本体を含み、前記光フィルタホルダ本体は、内部に規定された受容開口部と、前記光フィルタホルダ本体の前記受容開口部を包囲および規定する内側の少なくとも一部から横方向に延びて前記光フィルタの取付のための支持溝部を内部に形成する１つ以上の内方伸長アームとを有する、請求項１に記載のカメラモジュール。
【請求項３】
前記カメラモジュールの前記光フィルタホルダは光フィルタホルダ本体を含み、前記光フィルタホルダ本体は、内部に規定された受容開口部、１つ以上の下方伸長アームおよび１つ以上の内方伸長アームを有し、前記下方伸長アームは、内側周囲の少なくとも一部から下方に延びかつ前記光フィルタホルダ本体の前記受容開口部を規定して、前記一体型ベースと係合する係合溝部を形成し、前記内方伸長アームは、前記下方伸長アームから横方向に延びて、前記光フィルタを支持する支持溝部を形成する、請求項１に記載のカメラモジュール。
【請求項４】
前記カメラモジュールの前記内方伸長アームのうち２つの間に少なくとも角開口部が形成され、前記角開口部は、前記角開口部における光束を増加させるように前記光窓から外方に延びる、請求項３に記載のカメラモジュール。
【請求項５】
前記カメラモジュールの前記一体型ベースは、前記光窓と連通する少なくとも１つの取付溝部および前記光窓を外部と連通させる少なくとも１つのノッチを有し、前記光フィルタホルダの前記光フィルタホルダ本体は、前記取付溝部と係合する少なくとも１つの係合縁と、前記ノッチ中に延びかつ前記ノッチへ密閉的に嵌められる少なくとも１つの伸長縁とを含む、請求項３に記載のカメラモジュール。
【請求項６】
前記カメラモジュールの前記一体型ベースは、前記光フィルタホルダ本体から上方に延びて前記レンズが内部に取り付けられる保持チャンバを形成する上方伸長周壁を含む、請求項３に記載のカメラモジュール。
【請求項７】
前記カメラモジュールの前記一体型ベースは、前記光フィルタホルダ本体から上方に延びて前記レンズが内部に取り付けられる保持チャンバを形成する上方伸長周壁と、前記光フィルタホルダ本体から下方に延びて下ハウジングチャンバを形成する下方伸長周壁とを含み、前記下ハウジングチャンバは、少なくとも前記一体型ベースを前記光フィルタホルダと共に内部に受容する、請求項３に記載のカメラモジュール。
【請求項８】
前記カメラモジュールの前記一体型ベースは、前記回路基板上に一体的にパッケージされるように成型された一体型ベース本体を含み、前記一体型ベース本体は少なくとも１つの開口部を有し、前記カメラモジュールの前記光フィルタホルダは少なくとも１つの伸長脚部を含み、前記少なくとも１つの伸長脚部は、前記光フィルタホルダ本体から下方かつ一体的に前記回路基板へ延びて、前記一体型ベースの前記開口部中へ密閉的に挿入されかつ前記一体型ベースの前記開口部を被覆して、前記一体型ベースおよび光フィルタホルダによって規定される前記光窓を密閉的に封入する、請求項３に記載のカメラモジュール。
【請求項９】
前記カメラモジュールの前記基体の前記開口部は、下部から上部へサイズが徐々に大きくなる逆台形形状を有し、前記伸長脚部も、前記光フィルタホルダを前記一体型ベースと共に所定位置に保持するように、前記開口部の前記逆台形形状と整合する、請求項８に記載のカメラモジュール。
【請求項１０】
前記カメラモジュールの前記レンズは、前記一体型ベースおよび前記光フィルタホルダへ少なくとも部分的かつ選択的に取り付けられる、請求項１に記載のカメラモジュール。
【請求項１１】
前記カメラモジュールの前記レンズは、前記一体型ベースへ少なくとも部分的に取り付けられる、請求項３に記載のカメラモジュール。
【請求項１２】
前記一体型ベースは、前記回路基板上に一体的に成型される、請求項１に記載のカメラモジュール。
【請求項１３】
前記カメラモジュールの前記一体型ベースは、前記レンズが内部に取り付けられるレンズ穴を規定する鏡筒と共にさらに形成される、請求項１に記載のカメラモジュール。
【請求項１４】
前記カメラモジュールの前記一体型ベースは、傾き角度を規定する内面を有する、請求項１に記載のカメラモジュール。
【請求項１５】
前記カメラモジュールは、少なくとも２つの一体型ベースアセンブリ、少なくとも２つの前記感光要素、少なくとも２つの前記レンズ、少なくとも２つの前記光フィルタホルダおよび少なくとも２つの前記光フィルタを含み、前記一体型ベースアセンブリは、ジョイント回路基板アセンブリを形成するように前記回路基板上に一体的にパッケージされ、前記一体型ベースアセンブリはそれぞれ１つの前記一体型ベースを含み、前記一体型ベースは、ジョイント一体型ベースを形成するように一体的に形成される、請求項１に記載のカメラモジュール。
【請求項１６】
前記カメラモジュールの前記光フィルタホルダは、前記光フィルタホルダ本体の上部から少なくとも部分的に突出する少なくとも１つの保持突起部をさらに含む、請求項３に記載のカメラモジュール。
【国際調査報告】
2019514076.tif 000091
2019514076.tif 000092
2019514076.tif 000093
2019514076.tif 000094
2019514076.tif 000095
2019514076.tif 000096